(57)【要約】 【課題】操作部の小型化及び操作性を向上できるようにすると共に、誤動作の低減、コストダウン及び製造プロセスを簡素化できるようにする。【解決手段】操作面を有した下部筐体１１ｂ内に設けられて操作者の指の摺動位置を検出するセンサと、このセンサの一部又は全部を覆うように設けられ、筐体１１ｂの左側面の操作面に沿って摺動操作されるキートップ１４とを備え、このキートップ１４は、筐体１１ｂの一方の操作面から摺動方向に沿って盛り上がり、かつ、他方の操作面に向かって盛り下がる凸部形状を有するものである。操作者の指による摺動操作に対し、筐体１１ｂの一方の操作面から摺動方向に沿って盛り上がる摺動操作感覚に加えて、他方の操作面に向かって盛り下がる摺動操作感覚を与えることができる。【選択図】    図１
2009217804.tif 000002
【特許請求の範囲】
【請求項１】
操作面を有した筐体内に設けられて前記操作体による摺動操作によって入力される摺動位置を検出する検出部と、
前記検出部の一部又は全部を覆うように設けられ、前記筐体の操作面に沿って摺動操作される操作部とを備え、
前記操作部は、
前記筐体の一方の操作面から摺動方向に沿って盛り上がり、かつ、他方の操作面に向かって盛り下がる凸部形状を有する入力装置。
【請求項２】
前記検出部で操作体の摺動位置を検出する検出領域が、前記操作部で当該操作体によって摺動操作される操作領域よりも広く設定されている請求項１に記載の入力装置。
【請求項３】
前記操作部の凸部形状は、
所定の高さ及び幅を有した円弧を成し、
前記操作部は、
円弧の形状に沿って摺動操作される請求項２に記載の入力装置。
【請求項４】
前記操作部の凸部形状は、
所定の高さ及び幅を有した半球を成し、
前記操作部は、
半球の形状の一の軌道に沿って摺動操作され、又は／及び前記軌道と交差する他の軌道に沿って摺動操作される請求項２に記載の入力装置。
【請求項５】
前記操作部が前記筐体の材質と異なる材質から構成され、
前記操作部を構成する材質の表面粗度をＡとし、前記筐体を構成する材質の表面粗度をＢとしたとき、前記表面粗度Ａと表面粗度Ｂとの間にはＡ＜Ｂなる関係が設定される請求項２に記載の入力装置。
【請求項６】
前記操作部は前記筐体に着脱可能に取り付けられる請求項２に記載の入力装置。
【請求項７】
前記検出部は、
前記操作体の摺動位置を検出して位置検出信号を出力する静電容量シート部材を有する請求項２に記載の入力装置。
【請求項８】
前記検出部は、
前記操作体の摺動位置の圧力を検出して圧力検出信号を出力する圧力検出シート部材を有する請求項２に記載の入力装置。
【請求項９】
前記操作部の押し込み操作によってオン又は／及びオフするスイッチ部が設けられる請求項２に記載の入力装置。
【請求項１０】
前記スイッチ部は、
前記操作部の押し込み投影下部又は当該押し込み投影下部以外の位置に設けられる請求項９に記載の入力装置。
【請求項１１】
前記検出部によって検出された前記操作体の摺動位置に対して振動を発生する振動体が設けられる請求項２に記載の入力装置。
【請求項１２】
前記検出部によって検出された操作体の摺動位置に対してスクロール画像を表示する表示部と、
前記操作体の摺動操作速度を検出し、当該操作体の摺動操作速度に応じて前記表示部におけるスクロール画像の表示ピッチを調整する制御部とを備える請求項２に記載の入力装置。
【請求項１３】
前記操作部により入力される前記摺動位置に基づく画像を表示する表示部と、
前記表示部に表示される前記画像の表示制御を行う制御部とを備え、
前記制御部は、
前記検出部により検出された前記摺動位置に基づいて前記操作体の速度および／または加速度を算出し、当該算出した速度および／または加速度に応じて前記表示部に表示される前記画像の移動量を調整する請求項２に記載の入力装置。
【請求項１４】
前記制御部は、
前記検出部により検出された前記操作体の前記摺動位置から前記操作体の移動量を算出し、当該算出した前記操作体の前記移動量と予め設定された閾値との比較結果に基づいて、前記操作体により入力される前記摺動位置が誤動作であるか否かを判断する請求項１３に記載の入力装置。
【請求項１５】
操作面を有した筐体と、
前記筐体に設けられて操作体による摺動操作によって情報を入力する入力装置とを備え、
前記入力装置は、
前記筐体内に設けられて前記操作体の摺動位置を検出する検出部と、
前記検出部の一部又は全部を覆うように設けられ、前記筐体の操作面に沿って摺動操作される操作部とを有し、
前記操作部は、
前記筐体の一方の操作面から摺動方向に沿って盛り上がり、かつ、他方の操作面に向かって盛り下がる凸部形状を含む電子機器。
【請求項１６】
前記筐体と前記操作部とが一体成形されて成る請求項１５に記載の電子機器。
【請求項１７】
前記筐体の操作面にテンキー部を備え、
前記操作部が前記テンキー部と一体成形されて成る請求項１６に記載の電子機器。
【請求項１８】
前記筐体内には光源が設けられ、かつ、前記操作部には光導伝部材が設けられ、
前記筐体内の光源から前記光導伝部材に光が照射される請求項１６に記載の電子機器。
【請求項１９】
前記操作部によって入力される情報を表示する表示部を備え、
前記表示部の所定の位置に凸状を成した前記操作部が配設される請求項１６に記載の電子機器。
【請求項２０】
操作面を有した筐体内に設けられて操作体による摺動操作によって入力される摺動位置を検出する検出部と、
前記検出部の一部又は全部を覆うように設けられ、前記筐体の操作面に沿って摺動操作される操作部とを備え、
前記操作部は、
前記筐体の一方の操作面から摺動方向に沿って堀り下がり、かつ、他方の操作面に向かって堀り上がる凹部形状を有する入力装置。
【請求項２１】
前記検出部で操作体の摺動位置を検出する検出領域が、前記操作部で当該操作体によって摺動操作される操作領域よりも広く設定されている請求項２０に記載の入力装置。
【請求項２２】
前記操作部の凹部形状は、
所定の深さ及び開口幅を有した有底状の円弧を成し、
前記操作部は、
有底状の円弧形状に沿って摺動操作される請求項２１に記載の入力装置。
【請求項２３】
前記操作部の凹部形状は、
所定の深さ及び開口幅を有した有底状の半球を成し、
前記操作部は、
有底状の半球形状の一の軌道に沿って摺動操作され、又は／及び前記軌道と交差する他の軌道に沿って摺動操作される請求項２１に記載の入力装置。
【請求項２４】
前記操作部が前記筐体の材質と異なる材質から構成され、
前記操作部を構成する材質の表面粗度をＡとし、前記筐体を構成する材質の表面粗度をＢとしたとき、前記表面粗度Ａと表面粗度Ｂとの間にはＡ＜Ｂなる関係が設定される請求項２１に記載の入力装置。
【請求項２５】
前記操作部は前記筐体に着脱可能に取り付けられる請求項２１に記載の入力装置。
【請求項２６】
前記検出部は、
前記操作体の摺動位置を検出して位置検出信号を出力する静電容量シート部材を有する請求項２１に記載の入力装置。
【請求項２７】
前記検出部は、
前記操作体の摺動位置の圧力を検出して圧力検出信号を出力する圧力検出シート部材を有する請求項２１に記載の入力装置。
【請求項２８】
前記操作部の押し込み操作によってオン又は／及びオフするスイッチ部が設けられる請求項２７に記載の入力装置。
【請求項２９】
前記スイッチ部は、
前記操作部の押し込み投影下部又は当該押し込み投影下部以外の位置に設けられる請求項２１に記載の入力装置。
【請求項３０】
前記検出部によって検出された前記操作体の摺動位置に対して振動を発生する振動体が設けられる請求項２１に記載の入力装置。
【請求項３１】
前記検出部によって検出された操作体の摺動位置に対応してスクロール画像を表示する表示部と、
前記操作体の摺動操作速度を検出し、当該操作体の摺動操作速度に応じて前記表示部におけるスクロール画像の表示ピッチを調整する制御部とを備える請求項２１に記載の入力装置。
【請求項３２】
前記操作部により入力される前記摺動位置に基づく画像を表示する表示部と、
前記表示部に表示される前記画像の表示制御を行う制御部とを備え、
前記制御部は、
前記検出部により検出された前記摺動位置に基づいて前記操作体の速度および／または加速度を算出し、当該算出した速度および／または加速度に応じて前記表示部に表示される前記画像の移動量を調整する請求項２１に記載の入力装置。
【請求項３３】
前記制御部は、
前記検出部により検出された前記操作体の前記摺動位置から前記操作体の移動量を算出し、当該算出した前記操作体の前記移動量と予め設定された閾値との比較結果に基づいて、前記操作体により入力される前記摺動位置が誤動作であるか否かを判断する請求項３２に記載の入力装置。
【請求項３４】
操作面を有した筐体と、
前記筐体に設けられて操作体による摺動操作によって情報を入力する入力装置とを備え、
前記入力装置は、
前記筐体内に設けられて前記操作体の摺動位置を検出する検出部と、
前記検出部の一部又は全部を覆うように設けられ、前記筐体の操作面に沿って摺動操作される操作部とを有し、
前記操作部は、
前記筐体の一方の操作面から摺動方向に沿って掘り下がり、かつ、他方の操作面に向かって堀り上がる凹部形状を含む電子機器。
【請求項３５】
前記筐体と前記操作部とが一体成形されて成る請求項３４に記載の電子機器。
【請求項３６】
前記筐体の操作面にテンキー部を備え、
前記操作部が前記テンキー部と一体成形されて成る請求項３５に記載の電子機器。
【請求項３７】
前記筐体内には光源が設けられ、かつ、前記操作部には光導伝部材が設けられ、
前記筐体内の光源から前記光導伝部材に光が照射される請求項３５に記載の電子機器。
【発明の詳細な説明】
【技術分野】
【０００１】
本発明は、デジタルカメラや、ビデオカメラ、携帯電話機、携帯端末装置、パーソナルコンピュータ（以下ＰＣという）、ノート型のＰＣ、ホーム系電子機器及びそのリモートコントローラ等に適用可能な入力装置及び電子機器に関する。詳しくは、筐体の操作面に沿って摺動操作される操作部を備え、操作部は、筐体の一方の操作面から摺動方向に沿って盛り上がり、かつ、他方の操作面に向かって盛り下がる凸部形状を有しており、操作者の指（操作体）による摺動操作に対し、筐体の一方の操作面から摺動方向に沿って盛り上がる摺動操作感覚に加えて、他方の操作面に向かって盛り下がる摺動操作感覚を与えられるようにすると共に、従来方式の回転型のサイドジョグツールとほぼ類似の操作感覚が得られる非回転型のサイドジョグツール等を提供できるようにしたものである。
【背景技術】
【０００２】
近年、ユーザ（操作者）は、多種類の動作モードを装備したデジタルカメラを使用して被写体を撮影したり、携帯電話機やＰＤＡ（Personal Digital Assistants）等の携帯端末装置に様々なコンテンツを取り込み、それを利用するようになってきた。これらのデジタルカメラや携帯端末装置等には入力装置が具備される。入力装置にはキーボードや、ＪＯＧダイヤル等の入力手段、表示部を合わせたタッチパネルなどが使用される場合が多い。
【０００３】
図５１は従来例に係る入力装置５００の構成例を示す断面図である。図５１に示す入力装置５００は、筐体５０１、回転型の操作子（以下ＪＯＧダイヤル５０２という）、回路基板５０３及びドームスイッチ５０４を有して構成されている。
【０００４】
入力装置５００は所定の大きさの筐体５０１を有しており、筐体５０１の側部には開口部５０５が設けられ、この開口部５０５からＪＯＧダイヤル５０２のキートップ部分が露出する状態で回路基板５０３に実装されている。ＪＯＧダイヤル５０２は円形状を有しており、回路基板５０３にシャフト５０６（回転軸）を介して回転自在に取り付けられている。ＪＯＧダイヤル５０２は、そのキートップ部分を除く大部分が筐体内を占有する形態が採られている。
【０００５】
ＪＯＧダイヤル５０２の裏面には、図示しない磁石等の磁性体が設けられ、この磁性体による磁界と鎖交する位置であって、回路基板５０３には所定に角度を置いて２つのホールＩＣ５０７，５０８が実装されており、ＪＯＧダイヤル裏面の磁性体がホールＩＣ５０７，５０８を横切ることで、二相の回転検出信号を出力するようになされている。
【０００６】
また、シャフト５０６は、回路基板５０３から筐体５０１の外側に向けて付勢部材（図示せず）により付勢されている。シャフト５０６の軸方向と平行に対峙する回路基板５０３には、ドームスイッチ５０４が設けられ、ＪＯＧダイヤル５０２を付勢部材の付勢力に打ち勝って押し込むとドームスイッチ５０４をオン又はオフできるようになっている。
【０００７】
この種のＪＯＧダイヤルを備えた入力装置に関連して特許文献１には、携帯情報端末及びプログラムが開示されている。この携帯情報端末によれば、端末装置本体に表示部と、本体のほぼ中央にＪＯＧダイヤルとを備える。ＪＯＧダイヤルは、表示部とは別の位置に設けられる。このＪＯＧダイヤルは、時計方向又は反時計方向に回転され、この回転に連動して表示部に表示された画像が回転するようになされる。しかも、ＪＯＧダイヤルを本体の方向に押下すると、画像範囲を変更するようになされる。このように情報端末を構成すると、より快適に各種の操作を実行できるというものである。つまり、ＪＯＧダイヤルは、メカ的な構造を採用することによって、操作者に、表示部において、入力項目を選択する毎に、表示部の変化と同期した触覚を操作者に与えられる。
【０００８】
また、振動を伴う入力装置に関連して、特許文献２にはエアコンや、オーディオ等の電子機器に実装可能な入力装置が開示されている。この入力装置によれば、ロータリスイッチ、プッシュスイッチ及びスライドスイッチの機能を併せ持つ操作子を備え、当該操作子を回転、スライド又は押圧することによって、操作項目の選択や、入力確定操作を行い、入力確定操作時には振動を伴うようになされる。このように装置を構成すると、操作負担が大幅に減少できるというものである。
【０００９】
図７４は従来例に係る他の入力装置６００の構成例を示す断面図である。図７４に示す入力装置６００は、表面平坦状を有した非回転型のキートップ６０２を備えている。入力装置６００は所定の大きさの筐体６０１を有しており、筐体６０１の側部には開口部６０５が設けられ、この開口部６０５からキートップ６０２が露出する状態で回路基板に対して可動自在に実装されている。キートップ６０２は、筐体６０１の開口部６０５に組み合わされ、その非操作面が筐体６０１の内側に向けて実装される。キートップ６０２は、鍔状のフランジ６０６を備え、このフランジ６０６が開口部６０５の内側に引っ掛けられる。これにより、キートップ６０２が開口部６０５から抜け出るのを防止される。
【００１０】
キートップ６０２の内側には回路基板６０３が設けられ、当該回路基板６０３にはドームスイッチが設けられ、キートップ６０２の押し込み操作によってオン又は／及びオフするように操作される。キートップ６０２の内側には、センサ６１３、押し子６１９、ドームスイッチ６０４及び回路基板６０３の順序で配置される。押し子６１９はセンサ６１３と回路基板６０３の側部との間で挟持されるように配置される。このように、筐体側部に対して表面平坦状のキートップ６０２を取り付けると、上述のＪＯＧダイヤルに比べてキートップ部分がほとんど筐体内を占有しない構造を採ることができるというものである。
【００１１】
また、入力装置の機能に関連して、特許文献３には、メニュー選択装置が開示されている。このメニュー選択装置によれば、項目選択手段及び項目入力手段を備え、項目入力手段が項目選択手段上に設けられ、項目の選択と入力とを同一のキーに割り当て、項目表示と項目選択入力キーとを並置するようにしたものである。このように装置を構成すると、同一のキーを用いて項目の選択と人力の指示（確定）とを実行できるというものである。
【００１２】
更に、開口部から露出するキートップに関連して、特許文献４には入力装置が開示されている。この入力装置によれば、ケーシングの所定の位置に窓孔が設けられ、この窓孔から露出する操作釦をスライド操作して項目選択を行ったり、他の操作ノブを押圧操作してページ送りや、スクロール等の項目選択画面の切り替えを行うようにした。このように装置を構成すると、項目選択動作を簡単かつ的確に実行できるというものである。
【００１３】
また、特許文献５には入力装置が開示されている。この入力装置によれば、ケーシングの所定の位置に窓孔が設けられ、この窓孔から露出する操作釦をスライド操作して項目選択を行ったり、他の操作ノブを押圧操作して特定された項目選択画面内の所定領域を拡大表示するようにした。このように装置を構成すると、項目選択動作を簡単かつ的確に実行できるというものである。
【００１４】
【特許文献１】特開２００３−２５６１２０号公報（第２乃至３頁  第１図）
【特許文献２】特開２００４−０７０５０５号公報（第５頁  図３）
【特許文献３】特開平  ０２−２３０３１０号公報（第２頁  図１）
【特許文献４】特開２００５−０６３２３０号公報（第９頁  図１６）
【特許文献５】特開２００５−０６３２２７号公報（第８頁  図１５）
【発明の開示】
【発明が解決しようとする課題】
【００１５】
ところで、従来例に係る触覚入力機能付きのデジタルカメラや、情報処理装置、携帯電話機、情報携帯端末装置等の電子機器によれば、以下のような問題がある。
【００１６】
ｉ．特許文献１に見られるような表示部とＪＯＧダイヤルとが分離配置された携帯情報端末によれば、機械的な構造が発生せしめる単一の触覚のみしか与えることができず、操作者に採って、インパクトのある触覚となっていないのが現状である。しかも、ＪＯＧダイヤルは、そのキートップ部分を除く大部分が筐体内を占有する形態が採られる。従って、他の部品を取り付ける面積（スペース）が減少したり、当該入力装置を応用した電子機器のコンパクト化の妨げとなる。
【００１７】
ii．また、特許文献２や、特許文献３に見られるような電子機器によれば、各種方式のタッチパネルと表示部とを合わせたタッチ入力機能付きの入力装置が実装され、表示部でアイコンを選択した際に、その選択と同期した触覚を操作者に与えることができていない。
【００１８】
iii．因みに、複数の振動体と入力手段とを組み合わせて触覚機能付きの入力装置を構成し、その入力操作面上を直線的に接触操作して触覚を得ようとした場合に、特許文献１に見られるような表示部と入力手段とを分離配置する機構と、各種方式のタッチパネルと表示部とを合わせた入力機能とを単に組み合わせただけでは、製造プロセスが複雑化するばかりか、操作者が入力操作面上を接触操作する速度が異なると、満足な触覚が得られない事態を招くことが予想される。この結果、電子機器のコストアップにつながる。
【００１９】
iv．特許文献４及び５に見られるような入力装置によれば、ケーシングの所定の位置に設けられた窓孔から露出する操作釦をスライド操作して項目選択を行ったり、他の操作ノブを押圧操作してページ送りや、スクロール等の項目選択画面を切り替えているが、操作機構が複雑となっており、操作部の小型化及び操作性が低下したり、誤動作のおそれが懸念される。
【００２０】
そこで、この発明はこのような従来の課題を解決したものであって、操作部の小型化及び操作性を向上できるようにすると共に、誤動作の低減、コストダウン及び製造プロセスを簡素化できるようにした入力装置及び電子機器を提供することを目的とする。
【課題を解決するための手段】
【００２１】
上述した課題は、操作体による摺動操作によって情報を入力する入力装置であって、操作面を有した筐体内に設けられて操作体の摺動位置を検出する検出部と、この検出部の一部又は全部を覆うように設けられ、筐体の操作面に沿って摺動操作される操作部とを備え、この操作部は、筐体の一方の操作面から摺動方向に沿って盛り上がり、かつ、他方の操作面に向かって盛り下がる凸部形状を有することを特徴とする第１の入力装置によって解決される。
【００２２】
本発明に係る第１の入力装置によれば、操作体による摺動操作によって情報を入力する場合に、当該入力装置を操作する操作体による摺動操作に対し、筐体の一方の操作面から摺動方向に沿って盛り上がる摺動操作感覚に加えて、他方の操作面に向かって盛り下がる摺動操作感覚を与えることができる。
【００２３】
本発明に係る第１の電子機器は、操作面を有した筐体と、この筐体に設けられて操作体による摺動操作によって情報を入力する入力装置とを備え、入力装置は、筐体内に設けられて操作体の摺動位置を検出する検出部と、この検出部の一部又は全部を覆うように設けられ、筐体の操作面に沿って摺動操作される操作部とを有し、操作部は、筐体の一方の操作面から摺動方向に沿って盛り上がり、かつ、他方の操作面に向かって盛り下がる凸部形状を含むことを特徴とするものである。
【００２４】
本発明に係る第１の電子機器によれば、本発明に係る第１の入力装置が備えられるので、当該電子機器を操作する操作体による摺動操作に対し、筐体の一方の操作面から摺動方向に沿って盛り上がる摺動操作感覚に加えて、他方の操作面に向かって盛り下がる摺動操作感覚を与えることができる。
【００２５】
本発明に係る第２の入力装置は、操作体による摺動操作によって情報を入力する入力装置であって、操作面を有した筐体内に設けられて操作体の摺動位置を検出する検出部と、この検出部の一部又は全部を覆うように設けられ、筐体の操作面に沿って摺動操作される操作部とを備え、操作部は、筐体の一方の操作面から摺動方向に沿って堀り下がり、かつ、他方の操作面に向かって堀り上がる凹部形状を有することを特徴とするものである。
【００２６】
本発明に係る第２の入力装置によれば、操作体による摺動操作によって情報を入力する場合に、当該入力装置を操作する操作体による摺動操作に対し、筐体の一方の操作面から摺動方向に沿って堀り下がる摺動操作感覚に加えて、他方の操作面に向かって堀り上がる摺動操作感覚を与えることができる。
【００２７】
本発明に係る第２の電子機器は、操作面を有した筐体と、筐体に設けられて操作体による摺動操作によって情報を入力する入力装置とを備え、入力装置は、筐体内に設けられて操作体の摺動位置を検出する検出部と、検出部の一部又は全部を覆うように設けられ、筐体の操作面に沿って摺動操作される操作部とを有し、操作部は、筐体の一方の操作面から摺動方向に沿って掘り下がり、かつ、他方の操作面に向かって堀り上がる凹部形状を含むことを特徴とするものである。
【００２８】
本発明に係る第２の電子機器によれば、本発明に係る第２の入力装置が備えられるので、当該電子機器を操作する操作体による摺動操作に対し、筐体の一方の操作面から摺動方向に沿って堀り下がる摺動操作感覚に加えて、他方の操作面に向かって堀り上がる摺動操作感覚を与えることができる。
【発明の効果】
【００２９】
本発明に係る第１の入力装置によれば、筐体の操作面に沿って摺動操作される操作部を備え、操作部は、筐体の一方の操作面から摺動方向に沿って盛り上がり、かつ、他方の操作面に向かって盛り下がる凸部形状を有するものである。
【００３０】
この構造によって、当該入力装置を操作する操作体による摺動操作に対し、筐体の一方の操作面から摺動方向に沿って盛り上がる摺動操作感覚に加えて、他方の操作面に向かって盛り下がる摺動操作感覚を与えることができる。従って、従来方式の回転型のサイドジョグツールと異なる構造であって、当該サイドジョグツールとほぼ類似の操作感覚が得られる非回転型のサイドジョグツール等を提供できるようになる。しかも、操作部の小型化及び操作性を向上できることから、当該入力装置の誤動作の低減、コストダウン、及び、製造プロセスの簡素化を図ることができる。
【００３１】
本発明に係る第１の電子機器によれば、本発明に係る第１の入力装置が備えられるので、当該電子機器を操作する操作体による摺動操作に対し、筐体の一方の操作面から摺動方向に沿って盛り上がる摺動操作感覚に加えて、他方の操作面に向かって盛り下がる摺動操作感覚を与えることができる。従って、従来方式の回転型のサイドジョグツールと異なる構造であって、当該サイドジョグツールとほぼ類似の操作感覚が得られる非回転型のサイドジョグツール等を備えた電子機器を提供できるようになる。しかも、入力装置の小型化及び操作性を向上できることから、当該電子機器の誤動作の低減、コストダウン及び製造プロセスの簡素化を図ることができる。
【００３２】
本発明に係る第２の入力装置によれば、筐体の操作面に沿って摺動操作される操作部を備え、操作部は、筐体の一方の操作面から摺動方向に沿って堀り下がり、かつ、他方の操作面に向かって堀り上がる凹部形状を有するものである。
【００３３】
この構造によって、当該入力装置を操作する操作体による摺動操作に対し、筐体の一方の操作面から摺動方向に沿って堀り下がる摺動操作感覚に加えて、他方の操作面に向かって堀り上がる摺動操作感覚を与えることができる。従って、第１の入力装置の非回転型のサイドジョグツール等に対して反転構造の非回転型のサイドジョグツール等を提供できるようになる。しかも、操作部の小型化及び操作性を向上できることから、当該入力装置の誤動作の低減、コストダウン、及び、製造プロセスの簡素化を図ることができる。
【００３４】
本発明に係る第２の電子機器によれば、本発明に係る第２の入力装置が備えられるので、当該電子機器を操作する操作体による摺動操作に対し、筐体の一方の操作面から摺動方向に沿って堀り下がる摺動操作感覚に加えて、他方の操作面に向かって堀り上がる摺動操作感覚を与えることができる。従って、第１の入力装置の非回転型のサイドジョグツール等に対して反転構造の非回転型のサイドジョグツール等を提供できるようになる。しかも、入力装置の小型化及び操作性を向上できることから、当該電子機器の誤動作の低減、コストダウン及び製造プロセスの簡素化を図ることができる。
【発明を実施するための最良の形態】
【００３５】
続いて、この発明に係る入力装置及び電子機器の一実施例について、図面を参照しながら説明をする。
【実施例１】
【００３６】
図１Ａ及びＢは、本発明に係る第１の実施例としての入力装置１０を備えた携帯電話機１０１の構成例を示す斜視図である。
【００３７】
図１Ａに示す携帯電話機１０１は電子機器の一例を構成し、スライド型の筐体構造を有している。携帯電話機１０１は上部筐体１１ａ及び本発明に係る入力装置１０が実装される下部筐体１１ｂを有して構成される。上部筐体１１ａは下部筐体１１ｂ上を例えば上下方向でスライド自在に係合される。携帯電話機１０１は、図１Ｂに示すように下部筐体１１ｂ上の操作面を上部筐体１１ａで覆うような操作面スライド収納構造が採られる。
【００３８】
上部筐体１１ａには所定の大きさを有した表示部２９が設けられ、待ち受け画面や相手方電話番号等が表示される。表示部２９には液晶表示モニタが使用される。下部筐体１１ｂには入力装置１０が設けられる。入力装置１０は上部及び側部に操作面を有しており、上部操作面には数字「０」〜「９」のテンキーや、「＊」キー、「＃」キー等が配置された操作パネル１８を有している。
【００３９】
図２は、入力装置１０の内部構成例を示す断面図である。図２に示す入力装置１０は、操作体、例えば、操作者の親指（以下単に指３９ａという）による摺動操作によって情報を入力する装置である。
【００４０】
入力装置１０は、数字「０」〜「９」のテンキーや、「＊」キー、「＃」キー等の他に、回路基板１７、センサ１３及びキートップ１４を有して構成される。この例で、下部筐体１１ｂの所定の位置、例えば、下部筐体１１ｂの左側部の操作面には所定の大きさの開口部１１ｃが設けられている。
【００４１】
下部筐体１１ｂの内部には電子部品実装用の回路基板１７が配設されている。回路基板１７にはセンサ１３が設けられ、当該携帯電話機１０１を左手で操作する場合、操作者の指３９ａの摺動位置を検出するように動作する。センサ１３には摺動位置の加圧力を静電容量に変換して検出する静電容量シート部材が使用される。静電容量シート部材から成るセンサ１３が実装された場合、操作者の指の摺動位置を検出して位置検出信号を出力するようになされる。静電容量シート部材には、特許第３９２０８３３号公報に記載の「カーソル移動方法」や、特許第３９０９２３０号公報に記載の「座標入力装置」が応用できる。
【００４２】
センサ１３には静電容量シート部材の他にピエゾ抵抗効果を用いた圧力検出シート部材が使用される。圧力検出シート部材は、摺動位置の加圧力による抵抗変化を読み取って電気信号に変換するものである。圧力検出シート部材には特開２００５−３２６２９３号公報に記載の「力センサ、力検出システム及び力検出プログラム」が応用できる。圧力検出シート部材から成るセンサ１３が実装された場合、操作者の指の摺動位置の圧力を検出して圧力検出信号を出力するようになされる。
【００４３】
下部筐体１１ｂの左側部の操作面に開口された開口部１１ｃには、キートップ１４が組み合わされている。キートップ１４は操作部の一例を構成し、センサ１３の一部又は全部を覆うように設けられ、下部筐体１１ｂの左側部の操作面に沿って摺動操作される。例えば、キートップ１４は非操作面が平坦形状を成し、非操作面の周縁部にはフランジ１４ａ（つば状部）を有している。
【００４４】
キートップ１４は、その非操作面が下部筐体１１ｂの内側に向けて組み合わされ、フランジ１４ａが下部筐体１１ｂの左側部の開口部１１ｃに引っかかって抜け止めされる状態で実装される。キートップ１４には、下部筐体１１ｂの一方の操作面から摺動方向に沿って盛り上がり、かつ、他方の操作面に向かって盛り下がる凸部形状を有したものが使用される。
【００４５】
この例では、キートップ１４の凸部形状は、所定の高さ及び幅を有した円弧を成し、キートップ１４は、円弧の形状に沿って摺動操作される。このようにすると、操作者の指３９ａによる摺動操作に対し、下部筐体１１ｂの一方の操作面から摺動方向に沿って円弧状に盛り上がる摺動操作感覚に加えて、他方の操作面に向かって盛り下がる円弧状の摺動操作感覚を与えることができる。従って、従来方式の回転型のサイドジョグツールと異なる構造であって、当該サイドジョグツールとほぼ類似の操作感覚が得られる非回転型のサイドジョグツール等を提供できるようになる。この形状のキートップ１４は、各種情報を検索する際、例えば、電話帳選択時、ファイル選択時、拡大縮小時のスクロールキー、あるいは、これらの決定キー、また、音量を調整する際のボリュームキー等の情報選択キーとして応用できる。
【００４６】
この例では、キートップ１４が下部筐体１１ｂの材質と異なる材質から構成されている。ここに、キートップ１４を構成する材質の表面粗度をＡとし、下部筐体１１ｂを構成する材質の表面粗度をＢとしたとき、表面粗度Ａと表面粗度Ｂとの間にはＡ＜Ｂなる関係が設定される。下部筐体１１ｂには例えば、ＰＣ樹脂や、ＡＢＳ樹脂、これら合成樹脂等が使用される。キートップ１４にはアルミニウム（Ａｌ）や、その合金等が使用される。全体的に下部筐体１１ｂの表面粗度Ｂよりも、キートップ１４を構成する突起部分において、その表面粗度Ａが小さいものが好ましい。突起部分をＰＣ樹脂や、ＡＢＳ樹脂、これら合成樹脂等で構成して、その表面にアルミニウムや、その合金等をコーティングしてもよい。
【００４７】
このようにキートップ１４の材質を構成すると、下部筐体１１ｂの左側部の操作面における摺動操作に比べて、左側部操作面から摺動方向に沿って盛り上がり、かつ、他方の操作面に向かって盛り下がる部分の摺動操作を円滑にできるようになり、操作者の指３９ａの摺動操作によって容易に情報を選択できるようになる。
【００４８】
この例では、センサ１３で操作者の指３９ａの摺動位置を検出する検出領域が、キートップ１４で当該操作者の指３９ａによって摺動操作される操作領域よりも広く設定されている。このようにすると、操作者の指３９ａによる摺動操作に対し、凸部形状のキートップ１４を挟んだ下部筐体１１ｂの一方の操作面と、他方の操作面を摺動操作範囲に含めることができる。この形状のキートップ１４は、各種情報を検索する際のスクロールキーの検索ピッチや、音量を調整する際のボリュームキー等の音量調整ピッチを広く設定できるようになる。
【００４９】
図３は、キートップ１４の突出部分の寸法設定例を示す概念図である。図３に示す斜線部分は円弧凸形状を成している。図中、二点鎖線で示す線分は側部操作面Ｉに相当している。この円弧凸形状は、側部操作面Ｉと交差する円形を描画したときに、側部操作面Ｉの左側に形成される部分である。ここに、円形の直径はφであり、円形状の原点Ｏを基準にして、円弧凸形状の頂部と円弧凸形状の裾部とが成す角度をθとすると、円弧凸形状の円弧角は２θであり、この例では、２θ＝２×２９．２°である。また、側部操作面Ｉから左側に突出した円弧凸形状の突出距離をｄとし、その摺動方向の突出長さをｌとする。
【００５０】
このように側部操作面Ｉに対して、例えば、直径がφ＝２０ｍｍの円形及び、円弧角２θ＝５８．４°を設定すると、露出部分の突出距離ｄ＝１．３ｍｍ、その突出長さｌ＝１０．０８ｍｍ、その外周長さｌ’＝１０．１８ｍｍ程度のキートップ１４の突出部分の形状を得ることができる。
【００５１】
なお、円弧凸形状の露出部分の外周長さｌ’は２π・φ・θ／３６０°で与えられる。この例で、キートップ１４の露出部分の外周長さｌ’と摺動操作によりセンサ１３から得られるパルスの数を設定する場合、センサ１３から６パルスを得ようとする場合は、摺動距離は１．７ｍｍ／パルスに設定される。同様にして５パルスを得ようとする場合は、摺動距離は２．０３ｍｍ／パルスに設定され、４パルスを得ようとする場合は、摺動距離は２．５４５ｍｍ／パルスに設定され、３パルスを得ようとする場合は、摺動距離は３．３９ｍｍ／パルスに設定される。
【００５２】
図４は入力装置１０の検出感度例を示すグラフ図である。図４において、横軸は摺動方向のスライド位置である。縦軸はセンサ１３の検出感度である。図中、Ｘは上り開始部（第１裾部）の位置であり、キートップ１４を下部筐体１１ｂの一方の操作面から摺動方向に沿って摺動操作したとき、キートップ１４の円弧凸形状が盛り上がりを開始する位置である。Ｙは下り終了部（第２裾部）の位置であり、このキートップ１４を他方の操作面に向かって引き続き摺動操作したとき、キートップ１４の円弧凸形状が盛り下がりを終了する位置である。
【００５３】
この例で、センサ１３の検出感度に関しては、例えば、センサ１３に静電容量シート部材を使用した場合、キートップ１４の円弧凸形状の上り開始部Ｘより手前では一定（最高感度）の検出感度が得られる。また、上り開始部Ｘから下り終了部Ｙへ近づくに伴ってその検出感度が低下し、ほぼ中央部位で最低感度に至る。更に、中央部位から下り終了部Ｙへ近づくに伴ってその検出感度が上昇し、その下り終了部Ｙを越え、それ以降では一定（最高感度）の検出感度が得られる。このようなキートップ１４の突出距離ｄが摺動方向に対して、二次関数的に変化する凹状（逆Ω状）を成した検出感度のセンサ１３が使用される。
【００５４】
図５は入力装置１０の位置検出例を示すグラフ図である。図５において、横軸は摺動操作に係る時間である。縦軸はセンサ１３の位置検出情報である。図中、Ｘは上述の上り開始部（第１裾部）の位置であり、Ｙはその下り終了部（第２裾部）の位置である。
【００５５】
この例で、センサ１３の位置検出情報に関しては、例えば、センサ１３に静電容量シート部材を使用した場合、キートップ１４の円弧凸形状の上り開始部Ｘより手前から、一定の摺動速度で、下部筐体１１ｂの一方の操作面から摺動方向に沿って盛り上がり、かつ、他方の操作面に向かって盛り下がり、下り終了部Ｙを経て摺動するように操作すると、上り開始部Ｘと下り終了部Ｙとをほぼ直線で結ばれる位置情報を得ることができる。
【００５６】
この位置検出情報によれば、時刻ｔ１で上り開始部Ｘを通過すると、上り開始部Ｘを示す位置検出情報が得られ、時刻ｔ２で下り終了部Ｙを通過すると、下り終了部Ｙを示す位置検出情報が得られる。このようなキートップ１４の摺動操作に係る時間に対して、一次関数的に変化する位置検出情報が得られるセンサ１３が使用される。
【００５７】
従来方式では、操作体の摺動位置を位置検出情報の値のみで判別していたが、図４及び図５に示した検出感度及び位置検出情報を出力するセンサ１３を使用すると、位置検出情報の値と、位置検出情報及び検出感度の各々の時間変化率を併せて、操作体の摺動位置と押し込み力等を総合的に判断して、表示部２９に表示されたアプリケーションを入力処理できるようになる。これにより、当該入力装置１０において、ドームスイッチを組み合わせた場合に、意図せずにドームスイッチに触れてしまった場合等において、誤動作を防止できるようになる（第３の実施例参照）。
【００５８】
図６は、入力装置１０の操作範囲例を示す断面図である。図６において、（１）は入力装置１０の操作範囲であり、実際に操作者の指３９ａが摺動する範囲を示している。（２）はキートップ１４の突出領域（露出部分の突出長さｌ）を示している。（３）はセンサ１３における検出領域を示している。この検出領域の一部又は全部には静電容量シート部材や、圧力検出シート部材等が敷き詰められる。
【００５９】
この例では、入力装置１０の確実な操作性を実現するために、センサ１３の検出領域（３）＞キートップ１４の突出領域（２）なる関係に設定している。これは、操作者の指３９ａがキートップ１４上を摺動操作する際の摺動軌跡を考えたとき、キートップ１４の突出領域（２）の前後の領域を広い範囲に渡って指３９ａがなぞるためである。センサ１３の検出領域（３）を広く設定すると、１パルス当たりの移動量を多く確保できるようになる。
【００６０】
センサ１３には制御部１５が接続され、操作者の指３９ａの摺動操作速度を検出し、当該操作者の指３９ａの摺動操作速度に応じて表示部２９（図２、図７Ａ参照）におけるスクロール画像２９ａ，２９ｂの表示ピッチを調整するようになされる。
【００６１】
図７Ａ及びＢは、入力装置１０におけるスライド量Ｓｘの設定例を示す断面図である。図７Ａに示す表示部２９には、センサ１３によって検出された操作者の指３９ａの摺動位置に対応してスクロール画像２９ａや２９ｂ等を表示するようになされる。この例のスクロール画像２９ａは、選択項目が少ない表示文字選択等に係るアプリケーションによる表示である。このスクロール画面には、「大  こんにちは」、「中  こんにちは」及び「小  こんにちは」の文字アイコン画像が表示され、操作者がいずれかの文字の大きさを設定するように操作される。「こんにちは」の文字アイコン画像は徐々に小さく表示されている。
【００６２】
この例では、表示部２９の表示画面が８個の表示領域に区切られ、この４個の表示領域を使用して、表示文字選択に係るスクロール画像２９ａが表示されている。当該スクロール画像２９ａの表示ピッチはＰ１で表示される。表示部２９の画面の長さをＬ［ｍｍ］としたとき、１つ表示領域は、約Ｌ／８ｍｍである。例えば、表示部２９の画面の長さＬを４０ｍｍすると、１つ表示領域は５ｍｍで表示ピッチＰ１は５ｍｍである。表示ピッチＰ１＝５ｍｍに対して、１画面に収まる選択項目の個数ｘがＭａｘ個以下の場合には、例えば、キートップ１４のスライド量ＳｘとしてＳ１＝４ｍｍが設定される。
【００６３】
これに対して、図７Ｂに示す表示部２９には、表示ピッチＰ２でスクロール画像２９ｂが表示される。この例では、図７Ａに示した表示ピッチＰ１に比べて図７Ｂに示した表示ピッチＰ２は、Ｐ２＝Ｐ１／２に設定される場合である。この場合は、図７Ａの表示文字選択等に係るアプリケーションの表示に比べて選択項目が多く、電話番号登録欄から相手方の電話番号を検索するような入力処理が想定される。この電話番号登録欄には、例えば、着信履歴、発信履歴、発信頻度等の表示欄が設けられ、相手方の名前と共に電話番号が表示される。
【００６４】
図７Ａに示した表示部２９の画面の長さＬの例によれば、図７Ｂに示すように１つ表示領域は２．５ｍｍで表示ピッチＰ２は２．５ｍｍに切り替えられる。この例では、表示ピッチＰ２＝２．５ｍｍに対して、１画面に収まる選択項目の個数ｘがＭａｘ個を越える場合であって、例えば、キートップ１４のスライド量ＳｘとしてＳ２＝２ｍｍが設定される。これにより、表示部２９の１画面内に表示される選択項目の個数に応じて、キートップ１４の摺動操作におけるスライド量Ｓｘ＝Ｓ１，Ｓ２のように設定できるようになる。もちろん、センサ１３の電気的な検知領域（３）の長さと、スクロール方向に存在する選択項目の全個数とに基づいてキートップ１４のスライド量Ｓｘを任意に設定するようにしてもよい。
【００６５】
このように制御系を構成すると、情報検索時、操作者の指３９ａの摺動操作速度が速い場合は、表示部におけるスクロール画像２９ｂの表示ピッチＰｘを狭く設定すること、反対に、操作者の指３９ａの摺動操作速度が遅い場合には、表示部におけるスクロール画像２９ａの表示ピッチＰｘを広く設定するように調整できるようになる。従って、情報検索対象が複数存在する場合において、目的のスクロール画像から遠い場合は、スクロール画像を荒く飛ばすように送り、目的のスクロール画像に近づいたときは、ゆっくりとスクロール画像を送るように検索できるようになる。
【００６６】
図８Ａ〜Ｃは、入力装置１０の操作例を示す概念図である。この例では、当該入力装置１０を左手で操作する場合であって、下部筐体１１ｂの一方の操作面から摺動方向に沿って盛り上がり、かつ、他方の操作面に向かって盛り下がる円弧凸形状を有したキートップ１４が使用される。センサ１３には静電容量シート部材が使用され、センサ１３で操作者の指３９ａの摺動位置を検出する検出領域が、キートップ１４で当該操作者の指３９ａによって摺動操作される操作領域よりも広く設定されている場合を例に挙げる。
【００６７】
図８Ａにおいて、まず、操作者は入力装置１０の操作範囲（１）の上部に左手の親指を押し当てる。次に、操作者の指３９ａを下部筐体１１ｂの一方の操作面から摺動方向に沿って摺動する。このとき、下部筐体１１ｂ内では、操作者の指３９ａがセンサ１３における検出領域（３）上を摺動するようになる。
【００６８】
操作者の指３９ａでキートップ１４の露出部分の突出領域（２）上における摺動操作を続けると、上り開始部Ｘから盛り上がり、図８Ｂに示すキートップ１４の頂上部位に到達する。更に、突出領域（２）上における摺動操作を続けると、他方の操作面に向かって盛り下がり、図８Ｃに示すキートップ１４の下り終了部Ｙに到達する。
【００６９】
この例で、図８Ａ〜図８Ｃに摺動操作される間、センサ１３は、操作者の指３９ａの摺動位置を検出して位置検出信号を制御部１５に出力する。これにより、操作者の指３９ａによる摺動操作に対し、下部筐体１１ｂの一方の操作面から摺動方向に沿って円弧状に盛り上がる摺動操作感覚に加えて、他方の操作面に向かって盛り下がる円弧状の摺動操作感覚を与えることができる。しかも、従来方式の回転型のサイドジョグツールと異なる構造であって、当該サイドジョグツールとほぼ類似の操作感覚が得られる非回転型のサイドジョグツール等を提供できるようになる。
【００７０】
図９は入力装置１０におけるスライド量Ｓｘの設定例（固定値選択）を示すフローチャートである。この例では、図７Ａ及びＢに示したように、表示部２９の１画面内に収まる選択項目の個数ｘがＭａｘ個以下の場合には、キートップ１４のスライド量ＳｘとしてＳ１＝４ｍｍが設定され、１画面内に収まる選択項目の個数ｘがＭａｘ個を越える場合は、キートップ１４のスライド量ＳｘとしてＳ２＝２ｍｍが設定される場合を例に挙げる。
【００７１】
これらを設定条件にして、図９に示すフローチャートのステップＳＴ１で制御部１５は各種アプリケーションの入力指示を待機する。このとき、操作者は、例えば、選択項目が少ない表示文字選択等に係るアプリケーションや、表示文字選択等に係るアプリケーションの表示に比べて選択項目が多い電話番号登録欄のアプリケーション等のスクロール画像２９ｂの表示を入力装置１０を介して入力指示するように操作される。アプリケーションを指定する入力が無い場合、制御部１５は各種アプリケーション指定の待機を継続する。
【００７２】
各種アプリケーションを指定する入力が制御部１５に有った場合は、ステップＳＴ２に移行して制御部１５は、表示部２９の１画面内に選択項目を成すスクロール画像２９ａや２９ｂ等が複数存在するか否かを判別する。この際の判別に関しては、スクロール方向に選択項目がいくつ存在するか否かを検出する。図７Ａに示したようなスクロール画像２９ａの表示例によれば、表示部２９の１画面内に表示ピッチが５ｍｍで最大８個（Ｍａｘ）の選択項目が表示可能とされ、先の表示例ではスクロール方向に存在する選択項目の個数ｘは４個の場合である。
【００７３】
この判別結果で、スクロール方向に存在する選択項目の個数ｘがＭａｘ個以下である場合は、ステップＳＴ３に移行して制御部１５は、スライド量ＳｘをＳ１＝４ｍｍに設定して選択項目を表示するように表示部２９を制御する。このとき、表示部２９は、制御部１５の表示制御を受けて、図７Ａに示したようなスクロール画像２９ａを表示するようになる。その後、ステップＳＴ１に戻る。
【００７４】
上述の選択項目の個数ｘがＭａｘ個を越える場合は、ステップＳＴ４に移行して制御部１５は、スライド量ＳｘをＳ２＝２ｍｍに設定して、選択項目の表示を切り替えるように表示部２９を制御する。このとき、表示部２９は、制御部１５の表示制御を受けて、例えば、図７Ａに示したような表示ピッチＰ１のスクロール画像２９ａから、図７Ｂに示したような表示ピッチＰ２のスクロール画像２９ｂを切り替えて表示するようになる。その後、ステップＳＴ１に戻る。これにより、表示部２９の１画面内に表示される選択項目の個数ｘに応じて、キートップ１４の摺動操作におけるスライド量Ｓｘ＝Ｓ１，Ｓ２のように設定できるようになる。
【００７５】
図１０は入力装置１０におけるスライド量Ｓｘの他の設定例（設定値可変）を示すフローチャートである。この例では、センサ１３の電気的な検知領域（３）の長さをＸｓ［ｍｍ］とする場合について例を挙げる。
【００７６】
これをスライド量Ｓｘの設定条件にして、図１０に示すフローチャートのステップＳＴ１１で制御部１５は各種アプリケーションの指定を待機する。このとき、操作者は、例えば、選択項目が少ない表示文字選択等に係るアプリケーションや、表示文字選択等に係るアプリケーションの表示に比べて選択項目が多い電話番号登録欄のアプリケーション等のスクロール画像２９ａや２９ｂ等の表示を入力装置１０を介して入力するように操作される。アプリケーションを指定する入力が無い場合は、各種アプリケーション指定の待機を継続する。
【００７７】
各種アプリケーションを指定する入力が制御部１５に有った場合は、ステップＳＴ１２で移行して制御部１５は、スクロール方向に存在する選択項目の全個数Ｙｓを検出する。この例では、スクロール方向に選択項目がいくつ存在するか否かを検出する。例えば、当該アプリケーションに係る選択項目が格納されたメモリを検索して、スクロール方向に存在する選択項目の全個数Ｙｓ個を読み出す。
【００７８】
その後、ステップＳＴ３に移行して、制御部１５はキートップ１４のスライド量Ｓｘを演算して表示部２９へ設定する。この例では、スクロール方向に存在する選択項目の全個数をＹｓ個とし、センサ１３の電気的な検知領域（３）の長さＸｓ［ｍｍ］としたとき、制御部１５はＸｓ／Ｙｓ個を演算してスライド量Ｓｘ＝Ｘｓ／Ｙｓを表示部２９に設定する。その後、ステップＳＴ１１に戻る。これにより、センサ１３の電気的な検知領域（３）の長さＸｓと、スクロール方向に存在する選択項目の全個数Ｙｓとに基づいてキートップ１４のスライド量Ｓｘを任意に設定できるようになる。
【００７９】
このように、本発明に係る携帯電話機１０１によれば、第１の実施例に係る入力装置１０が備えられ、操作者の指３９ａによる一方向への摺動操作によって情報を入力する場合に、当該入力装置１０を操作する操作者の指３９ａによる摺動操作に対し、下部筐体１１ｂの一方の操作面から摺動方向に沿って盛り上がる摺動操作感覚に加えて、他方の操作面に向かって盛り下がる摺動操作感覚を与えることができる。
【００８０】
従って、従来方式の回転型のサイドジョグツールと異なる構造であって、当該サイドジョグツールとほぼ類似の操作感覚が得られる非回転型のサイドジョグツール等を提供できるようになる。しかも、キートップ１４の小型化及び操作性を向上できることから、当該入力装置１０の誤動作の低減、コストダウン、及び、製造プロセスの簡素化を図ることができる。
【００８１】
この例では、図１に示したようにキートップ１４を下部筐体１１ｂの左側に設ける場合について説明したが、もちろん、これに限られることはなく、キートップ１４や、以下に述べる他のキートップ等の操作部は、下部筐体１１ｂの右側部の操作面や、その上又は下側の操作面、表又は裏面側の操作面等に設けてもよい。更に、上部筐体１１ａの左又は右側部の操作面や、その上又は下側の操作面、その表又は裏面側の操作面等に操作部を設けてもよい。下部筐体１１ｂの右側や上部筐体１１ａ等に設ける場合についても、同様な効果が得られることは言うまでもない。
【実施例２】
【００８２】
図１１は、第２の実施例としての入力装置２０の内部構成例を示す断面図である。この実施例では、振動体の機能を構成するアクチュエータ機能付きのスピーカー３６ｂが図１１に示す入力装置２０に設けられ、センサ１３によって検出された操作者の指３９ａの摺動位置に対して振動を発生するようになされる。スピーカー３６ｂには、図１２に示すようなスピーカー機能を兼用する振動体が使用される。スピーカー３６ｂは、例えば、下部筐体１１ｂの内側であって、キートップ１４の配設位置に近い部分に取り付けられる。
【００８３】
図１２は、アクチュエータ機能付きのスピーカー３６ｂの構成例を示す正面から見た断面図である。図１２に示すスピーカー３６ｂは、スピーカー機能の他に、触覚を発生させることのできるアクチュエータ機能を有している。このスピーカー３６ｂは、入力項目選択用の表示画面の中からアイコンを選択して情報を入力する際に操作者に対して触覚を提示する情報処理装置や、携帯電話機、携帯端末装置等に適用可能なものである。
【００８４】
スピーカー３６ｂは、ハウジング部６を有しており、構成部品が組み入れられた後に蓋部材１が係合される。ハウジング部６の大きさは、長さが１５［ｍｍ］程度で、幅が５［ｍｍ］程度、高さが３［ｍｍ］程度である。蓋部材１には所定部位に開口部が設けられている。この例では、音が外部に漏れ出るように４個の開口部１ａ，１ｂ，１ｃ，１ｄを有している。蓋部材１には、例えば、樹脂成型品が使用される。
【００８５】
ハウジング部６内にはヨーク５が配置されている。ヨーク５は有底筒状の凹部５ａを有しており、ハウジング部６内に可動自在に配されている。例えば、ヨーク５は、ハウジング部６内で２つの平型波形状のスプリングバネ５１，５２によって可動自在に支持されている。
【００８６】
この例で、スプリングバネ５１は、一端がヨーク５の凹部５ａの一方の縁部に接合され、他端がハウジング部６の一方の上縁部に固定されている。スプリングバネ５２は、一端がヨーク５の凹部の他方の縁部に接合され、他端がハウジング部６の他方の上縁部に固定されている。この例では、振動系を弾性的に支持するスプリング部材の形状が平型波形状になされている。
【００８７】
ハウジング部６内で可動自在に支持されるヨーク５の底部には、マグネット４（永久磁石）が固定されている。マグネット４には、例えば、円柱状を有したネオジウムが使用される。マグネット４の周囲には可動用のコイル３（ボイスコイル）が可動自在に配されている。コイル３は巻き軸部を有している。コイル３には音声信号や、振動発生信号等を供給するようになされる。
【００８８】
上述のコイル３の巻き軸部の一方の側には、振動板２が取り付けられており、その外縁部位は蓋部材１とハウジング部６とで挟持するようになされる。また、ハウジング部６の底面外部には引出電極７ａ，７ｂが設けられ、ハウジング部６内部ではコイル３に接続される。引出電極７ａ，７ｂには、音声信号や、振動発生信号等が入力される。
【００８９】
また、ハウジング部６の底面外部に設けられた２つの引出電極７ａ，７ｂの間であって、ハウジング部６の底面部には、例えば、２個の開口部６ａ，６ｂが設けられている。この２個の開口部６ａ，６ｂの外部側には、メッシュシール８ａ，８ｂが貼付されている。メッシュシール８ａは開口部６ａを覆うように、また、メッシュシール８ｂは開口部６ｂを覆うように設けられる。このメッシュシール８ａ，８ｂの機能は、ハウジング部６の内側と外側における呼吸機能を確保するためである。
【００９０】
引出電極７ａは端子７ｃを有し、引出電極７ｂは端子７ｄを有しており、ハウジング部６の側壁において、コイル３の引出線３ａ，３ｂに接続される。例えば、コイル３から引き出された一方の引出線３ａは、振動板２の一方の側の裏面を通って外縁部に至り、ハウジング部６の上縁部から外部へ取り出され、側壁を下方に移行して、端子７ｃに至り引出電極７ａに接続される。同様にして、コイル３から引き出された他方の引出線３ｂは、振動板２の他方の側の裏面を通って外縁部に至り、ハウジング部６の上縁部から外部へ取り出され、側壁を下方に移行して、端子７ｄに至り引出電極７ｂに接続される。
【００９１】
なお、ヨーク５は有底筒状の凹部５ａの他に、左アーム５ｂ及び右アーム５ｃを有している。左アーム５ｂ及び右アーム５ｃの下面には、おもり９ａ，９ｂが接合されている。右アーム５ｃの下面にも、接着剤を使用して、おもり９ｂを接合する。おもり９ａ，９ｂの  左アーム５ｂの下面には、接着剤を使用して、おもり９ａを接合する。右アーム５ｃの下面にも、接着剤を使用して、おもり９ｂを接合する。おもり９ａ，９ｂの重さは、例えば、いずれも０．５９７［ｇ］程度である。これらのおもり９ａ，９ｂの厚みは、いずれも２ｍｍ前後であり、左アーム５ｂ及び右アーム５ｃの各々の下面からハウジング部６の底面に至る間の距離にほぼ等しい。おもり９ａ，９ｂの下面とハウジング部６の底面との間には、極わずかな隙間を設けている。これは、おもり９ａ，９ｂの重さを確保しつつ、コイル巻き軸部の方向にけるヨーク５の上・下間のストローク（空間）を確保するためである。
【００９２】
このように第２の実施例としての入力装置２０によれば、アクチュエータ機能付きのスピーカー３６ｂが実装され、入力操作時又は入力確定時に、操作者の指３９ａの摺動位置に対してスピーカー３６ｂで振動を発生させることができ、操作者の指３９ａに対して触覚を提示できるようになる。
【００９３】
この例では、図１１に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例３】
【００９４】
図１３は、第３の実施例としての入力装置３０の構成例を示す分解斜視図である。この実施例ではドームスイッチ２５が設けられ、キートップ１４の押し込み操作によってオン又は／及びオフするように操作される。
【００９５】
図１３に示す入力装置３０は、先に説明した入力装置２０に対して、長方形状の押し子１９及び半球状のドームスイッチ２５が追加される。入力装置３０によれば、下部筐体１１ｂの開口部１１ｃにキートップ１４が組み込まれる。
【００９６】
キートップ１４は、例えば、円弧凸形状を象った金型にＰＣ（ポリカーボネート）樹脂や、ＰＣ＋ＡＢＳ樹脂等を射出して成形したものが使用される。この例では、キートップ１４を成形した後、ＵＶ（紫外線）塗装を施す。例えば、摩耗性を向上させる溶液をキートップ１４の操作面に塗布する。その後、紫外線を照射して塗膜面を硬化させる。これにより、キートップ１４の操作面の耐摩耗性を向上させることができる。
【００９７】
また、下部筐体１１ｂは、例えば、開口部１１ｃを象った金型にＰＣ（ポリカーボネート）樹脂や、ＰＣ＋ＡＢＳ樹脂等を射出して成形したものが使用される。
【００９８】
下部筐体１１ｂを金属で形成する場合は、アルミニウム板や、マグネシウム板、ＳＵＳ３０４等のステンレス板を用い、これらの部材をプレス加工、深絞り加工、あるいは、押出し加工により、所定の位置に開口部１１ｃを有した下部筐体１１ｂを形成する。この例で、キートップ１４は、その非操作面が下部筐体１１ｂの内側に向けて組み合わされ、キートップ１４の鍔状のフランジ１４ａが開口部１１ｃの内側に引っ掛けられる。これにより、キートップ１４が開口部１１ｃから抜け出るのを防止される。
【００９９】
キートップ１４の内側には、センサ１３、押し子１９、ドームスイッチ２５及び回路基板１７の順序で配置される。センサ１３は例えば、操作パネル１８で数字「０」〜「９」のテンキーや、「＊」キー、「＃」キー等を成すキートップアレイ３８に連続して形成される。キートップアレイ３８の個々のキーは矩形状を有している。キートップアレイ３８は、例えば、数字「０」〜「９」のテンキーや、「＊」キー、「＃」キー等を成す金型にシリコン樹脂等を射出してシリコンラバーを形成し、その後、シリコンラバーに静電容量シート又は、圧力検出シートを貼付して形成するようになされる。押し子１９はセンサ１３と回路基板１７の側部との間で挟持されるように配置される。回路基板１７は、例えば、フレキシブル配線板上にメタルドームを形成し、その上部に防水及び防塵シートを貼付したものが使用される。
【０１００】
この例で、押し子１９は、ほぼセンサ１３の検出領域（３）と等しい長さを有している。押し子１９の平面上に静電容量シート部材等のセンサ１３を安定した姿勢で保持（裏打ち）するためである。回路基板１７にはドームスイッチ２５が実装される。ドームスイッチ２５は、キートップ１４の押し込み投影下部の位置に設けられ、スイッチ部２５ａ及びカバー部材２５ｂから構成される。スイッチ部２５ａはバネ部材及び電極部材から構成され、カバー部材２５ｂは絶縁部材から構成される。
【０１０１】
ドームスイッチ２５は、バネ部材の付勢力に打ち勝って強く指３９ａ等により押し込むことで、例えば、ＯＮする。ドームスイッチ２５から指３９ａを離すと、バネ部材の付勢力によって、キートップ１４を下部筐体１１ｂの開口部１１ｃへ当接するようになされる。回路基板１７にはドームスイッチ２５の他に操作パネル１８の数字「０」〜「９」のテンキーや、「＊」キー、「＃」キー等を成す複数のキースイッチが実装される。
【０１０２】
図１４は、入力装置３０の構成例及びその機能例を示す上面から見た断面図である。図１４に示す入力装置３０によれば、押し子１９のほぼ中央部位には突起部１９ａが設けられる。突起部１９ａは所定の突出長さを有した、例えば、円柱状を成し、その先端部で回路基板１７のドームスイッチ２５を押下できる位置に配置され、キートップ１４によって矢印の方向に押し込み操作される。図中、回路基板１７にはプリント配線１２が設けられ、ドームスイッチ２５から制御部１５（図６参照）へ配線され、オン又は／及びオフによるスイッチ信号を電送するようになされる。入力装置３０の操作例については図８を参照されたい。
【０１０３】
このように第３の実施例に係る入力装置３０によれば、回路基板１７の側部には、キートップ１４、センサ１３、押し子１９を介して押下されるドームスイッチ２５を備え、スクロール画像２９ａや２９ｂ等の情報選択後、キートップ１４を押し込み操作するようになされる。従って、ドームスイッチ２５をオン又は／及びオフすることで、無回転型のキートップ１４においても、入力を決定する際の確定キーに応用できるようになった。
【０１０４】
この例では、図１４に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例４】
【０１０５】
図１５は、第４の実施例としての入力装置４０の内部構成例を示す断面図である。この実施例では、第２の実施例で説明したようなアクチュエータ機能付きのスピーカー３６ｂが図１５に示す入力装置４０に設けられ、センサ１３によって検出された操作者の指３９ａの摺動位置に対して振動を発生するようになされる。スピーカー３６ｂには、図１２に示したようなスピーカー機能を兼用する振動体が使用される。スピーカー３６ｂは、例えば、入力装置４０の下部筐体１１ｂの内側であって、キートップ１４の配設位置に近い部分に取り付けられる。その他の構成部品については、第１〜第３の実施例と同様であるのでその説明を省略する。入力装置４０の操作例については図８を参照されたい。
【０１０６】
このように第４の実施例としての入力装置４０によれば、第３の実施例に係る入力装置３０に対して、アクチュエータ機能付きのスピーカー３６ｂが実装され、入力操作時又は入力確定時に、第２の実施例と同様にして、操作者の指３９ａの摺動位置に対してスピーカー３６ｂで振動を発生させることができ、操作者の指３９ａに対して触覚を提示できるようになる。
【０１０７】
この例では、図１５に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例５】
【０１０８】
図１６は、第５の実施例としての入力装置５０の内部構成例を示す断面図である。この実施例では、押し子１９に代えて突起部材１９ｃが後付けされるものである。図１６に示す入力装置５０は、先に説明した入力装置４０から長方形状の押し子１９を削除し、その代わりに突起部材１９ｃを配置するようになされる。
【０１０９】
キートップ１４の内側には、センサ１３、突起部材１９ｃ、ドームスイッチ２５及び回路基板１７の順序で配置される。突起部材１９ｃはセンサ１３と回路基板１７の側部との間に挟持するように配置される。この例で、突起部材１９ｃは、ほぼセンサ１３の検出領域（３）のほぼ中央部位に例えば、接着剤で貼付するようになされる。もちろん、センサ１３の形成工程において、突起部材１９ｃを一体成形してもよい。
【０１１０】
この方法を採ったのは、第３の実施例で静電容量シート部材のセンサ１３を押し子１９の平面部位で裏打ちしていたのに対して、静電容量シート部材等の平面の折れ曲がり強度等が十分保持される場合は、裏打ち部材を省略できることによる。その他の構成部品については、第１〜第４の実施例と同様であるのでその説明を省略する。入力装置５０の操作例については図８を参照されたい。
【０１１１】
このように第５の実施例に係る入力装置５０によれば、回路基板１７の側部には、キートップ１４、センサ１３、突起部材１９ｃを介して押下されるドームスイッチ２５を備え、スクロール画像２９ａや２９ｂ等の情報選択後、キートップ１４を押し込み操作するようになされる。従って、ドームスイッチ２５をオン又は／及びオフすることで、無回転型のキートップ１４においても、入力を決定する際の確定キーに応用できるようになった。しかも、突起部材１９ｃがセンサ１３に対して後付けされるので、部品点数及び部品コストを低減できるようになる。
【０１１２】
この例では、図１６に示したようにキートップ１４を下部筐体１１ｂの左側に設ける場合について説明したが、もちろん、これに限られることはなく、下部筐体１１ｂの右側に設ける場合についても、同様な効果が得られることは言うまでもない。
【実施例６】
【０１１３】
図１７は、第６の実施例としての入力装置６０の内部構成例を示す断面図である。この実施例では、裏面平坦形状のキートップ１４に代えて、裏面凹部状を有したキートップ１４１及び、押し子１９に代えて裏面凹部状を有したキートップ裏面挿入型の押し子１９１が備えられるものである。
【０１１４】
図１７に示す入力装置６０によれば、キートップ１４１の操作面は、図１〜図１６に示したキートップ形状と同一の円弧凸形状であるが、その裏面が凹部状を有している。この例で押し子１９１には、キートップ１４１の裏面凹部に挿入可能な凸部形状を成したものが使用される。例えば、キートップ１４１の内側凹部形状を象った金型に樹脂を封入してその凸形状を成した押し子１９１を形成する。押し子１９１のほぼ中央部位には、押し子１９１と同様にして突起部９１ｂが設けられる。
【０１１５】
入力装置６０においても、下部筐体１１ｂの開口部１１ｃにキートップ１４１が組み込まれる。このとき、キートップ１４１は、第３の実施例と同様にして、その非操作面が下部筐体１１ｂの内側に向けて組み合わされ、キートップ１４１の鍔状のフランジ１４ａが開口部１１ｃの内側に引っ掛けられる。これにより、キートップ１４１が開口部１１ｃから抜け出るのを防止される。
【０１１６】
キートップ１４１の内側凹部には、センサ１３、押し子１９１、ドームスイッチ２５及び回路基板１７の順序で配置される。押し子１９１の突起部９２ｂはセンサ１３を押し込み可能な位置に配置される。押し子１９１はキートップ１４１の内側凹部にセンサ１３を沿うように配置される。この例でも、押し子１９１は、ほぼセンサ１３の検出領域（３）と等しい長さを有している。ドームスイッチ２５の機能については第３の実施例で説明しているので、その説明を省略する。もちろん、図示しないアクチュエータ機能付きのスピーカー３６ｂを備えてもよい。入力装置６０の操作例については図８を参照されたい。
【０１１７】
このように第６の実施例に係る入力装置６０によれば、回路基板１７の側部には、キートップ１４１、センサ１３、押し子１９１を介して押下されるドームスイッチ２５を備え、スクロール画像２９ａや２９ｂ等の情報選択後、キートップ１４１を押し込み操作するようになされる。従って、ドームスイッチ２５をオン又は／及びオフすることで、無回転型の裏面凹部状を成すキートップ１４１においても、入力を決定する際の確定キーに応用できるようになる。この構造は、下部筐体１１ｂの内側面と回路基板１７との間に十分なスペース（離隔距離）を確保できない場合に、有利に働き、入力装置６０のコンパクト化に寄与するところが大きい。
【０１１８】
この例では、図１７に示したようにキートップ１４１を下部筐体１１ｂの左側に設ける場合について説明したが、もちろん、これに限られることはなく、下部筐体１１ｂの右側に設ける場合についても、同様な効果が得られることは言うまでもない。
【０１１９】
図１８は、第６の実施例に係る変形例としての入力装置６１の内部構成例を示す断面図である。この変形例では、下部筐体１１ｂ’の凹部操作領域IIｂにキートップ１４１が備えられるものである。図１８に示す入力装置６１は下部筐体１１ｂ’を有しており、この下部筐体１１ｂ’には凹部操作領域IIｂが設けられる。凹部操作領域IIｂは、図１７に示した下部筐体１１ｂに比べてその操作面が一段凹んだ穴領域又は溝領域を成すものである。
【０１２０】
凹部操作領域IIｂには、キートップ１４１が配設される。例えば、キートップ１４１は、凹部操作領域IIｂの両端を結んだ破線部分よりも、一段凹んだ領域に配設され、下部筐体１１ｂ’の操作面（側面）からキートップ１４１の頂点部位が飛び出ない構造となされている。キートップ１４１の操作面は、図１７に示したキートップ形状と同一の円弧凸形状であって、その裏面も凹部状を成している。
【０１２１】
この例も、ドームスイッチ２５は回路基板１７上であって、キートップ１４１の押し込み投影下部の位置に設けられ、入力装置６０と同様な機能を有している。この例でもセンサ１３は押し子１９１上に設けられ、検出領域（３）’を有しているが、下部筐体１１ｂ’に凹部操作領域IIｂを設けたことで、検出領域（３）’は入力装置６０のセンサ１３に比べてやや狭く設定されている。
【０１２２】
この例で、回路基板１７と下部筐体１１ｂ’との間には、ドームスイッチ２５、突起部９１ｂ、押し子１９１等がキートップ１４１の押し込み投影下部の位置に設けられることから、離隔距離α１が発生する。なお、押し子１９１及び突起部９１ｂの構成例、それらの形成例及びそれらの組立例については、図１７に示した入力装置６０と同様な構成例、形成例及び組立例が採られるので、その説明を省略する。
【０１２３】
このように変形例に係る入力装置６１によれば、下部筐体１１ｂ’に凹部操作領域IIｂが設けられ、その両端を結んだ破線部分よりも、一段凹んだ領域にキートップ１４１が配設されているので、下部筐体１１ｂ’の操作面（側面）からキートップ１４１の頂点部位が飛び出ない構造を採ることができる。従って、手触りフラット感を有する入力装置６１が提供され、入力装置６０に比べて下部筐体１１ｂ’の側面操作性を向上できるようになる。
【０１２４】
図１９は、入力装置６１の変形例としての入力装置６２の内部構成例を示す断面図である。この変形例では、下部筐体１１ｂ’の凹部操作領域IIｂにキートップ１４１’が備えられるが、ドームスイッチ２５がキートップ１４１’の押し込み投影下部以外の位置に設けられるものである。
【０１２５】
図１９に示す入力装置６２は、図１８に示した入力装置６１と同様にして凹部操作領域IIｂ付きの下部筐体１１ｂ’を有している。凹部操作領域IIｂには、キートップ１４１’が配設されるが、キートップ１４１’の裏面側には、図１８に示したような押し子１９１が省略されるものである。
【０１２６】
この例で、ドームスイッチ２５は回路基板１７上であって、キートップ１４１’の押し込み投影下部以外の位置、例えば、開口部１１ｃの下方の位置に設けられ、入力装置６０と同様な機能を有して構成される。キートップ１４１’は、図１８に示したキートップ１４１の形状に加えてアーム部１９１’及び突起部９１ｂ’を有しており、例えば、キートップ１４１、アーム部１９１’及び突起部９１ｂ’が樹脂で一体成形されるものである。
【０１２７】
アーム部１９１’はキートップ１４１’の本体（キートップ１４１に相当）の一端から下部筐体ｂ’の内壁を沿ってドームスイッチ２５上に延在するように設けられる。アーム部１９１’の終端部はほぼ９０°に屈曲され、その終端部に突起部９１ｂ’が設けられている。キートップ１４１’では、図１８に示したキートップ１４１と同様にして、その頂点部を押下すると、キートップ１４１と異なり、アーム部１９１’が押下又は所定の支点部を基準にして垂下することで、アーム部１９１’の姿勢が変化するようになる。この姿勢変化によって、アーム部１９１’の突起部９１ｂ’がドームスイッチ２５上を押下するように動作する。
【０１２８】
この例でセンサ１３’は検出領域（３）’を有しているが、図１８に示した入力装置６１と同様にして下部筐体１１ｂ’に凹部操作領域IIｂを設けたので、入力装置６０のセンサ１３に比べてやや狭く設定されている。センサ１３’は、図１８に示したセンサ１３が押し子１９１上に設けられるのに対して、この例では、回路基板１７からキートップ１４１’の裏面側へ延在するように配設される。この回路基板１７には、入力装置６１と同様にしてプリント配線１２が設けられるが、センサ１３’をフレキシブルなセンサシート構造とすることで、プリント配線１２とセンサ１３’とを一体形成することができ、部品点数を低減できるようになる。
【０１２９】
また、キートップ１４１’の押し込み投影下部には、ＬＥＤ光源等の発光素子９３が配置され、キートップ１４１’の裏側から青、赤、緑色等の光を照射できるようになされている。発光素子９３からの光はキートップ１４１’の中央部位から目視確認できるようになる。このような採光構造を採ることで、キートップ１４１’への光導伝部材や導光機能部品等を省略できるようになる。光導伝部材１６１を用いる例を図４５に示している。
【０１３０】
この例で、ドームスイッチ２５、突起部９１ｂ’、アーム部１９１’等をキートップ１４１’の押し込み投影下以外の位置に設けられることから、回路基板１７と下部筐体１１ｂ’との間に離隔距離α２を設定できるようになる。入力装置６１の離隔距離α１と、入力装置６２の離隔距離α２との間には、差分β＝α１−α２が生じ、下部筐体１１ｂ’に凹部操作領域IIｂを設けた場合であっても、入力装置６２の薄型化が図られ、携帯電話機等の高密度実装を実現できるようになる。
【０１３１】
このように変形例としての入力装置６２によれば、下部筐体１１ｂ’の凹部操作領域IIｂにキートップ１４１’が設けられ、当該キートップ１４１’の押し込み投影下部以外の位置であって、回路基板１７に、アーム部１９１’及び突起部９１ｂを介して押下されるドームスイッチ２５を備え、スクロール画像２９ａや２９ｂ等の情報選択後、キートップ１４１’を押し込み操作するようになされる。
【０１３２】
従って、ドームスイッチ２５をオン又は／及びオフすることで、無回転型の裏面凹部状を成すキートップ１４１’においても、入力を決定する際の確定キーに応用できるようになる。この構造は、下部筐体１１ｂの内側面と回路基板１７との間に十分なスペース（離隔距離）を確保できない場合に、有利に働き、入力装置６２のコンパクト化に寄与するところが大きい。
【０１３３】
しかも、キートップ１４１’の押し込み投影下にＬＥＤ光源等の発光素子９３を配置できるようになったので、入力装置６１の構造に比べて、光導伝部材１６１や、導光機能部品等を用いることなく、キートップ１４１’への照光を容易に実現できるようになった。この例では、図１９に示したようにキートップ１４１’を下部筐体１１ｂ’の左側に設ける場合について説明したが、もちろん、これに限られることはなく、下部筐体１１ｂ’の右側に設ける場合についても、同様な効果が得られることは言うまでもない。
【実施例７】
【０１３４】
図２０は第７の実施例としての入力装置７０の内部構成例を示す断面図である。この実施例では、裏面平坦形状のキートップ１４に代えて下部筐体１１ｄと裏面平坦形状のキートップ１４２とが一体成形されて成るものである。
【０１３５】
図２０に示す入力装置７０は、裏面平坦形状のキートップ付きの下部筐体１１ｄを有している。下部筐体１１ｄによれば、キートップ１４２の操作面は、図１〜図１６に示したキートップ形状と同一の円弧凸形状であるが、その本体が下部筐体１１ｄと一体成形されている。例えば、下部筐体１１ｄとキートップ１４２とを象った金型に樹脂を封入して円弧凸形状のキートップ付き下部筐体１１ｄを一体成形する。
【０１３６】
この例では、ドームスイッチ２５を押し込むために、キートップ１４２を下部筐体１１ｄの内側方向へ移動可能とする構造が採られる。例えば、キートップ１４２の上り開始部Ｘ付近と、下り終了部Ｙ付近を蛇腹状に加工する。蛇腹状に加工する部分は、下部筐体１１ｄを構成する樹脂材料の強度に応じて適宜設定すればよい。これにより、キートップ１４２の密閉構造と押し込み構造とを両立するようになされる。
【０１３７】
この例でも、キートップ１４２の内側には、センサ１３、押し子１９、ドームスイッチ２５及び回路基板１７の順序で配置される。センサ１３には第３の実施例で説明したものが使用される。押し子１９はセンサ１３と回路基板１７の側部との間で挟持されるように配置される。なお、ドームスイッチ２５の構成及び機能については第３の実施例で説明しているので、その説明を省略する。もちろん、図示しないアクチュエータ機能付きのスピーカー３６ｂを備えてもよい。入力装置７０の操作例については図８を参照されたい。
【０１３８】
このように第７の実施例としての入力装置７０によれば、裏面平坦形状のキートップ１４に代えて下部筐体１１ｄと裏面平坦形状のキートップ１４２とが一体成形されて成るものである。従って、第１〜第６の実施例で説明したように下部筐体１１ｂの開口部１１ｃにキートップ１４や、１４１等を組み入れる方法に比べて入力装置７０の組み立てが簡単になる。これにより、耐水性に富んだ入力装置７０を提供できるようになる。
【０１３９】
しかも、スクロール画像２９ａや２９ｂ等の情報選択後、キートップ１４２を押し込み操作するようになされる。従って、ドームスイッチ２５をオン又は／及びオフすることで、無回転型の裏面密閉形状を成すキートップ１４２においても、入力を決定する際の確定キーに応用できるようになる。
【０１４０】
この例では、図２０に示したようにキートップ１４２を下部筐体１１ｄの左側に設ける場合について説明したが、もちろん、これに限られることはなく、下部筐体１１ｄの右側に設ける場合についても、同様な効果が得られることは言うまでもない。
【実施例８】
【０１４１】
図２１は、第８の実施例としての入力装置８０の内部構成例を示す断面図である。この実施例では、裏面平坦形状のキートップ１４２に代えて、下部筐体１１ｅと裏面凹部状を有したキートップ１４３とが一体成形されて成るものである。
【０１４２】
図２１に示す入力装置８０は、裏面凹部状を有したキートップ付きの下部筐体１１ｅを有している。下部筐体１１ｅによれば、キートップ１４３の操作面は、図１〜図１６に示したキートップ形状と同一の円弧凸形状であるが、その裏面が凹部状を有している。この例で押し子１９１には、キートップ１４３の裏面凹部に挿入可能な凸部形状を成したものが使用される。例えば、キートップ１４３の内側凹部形状を象った金型に樹脂を封入してその凸形状を成した押し子１９１を形成する。押し子１９１のほぼ中央部位には、押し子１９と同様にして突起部９１ｂが設けられる。
【０１４３】
入力装置８０においても、ドームスイッチ２５を押し込むために、キートップ１４３を下部筐体１１ｅの内側方向へ移動可能とする構造が採られる。例えば、キートップ１４３の上り開始部Ｘ付近と、下り終了部Ｙ付近を蛇腹状に加工する。蛇腹状に加工する部分は、下部筐体１１ｅを構成する樹脂材料の強度に応じて適宜設定すればよい。これにより、キートップ１４３の密閉構造と押し込み構造とを両立するようになされる。
【０１４４】
キートップ１４３の内側凹部には、センサ１３、押し子１９１、ドームスイッチ２５及び回路基板１７の順序で配置される。押し子１９１の突起部９２ｂはセンサ１３を押し込み可能な位置に配置される。押し子１９１はキートップ１４３の内側凹部にセンサ１３を沿うように配置される。この例でも、押し子１９１は、ほぼセンサ１３の検出領域（３）と等しい長さを有している。ドームスイッチ２５の機能については第３の実施例で説明しているので、その説明を省略する。もちろん、図示しないアクチュエータ機能付きのスピーカー３６ｂを備えてもよい。入力装置８０の操作例については図８を参照されたい。
【０１４５】
このように第８の実施例に係る入力装置８０によれば、裏面平坦形状のキートップ１４２に代えて、下部筐体１１ｅと裏面凹部状を有したキートップ１４３とが一体成形されて成るものである。
【０１４６】
従って、第１〜第７の実施例で説明したように下部筐体１１ｂの開口部１１ｃにキートップ１４や、１４１等を組み入れる方法に比べて入力装置８０の組み立てが簡単になる。これにより、耐水性に富んだ密閉構造の入力装置８０を提供できるようになる。
【０１４７】
しかも、スクロール画像２９ａや２９ｂ等の情報選択後、キートップ１４３を押し込み操作するようになされる。従って、ドームスイッチ２５をオン又は／及びオフすることで、無回転型の裏面密閉形状を成すキートップ１４３においても、入力を決定する際の確定キーに応用できるようになる。更に、この構造は、下部筐体１１ｅの内側面と回路基板１７との間に十分なスペース（離隔距離）を確保できない場合に、有利に働き、入力装置８０のコンパクト化に寄与するところが大きい。
【０１４８】
この例では、図２１に示したようにキートップ１４３を下部筐体１１ｅの左側に設ける場合について説明したが、もちろん、これに限られることはなく、下部筐体１１ｅの右側に設ける場合についても、同様な効果が得られることは言うまでもない。
【実施例９】
【０１４９】
図２２Ａ〜Ｃは、第９の実施例としての入力装置９０の外観例を示す斜視図及び、その内部構成例を示す断面図である。
【０１５０】
この実施例では、第８の実施例で説明した裏面平坦形状のキートップ１４３に代えて、下部筐体１１ｆと裏面凹部状を有したキートップ１４４とが一体成形されて成るものである。ドームスイッチ２５及び押し子１９１は省略される。
【０１５１】
図２２Ａに示す入力装置９０は、裏面凹部状を有したキートップ付きの下部筐体１１ｆを有している。下部筐体１１ｆによれば、キートップ１４４の操作面は、図１〜図１６に示したキートップ形状と同一の円弧凸形状であるが、その裏面が図２２Ｂに示すように凹部状を有している。例えば、キートップ１４４となる円弧凸形状を象った下部筐体用の金型に樹脂を封入してその部分が凸形状を成す下部筐体１１ｆを形成する。
【０１５２】
この例ではキートップ１４４の内側凹部にはセンサ１３が配置される。これにより、キートップ１４４を有した入力装置９０を密閉構造とすることができる。また、下部筐体１１ｆの内側であって、キートップ１４４に近い位置に、図１２に示したようなアクチュエータ機能付きのスピーカー３６ｂが備えられ、操作者の指３９ａに触覚を提示できるようになっている。
【０１５３】
上述の密閉構造では、下部筐体１１ｆの一部を円弧凸形状に突き出す方法が採られるが、図２２Ｃに示すように、下部筐体１１ｆ’と円弧凸形状のキートップ１４４’とを別個に作成して、下部筐体１１ｆ’の側面にキートップ１４４’を貼付する構造を採ってもよい。例えば、ＵＶ硬化樹脂等によりキートップ１４４’を下部筐体１１ｆ’の側面に接着するようにする。これにより、キートップ１４４’を有した入力装置９０’を密閉構造とすることができる。入力装置９０，９０’の操作例については図８を参照されたい。
【０１５４】
このように第９の実施例に係る入力装置９０によれば、第７の実施例で説明した裏面平坦形状のキートップ１４２に代えて、下部筐体１１ｆと裏面凹部状を有したキートップ１４４とが一体成形されて成るものである。
【０１５５】
従って、第１〜第６の実施例で説明したように下部筐体１１ｂの開口部１１ｃにキートップ１４や、１４１等を組み入れる方法に比べて入力装置９０の組み立てが簡単になる。これにより、耐水性に富んだ密閉構造の入力装置９０を提供できるようになる。もちろん、図２２Ｃに示したように、下部筐体１１ｆの平坦な側面に円弧凸形状のキートップ１４４を貼付する構造を採ってもよい。この構造は、下部筐体１１ｆの内側面と図示しない回路基板１７との間に十分なスペース（離隔距離）を確保できない場合に、有利に働き、入力装置９０，９０’のコンパクト化に寄与するところが大きい。なお、ドームスイッチ２５を省略したことによって、キートップ１４４，１４４’の上り開始部Ｘ付近と、下り終了部Ｙ付近は蛇腹状加工を省略することができる。
【０１５６】
この例では、図２２Ａに示したようにキートップ１４４等を下部筐体１１ｆの左側に設ける場合について説明したが、もちろん、これに限られることはなく、下部筐体１１ｆの右側に設ける場合についても、同様な効果が得られることは言うまでもない。
【実施例１０】
【０１５７】
図２３Ａ〜Ｃは、第１０の実施例としての入力装置１００の構成例を示す斜視図及び断面図である。
【０１５８】
この実施例では、第９の実施例で説明した円弧凸形状のキートップ１４４に代えて、下部筐体１１ｇと表面台形状を有したキートップ１４５とが一体成形されて成るものである。ドームスイッチ２５及び押し子１９１は省略される。
【０１５９】
図２３Ａに示す入力装置１００は、表面台形状かつ裏面凹部状を有したキートップ付きの下部筐体１１ｇを有している。下部筐体１１ｇによれば、キートップ１４５の操作面は、図１〜図２１に示したキートップ形状と異なり、台形状を有しており、その裏面が図２３Ｂに示すように凹部状を有している。例えば、キートップ１４５となる内側台形状を象った下部筐体用の金型に樹脂を封入してその部分が凸形状を成す下部筐体１１ｇを形成する。
【０１６０】
この例でも、キートップ１４５の内側凹部にはセンサ１３が配置される。これにより、キートップ１４５を有した入力装置１００を密閉構造とすることができる。また、下部筐体１１ｇの内側であって、キートップ１４５に近い位置に、図１２に示したようなアクチュエータ機能付きのスピーカー３６ｂが備えられ、操作者の指３９ａに触覚を提示できるようになっている。
【０１６１】
上述の密閉構造では、下部筐体１１ｇの一部を台形状に突き出す方法が採られるが、図２３Ｃに示すように、下部筐体１１ｇ’と台形状のキートップ１４５’とを別個に作成して、下部筐体１１ｇ’の側面にキートップ１４５’を貼付する構造を採ってもよい。例えば、ＵＶ硬化樹脂等によりキートップ１４５’を下部筐体１１ｇ’の側面に接着するようにする。これにより、キートップ１４５’を有した入力装置１００’を密閉構造とすることができる。入力装置１００，１００’の操作例については図８を参照されたい。
【０１６２】
このように第１０の実施例に係る入力装置１００によれば、第９の実施例で説明した円弧凸形状のキートップ１４４に代えて、下部筐体１１ｇと表面台形状を有したキートップ１４５とが一体成形されて成るものである。
【０１６３】
従って、第１〜第６の実施例で説明したように下部筐体１１ｂの開口部１１ｃにキートップ１４や、１４１等を組み入れる方法に比べて入力装置１００の組み立てが簡単になる。これにより、耐水性に富んだ密閉構造の入力装置１００を提供できるようになる。もちろん、図２３Ｃに示したように、下部筐体１１ｇの平坦な側面に台形状のキートップ１４５を貼付する構造を採ってもよい。この構造は、下部筐体１１ｇの内側面と図示しない回路基板１７との間に十分なスペース（離隔距離）を確保できない場合に、有利に働き、入力装置１００，１００’のコンパクト化に寄与するところが大きい。なお、ドームスイッチ２５を省略したことによって、キートップ１４５，１４５’の上り開始部Ｘ付近と、下り終了部Ｙ付近は蛇腹状加工を省略することができる。
【０１６４】
この例では、図２３Ａに示したようにキートップ１４５等を下部筐体１１ｇの左側に設ける場合について説明したが、もちろん、これに限られることはなく、下部筐体１１ｇの右側に設ける場合についても、同様な効果が得られることは言うまでもない。
【実施例１１】
【０１６５】
図２４Ａ〜Ｃは、第１１の実施例としての入力装置１１０の構成例を示す斜視図及び断面図である。
【０１６６】
この実施例では、第１０の実施例で説明した台形状のキートップ１４５に代えて、下部筐体１１ｈと表面ナメクジドーム形状を有したキートップ１４６とが一体成形されて成るものである。ドームスイッチ２５及び押し子１９１は省略される。
【０１６７】
図２４Ａに示す入力装置１１０は、表面ナメクジドーム形状かつ裏面凹部状を有したキートップ付きの下部筐体１１ｈを有している。下部筐体１１ｈによれば、キートップ１４６の操作面は、図１〜図２３に示したキートップ形状と異なり、ナメクジドーム形状を有しており、その裏面が図２４Ｂに示すように凹部状を有している。例えば、キートップ１４６となる内側ナメクジドーム形状を象った下部筐体用の金型に樹脂を封入してその部分が凸形状を成す下部筐体１１ｈを形成する。
【０１６８】
この例でも、キートップ１４６の内側凹部にはセンサ１３が配置される。これにより、キートップ１４６を有した入力装置１１０を密閉構造とすることができる。また、下部筐体１１ｈの内側であって、キートップ１４６に近い位置に、図１２に示したようなアクチュエータ機能付きのスピーカー３６ｂが備えられ、操作者の指３９ａに触覚を提示できるようになっている。
【０１６９】
上述の密閉構造では、下部筐体１１ｈの一部を台形状に突き出す方法が採られるが、図２４Ｃに示すように、下部筐体１１ｈ’と台形状のキートップ１４６’とを別個に作成して、下部筐体１１ｈ’の側面にキートップ１４６’を貼付する構造を採ってもよい。例えば、ＵＶ硬化樹脂等によりキートップ１４６’を下部筐体１１ｈ’の側面に接着するようにする。これにより、キートップ１４６’を有した入力装置１１０’を密閉構造とすることができる。入力装置１１０，１１０’の操作例については図８を参照されたい。
【０１７０】
このように第１１の実施例に係る入力装置１１０によれば、第１０の実施例で説明した台形状のキートップ１４５に代えて、下部筐体１１ｈと表面ナメクジドーム形状を有したキートップ１４６とが一体成形されて成るものである。
【０１７１】
従って、第１〜第６の実施例で説明したように下部筐体１１ｂの開口部１１ｃにキートップ１４や、１４１等を組み入れる方法に比べて入力装置１１０の組み立てが簡単になる。これにより、耐水性に富んだ密閉構造の入力装置１１０を提供できるようになる。もちろん、図２４Ｃに示したように、下部筐体１１ｈの平坦な側面に表面ナメクジドーム形状のキートップ１４６’を貼付する構造を採ってもよい。この構造は、下部筐体１１ｈの内側面と図示しない回路基板１７との間に十分なスペース（離隔距離）を確保できない場合に、有利に働き、入力装置１１０，１１０’のコンパクト化に寄与するところが大きい。なお、ドームスイッチ２５を省略したことによって、キートップ１４６，１４６’の上り開始部Ｘ付近と、下り終了部Ｙ付近は蛇腹状加工を省略することができる。
【０１７２】
この例では、図２４Ａに示したようにキートップ１４６等を下部筐体１１ｈの左側に設ける場合について説明したが、もちろん、これに限られることはなく、下部筐体１１ｈの右側に設ける場合についても、同様な効果が得られることは言うまでもない。
【実施例１２】
【０１７３】
図２５Ａ〜Ｃは、第１２の実施例としての入力装置１２０の構成例を示す斜視図及び断面図である。
【０１７４】
この実施例では、第１１の実施例で説明した表面ナメクジドーム形状のキートップ１４６に代えて、下部筐体１１ｉと表面蒲鉾ドーム形状を有したキートップ１４７とが一体成形されて成るものである。ドームスイッチ２５及び押し子１９１は省略される。
【０１７５】
図２５Ａに示す入力装置１２０は、表面蒲鉾ドーム形状かつ裏面凹部状を有したキートップ付きの下部筐体１１ｉを有している。下部筐体１１ｉによれば、キートップ１４７の操作面は、図１〜図２４に示したキートップ形状と異なり、蒲鉾ドーム形状を有している。この例で、キートップ１４７は、その幅をｗとし、下部筐体１１ｉの高さをｈとしたとき、ｗ＝ｈなる関係に形成されている。キートップ１４７の裏面は、図２５Ｂに示すように凹部状を有している。例えば、幅ｗのキートップ１４７となる内側蒲鉾ドーム形状を象った下部筐体用の金型に樹脂を封入してその部分が凸形状を成す高さｈの下部筐体１１ｉを形成する。
【０１７６】
この例でも、キートップ１４７の内側凹部にはセンサ１３が配置される。これにより、キートップ１４７を有した入力装置１２０を密閉構造とすることができる。また、下部筐体１１ｉの内側であって、キートップ１４７に近い位置に、図１２に示したようなアクチュエータ機能付きのスピーカー３６ｂが備えられ、操作者の指３９ａに触覚を提示できるようになっている。
【０１７７】
上述の密閉構造では、下部筐体１１ｉの一部を蒲鉾ドーム形状に突き出す方法が採られるが、図２５Ｃに示すように、下部筐体１１ｉ’と蒲鉾ドーム形状のキートップ１４７’とを別個に作成して、下部筐体１１ｉ’の側面にキートップ１４７’を貼付する構造を採ってもよい。例えば、ＵＶ硬化樹脂等によりキートップ１４７’を下部筐体１１ｉ’の側面に接着するようにする。これにより、キートップ１４７’を有した入力装置１２０’を密閉構造とすることができる。入力装置１２０，１２０’の操作例については図８を参照されたい。
【０１７８】
このように第１２の実施例に係る入力装置１２０によれば、第１１の実施例で説明したナメクジドーム形状のキートップ１４６に代えて、下部筐体１１ｉと表面蒲鉾ドーム形状を有したキートップ１４７とが一体成形されて成るものである。
【０１７９】
従って、第１〜第６の実施例で説明したように下部筐体１１ｂの開口部１１ｃにキートップ１４や、１４１等を組み入れる方法に比べて入力装置１２０の組み立てが簡単になる。これにより、耐水性に富んだ密閉構造の入力装置１２０を提供できるようになる。もちろん、図２５Ｃに示したように、下部筐体１１ｉの平坦な側面に表面蒲鉾ドーム形状のキートップ１４７’を貼付する構造を採ってもよい。この構造は、下部筐体１１ｉの内側面と図示しない回路基板１７との間に十分なスペース（離隔距離）を確保できない場合に、有利に働き、入力装置１２０，１２０’のコンパクト化に寄与するところが大きい。なお、ドームスイッチ２５を省略したことによって、キートップ１４７，１４７’の上り開始部Ｘ付近と、下り終了部Ｙ付近は蛇腹状加工を省略することができる。
【０１８０】
この例では、図２５Ａに示したようにキートップ１４７等を下部筐体１１ｉの左側に設ける場合について説明したが、もちろん、これに限られることはなく、下部筐体１１ｉの右側に設ける場合についても、同様な効果が得られることは言うまでもない。
【実施例１３】
【０１８１】
図２６Ａ及びＢは、本発明に係る第１３の実施例としての携帯電話機１０２の構成例を示す斜視図である。
【０１８２】
図２６Ａに示す携帯電話機１０２は電子機器の一例を構成し、スライド型の折り畳み式（クラム式）の筐体構造を有している。携帯電話機１０２は上部筐体１１ｘ及び下部筐体１１ｙを有して構成され、上部筐体１１ｘと下部筐体１１ｙとがヒンジ４８（１軸）により回動自在に係合されている。下部筐体１１ｙには、第１〜第１２の実施例で説明した入力装置１０〜入力装置１２０が適用される。もちろん、第２〜第１２の実施例で説明した入力装置２０〜入力装置１２０を第１の実施例で説明した携帯電話機１０１に適用してもよい。
【０１８３】
携帯電話機１０２は、図２６Ｂに示すように上部筐体１１ｘが下部筐体１１ｙ上の操作面を覆うような操作面蓋閉め収納構造が採られる。この例では、上部筐体１１ｘを閉じた状態で、その閉じ面には表示部２９に比べてサイズの小さいモニタ２９ａ’が設けられ、例えば、当該携帯電話機１０２のカメラ機能を利用する際に、モニタ２９ａ’をファインダー窓部として被写体映像を表示するようになされる。
【０１８４】
上部筐体１１ｘには第１の実施例で説明した携帯電話機１０１と同様にして、所定の大きさを有した表示部２９が設けられ、待ち受け画面や相手方電話番号等が表示される。表示部２９には液晶表示モニタが使用される。下部筐体１１ｙには、例えば入力装置４０が設けられ、操作者の指３９ａによる摺動操作によって情報を入力するように操作される。
【０１８５】
入力装置４０は上部及び側部に操作面を有しており、上部操作面には数字「０」〜「９」のテンキーや、「＊」キー、「＃」キー等が配置された操作パネル１８を有している。下部筐体１１ｙ内には操作者の指３９ａの摺動位置を検出するセンサ１３が設けられる。このセンサ１３の一部又は全部を覆うようにキートップ１４が設けられ、下部筐体１１ｙの操作面に沿って摺動操作される。キートップ１４は、下部筐体１１ｙの一方の操作面から摺動方向に沿って盛り上がり、かつ、他方の操作面に向かって盛り下がる凸部形状を含むものである（図１５参照）。
【０１８６】
図２７は、携帯電話機１０２の撮影時の取扱例を示す斜視図である。図２７に示す携帯電話機１０２には下部筐体１１ｙの底面にカメラ３４が配置されている。この例では、携帯電話機１０２を操作面蓋閉め収納状態にし、そのカメラ機能を利用して、被写体を撮影するとき、キートップ１４の操作面が上方に向くように操作者は左手３９ｃで保持する。そして、操作者の右手、人差し指３９ｂでズームイン摺動操作をしたり、シャッターを切るようにキートップ１４を使用することができる。キートップ１４は、シャッター機能に限られることはなく、画像の拡大縮小処理またはピント調整にも各種調整キーとして使用することができる。
【０１８７】
このように第１３の実施例に係る携帯電話機１０２によれば、本発明に係る第１〜第１２の入力装置１０〜１２０のいずれかが備えられるので、当該携帯電話機１０２を操作する操作者の指３９ｂによる摺動操作に対し、下部筐体１１ｙの一方の操作面から摺動方向に沿って盛り上がる摺動操作感覚に加えて、他方の操作面に向かって盛り下がる摺動操作感覚を与えることができる。しかも、シャッター操作時、アクチュエータ機能付きのスピーカー３６ｂによって触覚を提示できるようになる。
【０１８８】
従って、従来方式の回転型のサイドジョグツールと異なる構造であって、当該サイドジョグツールとほぼ類似の操作感覚が得られる非回転型のサイドジョグツール等を提供できるようになる。しかも、携帯電話機１０２の小型化及び操作性を向上できることから、当該携帯電話機１０２の誤動作の低減、コストダウン、及び、製造プロセスの簡素化を図ることができる。
【０１８９】
なお、携帯電話機１０２のミュージックプレーヤー機能を利用する場合は、モニタ２９ａ’を楽曲選択窓部としてタイトルや、ミュージシャンの名前等の映像をスクロール表示するようになされ、キートップ１４でスクロール操作したり、再生音のボリューム調整をできるようになる。
【０１９０】
この例では、図２６Ａ等に示したようにキートップ１４を下部筐体１１ｙの左側に設ける場合について説明したが、もちろん、これに限られることはなく、下部筐体１１ｙの右側に設ける場合についても、同様な効果が得られることは言うまでもない。
【実施例１４】
【０１９１】
図２８Ａ及びＢは、本発明に係る第１４の実施例としての携帯電話機１０３の構成例を示す斜視図である。
【０１９２】
図２８Ａに示す携帯電話機１０３は電子機器の一例を構成し、２軸ヒンジ型の折り畳み式の筐体構造を有している。携帯電話機１０３は上部筐体１１ｘ’及び下部筐体１１ｙ’を有して構成され、上部筐体１１ｘ’と下部筐体１１ｙ’とが２つのヒンジ４８ａ，４８ｂ（２軸）により回動自在に係合されている。ヒンジ４８ａは、第１３の実施例と同様にして上部筐体１１ｘと下部筐体１１ｙとを開閉自在に係合する。ヒンジ４８ｂは、ヒンジ４８ａと直交するように配置され、下部筐体１１ｙに対して上部筐体１１ｘを回動自在に係合する。下部筐体１１ｙ’には、第１〜第１２の実施例で説明した入力装置１０〜入力装置１２０が適用される。
【０１９３】
上部筐体１１ｘ’には第１の実施例で説明した携帯電話機１０１と同様にして、所定の大きさを有した表示部２９が設けられ、待ち受け画面や相手方電話番号等が表示される。表示部２９には液晶表示モニタが使用される。携帯電話機１０３は、モニタ２９ａ’を上方に向けた上部筐体１１ｘ’が下部筐体１１ｙ’上の操作面を覆うような第１の操作面蓋閉め収納構造（図２６Ｂ参照）と、図２８Ｂに示すように表示部２９を上方に向けた上部筐体１１ｘ’が下部筐体１１ｙ’上の操作面を覆うような第２の操作面蓋閉め収納構造とが採られる。
【０１９４】
この例では、表示部２９を上方に向けた上部筐体１１ｘ’を閉じた状態で、その閉じ面には表示部２９が向くようになされる。例えば、当該携帯電話機１０３の１セグテレビ機能を利用する際に、表示部２９をテレビ受像画面として表示するようになされる。下部筐体１１ｙ’には、例えば入力装置４０が設けられ、操作者の指３９ａによる摺動操作によって情報を入力するように操作される。
【０１９５】
入力装置４０は上部及び側部に操作面を有しており、上部操作面には数字「０」〜「９」のテンキーや、「＊」キー、「＃」キー等が配置された操作パネル１８を有している。下部筐体１１ｙ’内には操作者の指３９ａの摺動位置を検出するセンサ１３が設けられる。このセンサ１３の一部又は全部を覆うようにキートップ１４が設けられ、下部筐体１１ｙ’の操作面に沿って摺動操作される。キートップ１４は、下部筐体１１ｙ’の一方の操作面から摺動方向に沿って盛り上がり、かつ、他方の操作面に向かって盛り下がる凸部形状を含むものである（図１５参照）。
【０１９６】
図２９は、携帯電話機１０３のテレビ視聴時の取扱例を示す斜視図である。図２９に示す携帯電話機１０３では、当該携帯電話機１０３を第２の操作面蓋閉め収納状態にし、そのテレビ受像機能を利用して、放送番組を受像するとき、キートップ１４の操作面が上方に向くように、図示しない机上等に載置する。そして、操作者の右手、人差し指等でチャンネル選局摺動操作をしたり、チャンネル選局決定等を確定するようキートップ１４を使用することができる。キートップ１４は、チャンネル選局キーの他に、音量調整用のキーとしても使用できる。もちろん、相手に電話をかける場合及び、相手からの電話を受ける場合、メール作成時、文字入力操作、入力候補選択決定キーとしても使用してもよい。
【０１９７】
このように第１４の実施例に係る携帯電話機１０３によれば、本発明に係る第１〜第１２の入力装置１０〜１２０のいずれかが備えられるので、当該携帯電話機１０３を操作する操作者の指３９ｂによる摺動操作に対し、下部筐体１１ｙ’の一方の操作面から摺動方向に沿って盛り上がる摺動操作感覚に加えて、他方の操作面に向かって盛り下がる摺動操作感覚を与えることができる。しかも、選局決定操作時、アクチュエータ機能付きのスピーカー３６ｂによって触覚を提示できるようになる。
【０１９８】
従って、従来方式の回転型のサイドジョグツールと異なる構造であって、当該サイドジョグツールとほぼ類似の操作感覚が得られる非回転型のサイドジョグツール等を提供できるようになる。しかも、携帯電話機１０３の小型化及び操作性を向上できることから、当該携帯電話機１０３の誤動作の低減、コストダウン、及び、製造プロセスの簡素化を図ることができる。
【０１９９】
この例では、図２８Ａ及びＢに示したようにキートップ１４を下部筐体１１ｙ’の左側に設ける場合について説明したが、もちろん、これに限られることはなく、下部筐体１１ｙ’の右側に設ける場合についても、同様な効果が得られることは言うまでもない。
【実施例１５】
【０２００】
図３０は、第１５の実施例としての入力装置１５０の構成例を示す斜視図である。この実施例では、第１〜第１２の実施例で説明した各種形状を有した筐体側面配置用のキートップ１４，１４１〜１４６に代えて、下部筐体１１ｊの操作パネル１８と、球面横一文字凸形状を有したキートップ１４８とが一体成形されるものである。
【０２０１】
図３０に示す入力装置１５０は、球面横一文字凸形状を有したキートップ付きの下部筐体１１ｊを有している。下部筐体１１ｊの上部は操作面となされ、上部操作面には数字「０」〜「９」のテンキーや、「＊」キー、「＃」キー等が配置された操作パネル１８を有している。下部筐体１１ｊによれば、キートップ１４８の操作面は、図１〜図２４に示したキートップ形状と異なり、球面横一文字凸形状に隆起している。キートップ１４８は、所定の高さ及び幅を有している。下部筐体１１ｊのキートップ１４８の内側の構造については、図２０、図２１又は図２２Ｂに示したようなセンサ１３の構造が採られる（図２０、図２１又は図２２Ｂ参照）。
【０２０２】
下部筐体１１ｊは、例えば、キートップ１４８となる球面横一文字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１４８を有した入力装置１５０を密閉構造とすることができる。また、下部筐体１１ｊの内側であって、キートップ１４８に近い位置に、図１２に示したようなアクチュエータ機能付きのスピーカー３６ｂが備えられ、操作者の指３９ａに触覚を提示できるようになっている。
【０２０３】
この例では、キートップ１４８は、球面横一文字凸形状に沿って摺動操作される。これにより、操作者の指３９ａによる摺動操作に対し、下部筐体１１ｊの一方の操作面から球面横一文字凸形状に沿って盛り上がる摺動操作感覚に加えて、他方の操作面に向かって円弧凸形状に盛り下がる摺動操作感覚を与えることができる。
【０２０４】
このように、第１５の実施例に係る入力装置１５０によれば、下部筐体１１ｊの操作パネル１８と、球面横一文字凸形状を有したキートップ１４８とが一体成形されて成るものである。従って、耐水性に富んだ密閉構造の入力装置１５０を提供できるようになる。しかも、球面横一文字円弧凸形状のキートップ１４８と、数字「０」〜「９」のテンキーや、「＊」キー、「＃」キー等を成す操作パネルとを別々に組み立てる方法に比べて入力装置１５０の組み立てが簡単になる。
【０２０５】
この例では、図３０に示したようにキートップ１４８を下部筐体１１ｊの表面側に設ける場合について説明したが、もちろん、これに限られることはなく、下部筐体１１ｊの裏面側に設ける場合についても、同様な効果が得られることは言うまでもない。
【実施例１６】
【０２０６】
図３１は、第１６の実施例としての入力装置１６０の構成例を示す斜視図である。この実施例では、第１〜第１２の実施例で説明した各種形状を有した筐体側面配置用のキートップ１４，１４１〜１４６に代えて、下部筐体１１ｊの操作パネル１８と、球面縦一文字凸形状を有したキートップ１４９とが一体成形されるものである。
【０２０７】
図３１に示す入力装置１６０は、球面縦一文字凸形状を有したキートップ付きの下部筐体１１ｋを有している。下部筐体１１ｋの上部は操作面となされ、上部操作面には数字「０」〜「９」のテンキーや、「＊」キー、「＃」キー等が配置された操作パネル１８を有している。下部筐体１１ｋによれば、キートップ１４９の操作面は、図３０に示したキートップ形状と異なり、球面縦一文字凸形状に隆起している。キートップ１４９は、所定の高さ及び幅を有している。下部筐体１１ｋのキートップ１４９の内側の構造については、図２０、図２１又は図２２Ｂに示したようなセンサ１３の構造が採られる（図２０、図２１又は図２２Ｂ参照）。
【０２０８】
下部筐体１１ｋは、例えば、キートップ１４９となる球面縦一文字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１４９を有した入力装置１６０を密閉構造とすることができる。また、下部筐体１１ｋの内側であって、キートップ１４９に近い位置に、図１２に示したようなアクチュエータ機能付きのスピーカー３６ｂが備えられ、操作者の指３９ａに触覚を提示できるようになっている。
【０２０９】
この例でキートップ１４９は、球面縦一文字凸形状に沿って摺動操作される。これにより、操作者の指３９ａによる摺動操作に対し、下部筐体１１ｋの他方の操作面から球面縦一文字凸形状に沿って盛り上がる摺動操作感覚に加えて、他方の操作面に向かって円弧凸形状に盛り下がる摺動操作感覚を与えることができる。
【０２１０】
このように、第１６の実施例に係る入力装置１６０によれば、下部筐体１１ｋの操作パネル１８と、球面縦一文字凸形状を有したキートップ１４９とが一体成形されて成るものである。従って、耐水性に富んだ密閉構造の入力装置１６０を提供できるようになる。しかも、球面縦一文字凸形状のキートップ１４９と、数字「０」〜「９」のテンキーや、「＊」キー、「＃」キー等を成す操作パネルとを別々に組み立てる方法に比べて入力装置１６０の組み立てが簡単になる。
【０２１１】
この例では、図３１に示したようにキートップ１４９を下部筐体１１ｋの表面側に設ける場合について説明したが、もちろん、これに限られることはなく、下部筐体１１ｋの裏面側に設ける場合についても、同様な効果が得られることは言うまでもない。
【実施例１７】
【０２１２】
図３２は、第１７の実施例としての入力装置１７０の構成例を示す斜視図である。この実施例では、第１〜第１２の実施例で説明した各種形状を有した筐体側面配置用のキートップ１４，１４１〜１４６に代えて、下部筐体１１ｍの操作パネル１８と、球面十字凸形状を有したキートップ１５１とが一体成形されるものである。
【０２１３】
図３２に示す入力装置１７０は、球面十字凸形状を有したキートップ付きの下部筐体１１ｍを有している。下部筐体１１ｍの上部は操作面となされ、上部操作面には数字「０」〜「９」のテンキーや、「＊」キー、「＃」キー等が配置された操作パネル１８を有している。下部筐体１１ｍによれば、キートップ１５１の操作面は、図３１に示したキートップ形状と異なり、球面十字凸形状に隆起している。下部筐体１１ｍのキートップ１５１の内側の構造については、図２０、図２１又は図２２Ｂに示したようなセンサ１３の構造が採られる（図２０、図２１又は図２２Ｂ参照）。
【０２１４】
下部筐体１１ｍは、例えば、キートップ１５１となる球面十字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１５１を有した入力装置１７０を密閉構造とすることができる。また、下部筐体１１ｍの内側であって、キートップ１５１に近い位置に、図１２に示したようなアクチュエータ機能付きのスピーカー３６ｂが備えられ、操作者の指３９ａに触覚を提示できるようになっている。
【０２１５】
この例でキートップ１５１の球面十字凸形状は、図３０に示した球面横一文字凸形状と、図３１に示した球面縦一文字凸形状とを交差させた形状を有している。キートップ１５１は、球面横一文字凸形状に沿って摺動操作され、又は／及び、これと交差する球面縦一文字凸形状に沿って摺動操作される。これにより、操作者の指３９ａによる摺動操作に対し、下部筐体１１ｍの一方の操作面から球面横一文字凸形状に沿って盛り上がる摺動操作感覚に加えて、他方の操作面に向かって円弧凸形状に盛り下がる摺動操作感覚を与えること、及び、下部筐体１１ｍの他方の操作面から球面縦一文字凸形状に沿って盛り上がる摺動操作感覚に加えて、他方の操作面に向かって円弧凸形状に盛り下がる摺動操作感覚を与えることができる。
【０２１６】
このように、第１７の実施例に係る入力装置１７０によれば、下部筐体１１ｍの操作パネル１８と、球面十字凸形状を有したキートップ１５１とが一体成形されて成るものである。従って、耐水性に富んだ密閉構造の入力装置１７０を提供できるようになる。しかも、球面十字凸形状のキートップ１５１と、数字「０」〜「９」のテンキーや、「＊」キー、「＃」キー等を成す操作パネルとを別々に組み立てる方法に比べて入力装置１７０の組み立てが簡単になる。また、従来方式の十字キーと異なる構造であって、当該十字キーとほぼ類似の操作感覚が得られ、及び、当該球面十字凸形状のキートップ１５１は、情報を選択する情報選択キーとして応用できるようになる。
【０２１７】
この例では、図３２に示したようにキートップ１５１を下部筐体１１ｍの表面側に設ける場合について説明したが、もちろん、これに限られることはなく、下部筐体１１ｍの裏面側に設ける場合についても、同様な効果が得られることは言うまでもない。
【実施例１８】
【０２１８】
図３３は、第１８の実施例としての入力装置１８０の構成例を示す斜視図である。この実施例では、第１〜第１２の実施例で説明した各種形状を有した筐体側面配置用のキートップ１４，１４１〜１４６に代えて、下部筐体１１ｎの操作パネル１８と、半球凸形状を有したキートップ１５２とが一体成形されるものである。
【０２１９】
図３３に示す入力装置１８０は、半球凸形状を有したキートップ付きの下部筐体１１ｎを有している。下部筐体１１ｎの上部は操作面となされ、上部操作面には数字「０」〜「９」のテンキーや、「＊」キー、「＃」キー等が配置された操作パネル１８を有している。下部筐体１１ｎによれば、キートップ１５２の操作面は、図３２に示したキートップ形状と異なり、半球凸形状に隆起している。下部筐体１１ｎのキートップ１５２の内側の構造については、図２０、図２１又は図２２Ｂに示したようなセンサ１３の構造が採られる（図２０、図２１又は図２２Ｂ参照）。
【０２２０】
下部筐体１１ｎは、例えば、キートップ１５２となる半球凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１５２を有した入力装置１８０を密閉構造とすることができる。また、下部筐体１１ｎの内側であって、キートップ１５２に近い位置に、図１２に示したようなアクチュエータ機能付きのスピーカー３６ｂが備えられ、操作者の指３９ａに触覚を提示できるようになっている。
【０２２１】
この例で、キートップ１５２は、所定の高さ及び幅を有した半球凸形状を成している。キートップ１５２は、半球凸形状の一の軌道に沿って摺動操作され、又は／及び当該軌道と交差する他の軌道に沿って摺動操作される。
【０２２２】
これにより、操作者の指３９ａによる摺動操作に対し、下部筐体１１ｎの一方の操作面から半球凸形状の一の軌道に沿って円弧状に盛り上がる摺動操作感覚に加えて、他方の操作面に向かって円弧状に盛り下がる摺動操作感覚を与えること、及び、下部筐体１１ｎの他方の操作面から半球凸形状の一の軌道と交差する他の軌道に沿って円弧状に盛り上がる摺動操作感覚に加えて、他方の操作面に向かって円弧状に盛り下がる摺動操作感覚を与えることができる。
【０２２３】
このように、第１８の実施例に係る入力装置１８０によれば、下部筐体１１ｎの操作パネル１８と、半球凸形状を有したキートップ１５２とが一体成形されて成るものである。従って、耐水性に富んだ密閉構造の入力装置１８０を提供できるようになる。しかも、半球凸形状のキートップ１５２と、数字「０」〜「９」のテンキーや、「＊」キー、「＃」キー等を成す操作パネルとを別々に組み立てる方法に比べて入力装置１８０の組み立てが簡単になる。また、従来方式の十字キーと異なる構造であって、当該十字キーとほぼ類似の操作感覚が得られ、及び、当該半球凸形状のキートップ１５２は、情報を選択する情報選択キーとして応用できるようになる。
【０２２４】
なお、上述したキートップ１４１〜１４３，１４８〜１５２は、第１の実施例のキートップ１４の機能として利用することができ、キートップ１４４〜１４７は、ドームスイッチ機能を除く、第１の実施例のキートップ１４の機能として利用することができる。
【０２２５】
この例では、図３３に示したようにキートップ１５２を下部筐体１１ｎの表面側に設ける場合について説明したが、もちろん、これに限られることはなく、下部筐体１１ｎの裏面側に設ける場合についても、同様な効果が得られることは言うまでもない。
【実施例１９】
【０２２６】
図３４Ａ及びＢは、第１９の実施例としての入力装置１９０の外観例を示す斜視図及びその内部構成例を示す断面図である。
【０２２７】
この実施例では、第９の実施例で説明した凸形状のキートップ１４４に代えて、下部筐体１１ｏと逆円弧凹形状を有したキートップ２４４とが一体成形されて成るものである。ドームスイッチ２５及び押し子１９は省略している。入力装置１９０にドームスイッチ２５を適用する場合は、静電容量シート部材に代えて圧力検出シート部材をセンサ１３に使用すればよい。
【０２２８】
図３４Ａに示す入力装置１９０は、裏面凸状を有したキートップ付きの下部筐体１１ｏを有している。下部筐体１１ｏによれば、キートップ２４４の操作面は、その裏面が図３４Ｂに示すように凸部状を有している。
【０２２９】
この例で、キートップ２４４の逆円弧凹形状は、所定の深さ及び開口幅を有した有底状の逆円弧を成している。例えば、キートップ２４４は、下部筐体１１ｏの一方の操作面から摺動方向に沿って堀り下がり、かつ、他方の操作面に向かって堀り上がる凹部形状を有している。このような形状を得るには、キートップ２４４となる逆円弧凸形状を象った下部筐体用の金型に樹脂を封入してその部分が凹形状を成す下部筐体１１ｏを形成すればよい。キートップ２４４は、センサ１３の一部又は全部を覆う領域に形成される。
【０２３０】
この例でも、キートップ２４４の内側凹部にはセンサ１３が配置され、操作者の指３９ａの摺動位置を検出するように動作する。センサ１３には、静電容量シート部材が使用され、操作者の指３９ａの摺動位置を検出して位置検出信号を出力するようになされる。センサ１３には、静電容量シート部材の他に圧力検出シート部材が使用され、操作者の指３９ａの摺動位置の圧力を検出して圧力検出信号を出力するようになされる。
【０２３１】
この例では、キートップ２４４の操作面が下部筐体１１ｏの材質と異なる材質から構成され、キートップ２４４を構成する材質の表面粗度をＡとし、下部筐体１１ｏを構成する材質の表面粗度をＢとしたとき、表面粗度Ａと表面粗度Ｂとの間にはＡ＜Ｂなる関係が設定される。このように構成すると、下部筐体１１ｏの操作面における摺動操作に比べて、操作面から摺動方向に沿って掘り下がり、かつ、他方の操作面に向かって堀り上がる部分の摺動操作を円滑にできるようになり、操作者の指３９ａの摺動操作によって容易に情報を選択できるようになる。これにより、キートップ２４４を有した入力装置１９０を密閉構造とすることができる。
【０２３２】
キートップ２４４は、下部筐体１１ｏの操作面に沿って摺動操作され、かつ、有底状の円弧凸形状に沿って摺動操作される。このようにすると、操作者の指３９ａによる摺動操作に対し、下部筐体１１ｏの一方の操作面から摺動方向に沿って円弧状に堀り下がる摺動操作感覚に加えて、他方の操作面に向かって堀り上がる円弧状の摺動操作感覚を与えることができる。従って、第１の入力装置１０の非回転型のサイドジョグツール等に対して反転構造の非回転型のサイドジョグツール等を提供できるようになる。この形状のキートップ２４４は、各種情報を検索する際のスクロールキー、音量を調整する際のボリュームキー等の情報選択キーとして応用できる。
【０２３３】
また、下部筐体１１ｏの内側であって、キートップ２４４に近い位置に、図１２に示したようなアクチュエータ機能付きのスピーカー３６ｂが備えられ、入力確定時に、操作者の指３９ａの摺動位置に対して振動体で振動を発生させることができ、操作者の指３９ａに触覚を提示できるようになっている。
【０２３４】
図３５Ａ及びＢは、入力装置１９０の操作例を示す概念図である。この例でも、センサ１３で操作者の指３９ａの摺動位置を検出する検出領域（３）が、キートップ２４４で当該操作者の指３９ａによって摺動操作される凹部領域（２）’よりも広く設定されている。
【０２３５】
この例では、当該入力装置１９０を左手で操作する場合であって、下部筐体１１ｏの一方の操作面から摺動方向に沿って堀り下がり、かつ、他方の操作面に向かって堀り上がる凹部形状を有したキートップ２４４が使用される。センサ１３には静電容量シート部材が使用され、センサ１３で操作者の指３９ａの摺動位置を検出する検出領域が、キートップ２４４で当該操作者の指３９ａによって摺動操作される操作領域よりも広く設定されている場合を例に挙げる。
【０２３６】
図３５Ａにおいて、まず、操作者は入力装置１９０の操作範囲（１）の上部に左手の親指を押し当てる。次に、操作者の指３９ａを下部筐体１１ｂの一方の操作面から摺動方向に沿って摺動する。このとき、下部筐体１１ｂ内では、操作者の指３９ａがセンサ１３における検出領域（３）上を摺動するようになる。
【０２３７】
操作者の指３９ａでキートップ２４４の露出部分の凹部領域（２）’における摺動操作を続けると、下り開始部Ｘ’から掘り下がり、図３５Ｂに示すキートップ２４４の穴底部位に到達する。更に、凹部領域（２）’における摺動操作を続けると、他方の操作面に向かって掘り上がり、図３５Ｃに示すキートップ２４４の上り終了部Ｙ’に到達する。
【０２３８】
この例で、図３５Ａ〜図３５Ｃに摺動操作される間、センサ１３は、操作者の指３９ａの摺動位置を検出して位置検出信号を制御部１５に出力する。これにより、操作者の指３９ａによる摺動操作に対し、下部筐体１１ｂの一方の操作面から摺動方向に沿って円弧状に掘り下がる摺動操作感覚に加えて、他方の操作面に向かって掘り上がる円弧状の摺動操作感覚を与えることができる。しかも、従来方式の回転型のサイドジョグツールと異なる構造であって、当該サイドジョグツールに無いユニークな操作感覚が得られる非回転型のサイドジョグツール等を提供できるようになる。
【０２３９】
このように第１９の実施例に係る入力装置１９０によれば、第９の実施例で説明した裏面平坦形状のキートップ１４４に代えて、下部筐体１１ｏと逆円弧凹形状を有したキートップ２４４とが一体成形されて成るものである。
【０２４０】
従って、第１〜第６の実施例で説明したように下部筐体１１ｂの開口部１１ｃにキートップ２４や、１４１等を組み入れる方法に比べて、携帯電話機等における入力装置１９０の組み立てが簡単になる。しかも、センサ１３の検出領域（３）がキートップ２４４の凹部領域（２）’よりも広く設定されているので、操作者の指３９ａによる摺動操作に対し、凹部形状のキートップ２４４を挟んだ下部筐体１１ｏの一方の操作面と、他方の操作面を摺動操作範囲に含めることができる。これにより、耐水性に富んだ密閉構造の入力装置１９０を有した携帯電話機等を提供できるようになる。
【０２４１】
この例では、図３４に示したようにキートップ２４４を下部筐体１１ｏの右側に設ける場合について説明したが、もちろん、これに限られることはなく、下部筐体１１ｏの左側に設ける場合についても、同様な効果が得られることは言うまでもない。
【実施例２０】
【０２４２】
図３６Ａ及びＢは、第２０の実施例としての入力装置２００の構成例を示す斜視図及び断面図である。
【０２４３】
この実施例では、第１９の実施例で説明した逆円弧凹形状のキートップ２４４に代えて、下部筐体１１ｐと逆さ台凹形状を有したキートップ２４５とが一体成形されて成るものである。ドームスイッチ２５及び押し子１９は省略される。入力装置２００にドームスイッチ２５を適用する場合は、静電容量シート部材に代えて圧力検出シート部材をセンサ１３に使用すればよい。
【０２４４】
図３６Ａに示す入力装置２００は、逆さ台凹形状かつ裏面凸部状を有したキートップ付きの下部筐体１１ｐを有している。下部筐体１１ｐによれば、キートップ２４５の操作面は、図１〜図３５に示したキートップ形状と異なり、逆さ台凹形状を有しており、その裏面が図３６Ｂに示すように凸部状を成している。例えば、キートップ２４５となる内側逆台形状を象った下部筐体用の金型に樹脂を封入してその部分が凹形状を成す下部筐体１１ｐを形成する。
【０２４５】
この例でも、キートップ２４５の内側凹部にはセンサ１３が配置される。これにより、キートップ２４５を有した入力装置２００を密閉構造とすることができる。キートップ２４５は下部筐体１１ｐの一方の操作面から摺動方向に沿って堀り下がり、かつ、他方の操作面に向かって堀り上がる凹部形状に沿って摺動される。また、下部筐体１１ｐの内側であって、キートップ２４５に近い位置に、図１２に示したようなアクチュエータ機能付きのスピーカー３６ｂが備えられ、操作者の指３９ａに触覚を提示できるようになっている。なお、入力装置２００の操作例については図３５を参照されたい。
【０２４６】
このように第２０の実施例に係る入力装置２００によれば、第１９の実施例で説明した円弧凸形状のキートップ２４４に代えて、下部筐体１１ｐと逆さ台凹形状を有したキートップ２４５とが一体成形されて成るものである。
【０２４７】
従って、第１〜第６の実施例で説明したように下部筐体１１ｂの開口部１１ｃにキートップ１４や、１４１等を組み入れる方法に比べて入力装置２００の組み立てが簡単になる。これにより、耐水性に富んだ密閉構造の入力装置２００を提供できるようになる。なお、ドームスイッチ２５を省略したことによって、キートップ２４５の下り開始部Ｘ’付近と、上り終了部Ｙ’付近は蛇腹状加工を省略することができる。
【０２４８】
この例では、図３６に示したようにキートップ２４５を下部筐体１１ｐの右側に設ける場合について説明したが、もちろん、これに限られることはなく、下部筐体１１ｐの左側に設ける場合についても、同様な効果が得られることは言うまでもない。
【実施例２１】
【０２４９】
図３７Ａ及びＢは、第２１の実施例としての入力装置２１０の構成例を示す斜視図及び断面図である。
【０２５０】
この実施例では、第２０の実施例で説明した逆さ台凹形状のキートップ２４５に代えて、下部筐体１１ｑと長穴凹形状を有したキートップ２４６とが一体成形されて成るものである。ドームスイッチ２５及び押し子１９は省略される。入力装置２１０にドームスイッチ２５を適用する場合は、静電容量シート部材に代えて圧力検出シート部材をセンサ１３に使用すればよい。
【０２５１】
図３７Ａに示す入力装置２１０は、長穴凹形状かつ裏面凸部状を有したキートップ付きの下部筐体１１ｑを有している。下部筐体１１ｑによれば、キートップ２４６の操作面は、図１〜図３６に示したキートップ形状と異なり、長穴凹形状を有しており、その裏面が図３７Ｂに示すように凸部状を有している。例えば、キートップ２４６となる長穴凹形状を象った下部筐体用の金型に樹脂を封入してその部分が凹形状を成す下部筐体１１ｑを形成する。
【０２５２】
この例でも、キートップ２４６の内側凹部にはセンサ１３が配置される。これにより、キートップ２４６を有した入力装置２１０を密閉構造とすることができる。当該入力装置２１０を左手で操作する場合であって、キートップ２４６は下部筐体１１ｑの一方の操作面から摺動方向に沿って堀り下がり、かつ、他方の操作面に向かって堀り上がる凹部形状に沿って摺動される。また、下部筐体１１ｑの内側であって、キートップ２４６に近い位置に、図１２に示したようなアクチュエータ機能付きのスピーカー３６ｂが備えられ、操作者の指３９ａに触覚を提示できるようになっている。なお、入力装置２１０の操作例については図３５を参照されたい。
【０２５３】
このように第２１の実施例に係る入力装置２１０によれば、第２０の実施例で説明した逆さ台凹形状のキートップ２４５に代えて、下部筐体１１ｑと長穴凹形状を有したキートップ２４６とが一体成形されて成るものである。
【０２５４】
従って、第１〜第６の実施例で説明したように下部筐体１１ｂの開口部１１ｃにキートップ１４や、１４１等を組み入れる方法に比べて入力装置２１０の組み立てが簡単になる。これにより、耐水性に富んだ密閉構造の入力装置２１０を提供できるようになる。なお、ドームスイッチ２５を省略したことによって、キートップ２４６の下り開始部Ｘ’付近と、上り終了部Ｙ’付近は蛇腹状加工を省略することができる。
【０２５５】
この例では、図３７Ａ及びＢに示したようにキートップ２４６を下部筐体１１ｑの右側に設ける場合について説明したが、もちろん、これに限られることはなく、下部筐体１１ｑの左側に設ける場合についても、同様な効果が得られることは言うまでもない。
【実施例２２】
【０２５６】
図３８Ａ及びＢは、第２２の実施例としての入力装置２２０の構成例を示す斜視図及び断面図である。
【０２５７】
この実施例では、第２１の実施例で説明した長穴凹形状のキートップ２４６に代えて、下部筐体１１ｒと逆さ蒲鉾形状を有したキートップ２４７とが一体成形されて成るものである。ドームスイッチ２５及び押し子１９は省略される。キートップ２４７による押し込み機能を適用する場合は、静電容量シート部材に代えて圧力検出シート部材をセンサ１３に使用すればよい。
【０２５８】
図３８Ａに示す入力装置２２０は、逆さ蒲鉾形状かつ裏面凸状を有したキートップ付きの下部筐体１１ｒを有している。下部筐体１１ｒによれば、キートップ２４７の操作面は、図１〜図３７に示したキートップ形状と異なり、逆さ蒲鉾形状を有している。この例で、キートップ２４７は、その幅をｗとし、下部筐体１１ｒの高さをｈとしたとき、ｗ＝ｈなる関係に形成されている。キートップ２４７の裏面は、図３８Ｂに示すように凸部状を有している。例えば、幅ｗのキートップ２４７となる蒲鉾ドーム形状を象った下部筐体用の金型に樹脂を封入してその部分が凹形状を成す高さｈの下部筐体１１ｒを形成する。
【０２５９】
この例でも、キートップ２４７の内側凹部にはセンサ１３が配置される。これにより、キートップ２４７を有した入力装置２２０を密閉構造とすることができる。キートップ２４７は下部筐体１１ｒの一方の操作面から摺動方向に沿って堀り下がり、かつ、他方の操作面に向かって堀り上がる凹部形状に沿って摺動される。また、下部筐体１１ｒの内側であって、キートップ２４７に近い位置に、図１２に示したようなアクチュエータ機能付きのスピーカー３６ｂが備えられ、操作者の指３９ａに触覚を提示できるようになっている。なお、入力装置２２０の操作例については図３５を参照されたい。
【０２６０】
このように第２２の実施例に係る入力装置２２０によれば、第２１の実施例で説明した長穴凹形状のキートップ２４６に代えて、下部筐体１１ｒと逆さ蒲鉾形状を有したキートップ２４７とが一体成形されて成るものである。
【０２６１】
従って、第１〜第６の実施例で説明したように下部筐体１１ｂの開口部１１ｃにキートップ１４や、１４１等を組み入れる方法に比べて入力装置２２０の組み立てが簡単になる。これにより、耐水性に富んだ密閉構造の入力装置２２０を提供できるようになる。なお、ドームスイッチ２５を省略したことによって、キートップ２４７の下り開始部Ｘ’付近と、上り終了部Ｙ’付近は蛇腹状加工を省略することができる。
【０２６２】
この例では、図３８Ａ及びＢに示したようにキートップ２４７を下部筐体１１ｒの右側に設ける場合について説明したが、もちろん、これに限られることはなく、下部筐体１１ｒの左側に設ける場合についても、同様な効果が得られることは言うまでもない。
【実施例２３】
【０２６３】
図３９は、第２３の実施例としての入力装置２３０の構成例を示す斜視図である。この実施例では、第１〜第１２の実施例で説明した各種形状を有した筐体側面配置用のキートップ１４，１４１〜１４６に代えて、下部筐体１１ｓの操作パネル１８’と、半球内面横一文字凹形状を有したキートップ２４８とが一体成形されるものである。
【０２６４】
図３９に示す入力装置２３０は、半球内面横一文字凹形状を有したキートップ付きの下部筐体１１ｓを有している。下部筐体１１ｓの上部は操作面となされ、上部操作面には数字「０」〜「９」のテンキーや、「＊」キー、「＃」キー等が配置された操作パネル１８’を有している。この例では、個々のキーは楕円形状を有している。
【０２６５】
下部筐体１１ｓによれば、キートップ２４８の操作面は、図１〜図３８に示したキートップ形状と異なり、半球内面横一文字凹形状に陥没している。キートップ２４８は、所定の深さ及び開口幅を有した有底状の半球凹形状を成している。下部筐体１１ｓのキートップ２４８の内側の構造については、図３４、図３７又は図３７Ｂに示したようなセンサ１３の構造が採られる（図３４、図３７又は図３７Ｂ参照）。キートップ２４８による押し込み機能を適用する場合は、静電容量シート部材に代えて圧力検出シート部材をセンサ１３に使用すればよい。
【０２６６】
下部筐体１１ｓは、例えば、キートップ２４８となる半球内面横一文字凹形状や、操作パネル１８’となる数字「０」〜「９」のテンキーや、「＊」キー、「＃」キー等を象った下部筐体用の金型に樹脂を封入してその部分が凹形状を成すように形成される。これにより、テンキー等の操作パネル１８’とキートップ２４８とが一体成形され、当該キートップ２４８を有した入力装置２３０を密閉構造とすることができる。キートップ２４８は下部筐体１１ｓの一方の操作面から摺動方向に沿って堀り下がり、かつ、他方の操作面に向かって堀り上がる凹部形状に沿って摺動される。また、下部筐体１１ｓの内側であって、キートップ２４８に近い位置に、図１２に示したようなアクチュエータ機能付きのスピーカー３６ｂが備えられ、操作者の指３９ａに触覚を提示できるようになっている。
【０２６７】
この例では、キートップ２４８は、半球内面横一文字凹形状（有底状の半球凹形状の一の軌道）に沿って摺動操作される。これにより、操作者の指３９ａによる摺動操作に対し、下部筐体１１ｓの一方の操作面から半球内面形状の一の軌道に沿って円弧状に堀り下がる摺動操作感覚に加えて、他方の操作面に向かって円弧状に堀り上がる摺動操作感覚を与えることができる。従って、従来方式の十字キーと異なる構造であって、当該十字キーには無いユニークな操作感覚が得られ、及び、当該形状のキートップ２４８は、情報を選択する情報選択キーとして応用できるようになる。
【０２６８】
このように、第２３の実施例に係る入力装置２３０によれば、下部筐体１１ｓの操作パネル１８’と、半球内面横一文字凹形状を有したキートップ２４８とが一体成形されて成るものである。従って、耐水性に富んだ密閉構造の入力装置２３０を提供できるようになる。しかも、半球内面横一文字円弧凹形状のキートップ２４８と、数字「０」〜「９」のテンキーや、「＊」キー、「＃」キー等を成す操作パネルとを別々に組み立てる方法に比べて入力装置２３０の組み立てが簡単になる。
【０２６９】
この例では、図３９に示したようにキートップ２４８を下部筐体１１ｓの表面側に設ける場合について説明したが、もちろん、これに限られることはなく、下部筐体１１ｓの裏面側に設ける場合についても、同様な効果が得られることは言うまでもない。
【実施例２４】
【０２７０】
図４０は、第２４の実施例としての入力装置２４０の構成例を示す斜視図である。この実施例では、第１〜第１２の実施例で説明した各種形状を有した筐体側面配置用のキートップ１４，１４１〜１４６に代えて、下部筐体１１ｔの操作パネル１８’と、半球内面縦一文字凹形状を有したキートップ２４９とが一体成形されるものである。
【０２７１】
図４０に示す入力装置２４０は、半球内面縦一文字凹形状を有したキートップ付きの下部筐体１１ｔを有している。下部筐体11ｔの上部は操作面となされ、上部操作面には数字「０」〜「９」のテンキーや、「＊」キー、「＃」キー等が配置された操作パネル１８’を有している。下部筐体１１ｔによれば、キートップ２４９の操作面は、図３９に示したキートップ形状と異なり、半球内面縦一文字凹形状に陥没している。キートップ２４９は、所定の深さ及び開口幅を有している。下部筐体１１ｔのキートップ２４９の内側の構造については、図３４、図３７又は図３７Ｂに示したようなセンサ１３の構造が採られる（図３４、図３７又は図３７Ｂ参照）。キートップ２４９による押し込み機能を適用する場合は、静電容量シート部材に代えて圧力検出シート部材をセンサ１３に使用すればよい。
【０２７２】
下部筐体１１ｔは、例えば、キートップ２４９となる半球内面縦一文字凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２４９を有した入力装置２４０を密閉構造とすることができる。キートップ２４９は下部筐体１１ｔの一方の操作面から摺動方向に沿って堀り下がり、かつ、他方の操作面に向かって堀り上がる凹部形状に沿って摺動される。また、下部筐体１１ｔの内側であって、キートップ２４９に近い位置に、図１２に示したようなアクチュエータ機能付きのスピーカー３６ｂが備えられ、操作者の指３９ａに触覚を提示できるようになっている。
【０２７３】
この例でキートップ２４９は、半球内面縦一文字凹形状に沿って摺動操作される。これにより、操作者の指３９ａによる摺動操作に対し、下部筐体１１ｔの他方の操作面から半球内面縦一文字凹形状（半球凹形状の一の軌道）に沿って円弧状に堀り下がる摺動操作感覚に加えて、他方の操作面に向かって凹形状に堀り上がる摺動操作感覚を与えることができる。従って、従来方式の十字キーと異なる構造であって、当該十字キーには無いユニークな操作感覚が得られ、及び、当該形状のキートップ２４９は、情報を選択する情報選択キーとして応用できるようになる。
【０２７４】
このように、第２４の実施例に係る入力装置２４０によれば、下部筐体１１ｔの操作パネル１８’と、半球内面縦一文字凹形状を有したキートップ２４９とが一体成形されて成るものである。従って、耐水性に富んだ密閉構造の入力装置２４０を提供できるようになる。しかも、半球内面縦一文字凹形状のキートップ２４９と、数字「０」〜「９」のテンキーや、「＊」キー、「＃」キー等を成す操作パネルとを別々に組み立てる方法に比べて入力装置２４０の組み立てが簡単になる。
【０２７５】
この例では、図４０に示したようにキートップ２４９を下部筐体１１ｔの表面側に設ける場合について説明したが、もちろん、これに限られることはなく、下部筐体１１ｔの裏面側に設ける場合についても、同様な効果が得られることは言うまでもない。
【実施例２５】
【０２７６】
図４１は、第２５の実施例としての入力装置２５０の構成例を示す斜視図である。この実施例では、第１〜第１２の実施例で説明した各種形状を有した筐体側面配置用のキートップ１４，１４１〜１４６に代えて、下部筐体１１ｕの操作パネル１８’と、半球内面十字凹形状を有したキートップ２５１とが一体成形されるものである。
【０２７７】
図４１に示す入力装置２５０は、半球内面十字凹形状を有したキートップ付きの下部筐体１１ｕを有している。下部筐体１１ｕの上部は操作面となされ、上部操作面には数字「０」〜「９」のテンキーや、「＊」キー、「＃」キー等が配置された操作パネル１８’を有している。下部筐体１１ｕによれば、キートップ２５１の操作面は、図４０に示したキートップ形状と異なり、半球内面十字凹形状に陥没している。下部筐体１１ｕのキートップ２５１の内側の構造については、図３４、図３７又は図３７Ｂに示したようなセンサ１３の構造が採られる（図３４、図３７又は図３７Ｂ参照）。キートップ２５１による押し込み機能を適用する場合は、静電容量シート部材に代えて圧力検出シート部材をセンサ１３に使用すればよい。
【０２７８】
下部筐体１１ｕは、例えば、キートップ２５１となる半球内面十字凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２５１を有した入力装置２５０を密閉構造とすることができる。キートップ２５１は操作パネル１８’の一方の操作面から摺動方向に沿って堀り下がり、かつ、他方の操作面に向かって堀り上がる凹部形状に沿って摺動される。また、下部筐体１１ｕの内側であって、キートップ２５１に近い位置に、図１２に示したようなアクチュエータ機能付きのスピーカー３６ｂが備えられ、操作者の指３９ａに触覚を提示できるようになっている。
【０２７９】
この例でキートップ２５１の半球内面十字凹形状は、図３９に示した半球内面横一文字凹形状と、図４０に示した半球内面縦一文字凹形状とを交差させた形状を有している。キートップ２５１は、半球内面横一文字凹形状に沿って摺動操作され、又は／及び、これと交差する半球内面縦一文字凹形状に沿って摺動操作される。
【０２８０】
これにより、操作者の指による摺動操作に対し、下部筐体１１ｕの一方の操作面から半球内面横一文字凹形状（半球凹形状の一の軌道）に沿って円弧状に堀り下がる摺動操作感覚に加えて、他方の操作面に向かって円弧凸状に堀り上がる摺動操作感覚を与えること、及び、下部筐体１１ｕの他方の操作面から半球内面横一文字凹形状（半球凹形状の一の軌道）と交差する他の軌道に沿って円弧状に堀り下がる摺動操作感覚に加えて、他方の操作面に向かって半球内面縦一文字凹形状に堀り上がる摺動操作感覚を与えることができる。
【０２８１】
図４２は、入力装置２５０’の構成例を示す分解斜視図である。この実施例では回路基板１７にドームスイッチ２５が設けられ、キートップ２５１の押し込み操作によってオン又は／及びオフするように操作される。図４２に示す入力装置２５０’によれば、下部筐体１１ｕ’内に回路基板１７を配設し、その上部からキートップアレイ３８を被せるようにして組み立てられる。
【０２８２】
この例では、図３７に示したような長穴凹形状を有したキートップ２４６（図３７参照）が形成され、かつ、ヒンジ機構を備えた下部筐体１１ｕ’が使用される。下部筐体１１ｕ’は、例えば、ヒンジ機構や、キートップ用の長穴凹形状を象った金型にＰＣ（ポリカーボネート）樹脂や、ＰＣ＋ＡＢＳ樹脂等を射出して成形したものが使用される。この例では、キートップ２４６を成形した後、ＵＶ（紫外線）塗装を施す。例えば、摩耗性を向上させる溶液をキートップ２４６の操作面に塗布する。その後、紫外線を照射して塗膜面を硬化させる。これにより、キートップ２４６の操作面の耐摩耗性を向上させることができる。
【０２８３】
下部筐体１１ｕ’を金属で形成する場合は、アルミニウム板や、マグネシウム板、ＳＵＳ３０４等のステンレス板を用い、これらの部材をプレス加工、深絞り加工、あるいは、押出し加工により、所定の位置にキートップ２４６を有した下部筐体１１ｕ’を形成する。キートップ２４６の内側には、センサ１３及び回路基板１７の順序で配置される。センサ１３は例えば、数字「０」〜「９」のテンキーや、「＊」キー、「＃」キー等を成すキートップアレイ３８に連続して形成される。
【０２８４】
キートップアレイ３８は、例えば、数字「０」〜「９」のテンキーや、「＊」キー、「＃」キー等を成す金型にシリコン樹脂等を射出してシリコンラバーを形成し、その後、シリコンラバーに静電容量シート又は、圧力検出シートを貼付して形成するようになされる。押し子１９はセンサ１３と回路基板１７の側部との間で挟持されるように配置される。回路基板１７は、例えば、フレキシブル配線板上にメタルドームを形成し、その上部に防水及び防塵シートを貼付したものが使用される。
【０２８５】
回路基板１７の上部の操作面側にはドームスイッチ２５が実装される。ドームスイッチ２５は、スイッチ部及びカバー部材から構成される。スイッチ部はバネ部材及び電極部材から構成され、カバー部材は絶縁部材から構成される（図１５参照）。ドームスイッチ２５は、バネ部材の付勢力に打ち勝って強く指等により押し込むことで、例えば、ＯＮする。キートップ２５１から指を離すと、バネ部材の付勢力によって、キートップ２５１が戻ってドームスイッチ２５がオフするようになされる。回路基板１７にはドームスイッチ２５の他にキートップアレイ３８を成す数字「０」〜「９」のテンキーや、「＊」キー、「＃」キー等を成す複数のキースイッチが実装される。
【０２８６】
このように、第２５の実施例に係る入力装置２５０によれば、下部筐体１１ｕの操作パネル１８’と、平面十字凹形状を有したキートップ２５１とが一体成形されて成るものである。従って、耐水性に富んだ密閉構造の入力装置２５０を提供できるようになる。しかも、従来方式のような平面十字凸形状のキートップと、数字「０」〜「９」のテンキーや、「＊」キー、「＃」キー等を成す操作パネルとを別々に組み立てる方法に比べて入力装置２５０の組み立てが簡単になる。
【０２８７】
また、入力装置２５０’によれば、キートップ２５１は、半球内面横一文字凹形状に沿って摺動操作され、又は／及び、これと交差する半球内面縦一文字凹形状に沿って摺動操作される。更に、キートップ２５１の押し込み操作によってドームスイッチ２５がオン又は／及びオフする。これにより、情報選択後、キートップ２５１を押し込み操作することによって、ドームスイッチ２５をオン又は／及びオフすることができ、入力を決定する際の確定キーに応用できるようになる。従って、従来方式の十字キーと異なる構造であって、当該十字キーには無いユニークな操作感覚が得られ、及び、当該形状のキートップ２５１は、各種情報を検索する際のスクロールキーの検索ピッチや、音量を調整する際のボリュームキー等の音量調整ピッチを広く設定できるようになる。
【０２８８】
この例では、図４２に示したようにキートップ２５１を下部筐体１１ｕの表面側に設ける場合について説明したが、もちろん、これに限られることはなく、下部筐体１１ｕの裏面側に設ける場合についても、同様な効果が得られることは言うまでもない。
【実施例２６】
【０２８９】
図４３は、第２６の実施例としての入力装置２６０の構成例を示す斜視図である。この実施例では、第１〜第１２の実施例で説明した各種形状を有した筐体側面配置用のキートップ１４，１４１〜１４６に代えて、下部筐体１１ｖの操作パネル１８’と、半球内面凹形状を有したキートップ２５２とが一体成形されるものである。
【０２９０】
図４３に示す入力装置２６０は、半球内面凹形状を有したキートップ付きの下部筐体１１ｖを有している。下部筐体１１ｖの上部は操作面となされ、上部操作面には数字「０」〜「９」のテンキーや、「＊」キー、「＃」キー等が配置された操作パネル１８’を有している。操作パネル１８’の個々のキーは楕円形状を有している。下部筐体１１ｖによれば、キートップ２５２の操作面は、図４１に示したキートップ形状と異なり、半球内面凹形状に陥没している。下部筐体１１ｖのキートップ２５２の内側の構造については、図３４、図３７又は図３７Ｂに示したようなセンサ１３の構造が採られる（図３４、図３７又は図３７Ｂ参照）。キートップ２５２による押し込み機能を適用する場合は、静電容量シート部材に代えて圧力検出シート部材をセンサ１３に使用すればよい。
【０２９１】
下部筐体１１ｖは、例えば、キートップ２５２となる半球内面凹形状や、操作パネル１８’となる数字「０」〜「９」のテンキーや、「＊」キー、「＃」キー等を象った下部筐体用の金型に樹脂を封入してその部分が凹形状を成すように形成される。これにより、キートップ２５２を有した入力装置２６０を密閉構造とすることができる。また、下部筐体１１ｖの内側であって、キートップ２５２に近い位置に、図１２に示したようなアクチュエータ機能付きのスピーカー３６ｂが備えられ、操作者の指３９ａに触覚を提示できるようになっている。
【０２９２】
この例で、キートップ２５２の半球内面凹形状は、所定の深さ及び開口幅を有した凹形状を成している。キートップ２５２は、半球内面凹形状の一の軌道に沿って摺動操作され、又は／及び当該軌道と交差する他の軌道に沿って摺動操作される。これにより、操作者の指による摺動操作に対し、下部筐体１１ｖの一方の操作面から半球内面凹形状の一の軌道に沿って円弧状に掘り下がる摺動操作感覚に加えて、他方の操作面に向かって円弧状に掘り上がる摺動操作感覚を与えること、及び、下部筐体１１ｖの他方の操作面から半球内面凹形状の一の軌道と交差する他の軌道に沿って円弧状に掘り下がる摺動操作感覚に加えて、他方の操作面に向かって円弧状に掘り上がる摺動操作感覚を与えることができる。
【０２９３】
このように、第２６の実施例に係る入力装置２６０によれば、下部筐体１１ｖの操作パネル１８’と、半球内面凹形状を有したキートップ２５２とが一体成形されて成るものである。従って、耐水性に富んだ密閉構造の入力装置２６０を提供できるようになる。しかも、半球内面凹形状のキートップ２５２と、数字「０」〜「９」のテンキーや、「＊」キー、「＃」キー等を成す操作パネルとを別々に組み立てる方法に比べて入力装置２６０の組み立てが簡単になる。また、従来方式の十字キーと異なる構造であって、当該十字キーには無いユニークな操作感覚が得られる。更に、半球内面凹形状のキートップ２５２は、情報を選択する情報選択キーとして応用できるようになる。例えば、キートップ２５２の一方向又は複数方向へのスライド操作、一方向への押し込む操作による情報選択及び、その決定操作を実現することが可能となる。
【０２９４】
この例では、図４３に示したようにキートップ２５２を下部筐体１１ｖの表面側に設ける場合について説明したが、もちろん、これに限られることはなく、下部筐体１１ｖの裏面側に設ける場合についても、同様な効果が得られることは言うまでもない。
【実施例２７】
【０２９５】
図４４は、第２７の実施例としての入力装置２７０の構成例を示す斜視図である。この実施例では、第１８の実施例で説明した半球凹形状を有したキートップ１５２に代えて、下部筐体１１ｗの操作パネル１８と、半球外面十字凸形状のキートップ１５３とが一体成形されるものである。
【０２９６】
図４４に示す入力装置２７０は、半球外面十字凸形状を有したキートップ付きの下部筐体１１ｗを有している。下部筐体１１ｗの上部は操作面となされ、上部操作面には数字「０」〜「９」のテンキーや、「＊」キー、「＃」キー等が配置された操作パネル１８を有している。下部筐体１１ｗによれば、キートップ１５３の操作面は、図３２に示したキートップ形状と異なり、半球外面十字凸形状に隆起している。下部筐体１１ｗのキートップ１５３の内側の構造については、図２０、図２１又は図２２Ｂに示したようなセンサ１３の構造が採られる（図２０、図２１又は図２２Ｂ参照）。
【０２９７】
下部筐体１１ｗは、例えば、キートップ１５３となる半球外面十字凸形状や、操作パネル１８となる数字「０」〜「９」のテンキーや、「＊」キー、「＃」キー等を象った下部筐体用の金型に樹脂を封入してその部分が凸形状を成すように形成される。これにより、キートップ１５３を有した入力装置２７０を密閉構造とすることができる。また、下部筐体１１ｗの内側であって、キートップ１５３に近い位置に、図１２に示したようなアクチュエータ機能付きのスピーカー３６ｂが備えられ、操作者の指３９ａに触覚を提示できるようになっている。
【０２９８】
この例で、キートップ１５３は、所定の高さ及び幅を有した半球外面十字凸形状を成している。十字部位の各頂点には、銀杏の葉状（略三角形）のタッチマーク５３ａ〜５３ｄ（キーマーク）が設けられる。キートップ１５３は、半球外面十字凸形状の一の軌道に沿って摺動操作され、又は／及び当該軌道と交差する他の軌道に沿って摺動操作される。更に、４個のタッチマーク５３ａ〜５３ｄを個別に押し込むようになされる。押し込み部位は、４個のタッチマーク５３ａ〜５３ｄの他に、キートップ１５３の頂上部位を押し込むように操作される。
【０２９９】
これにより、操作者の指による摺動操作に対し、下部筐体１１ｗの一方の操作面から半球外面十字凸形状の一の軌道に沿って円弧状に盛り上がる摺動操作感覚に加えて、他方の操作面に向かって円弧状に盛り下がる摺動操作感覚を与えること、及び、下部筐体１１ｗの他方の操作面から半球外面十字凸形状の一の軌道と交差する他の軌道に沿って円弧状に盛り上がる摺動操作感覚に加えて、他方の操作面に向かって円弧状に盛り下がる摺動操作感覚を与えることができる。
【０３００】
更に、４個のタッチマーク５３ａ〜５３ｄや、キートップ１５３の頂上部位の押し込み操作によって、図１２に示したようなアクチュエータ機能付きのスピーカー３６ｂからキートップ１５３へ振動を伝播するようになされ、操作者の指へ触覚を提示できるようになされる。
【０３０１】
このように、第２７の実施例に係る入力装置２７０によれば、下部筐体１１ｗの操作パネル１８と、半球外面十字凸形状を有したキートップ１５３とが一体成形されて成るものである。従って、耐水性に富んだ密閉構造の入力装置２７０を提供できるようになる。しかも、半球外面十字凸形状のキートップ１５３と、数字「０」〜「９」のテンキーや、「＊」キー、「＃」キー等を成す操作パネルとを別々に組み立てる方法に比べて入力装置２７０の組み立てが簡単になる。また、従来方式の十字キーと異なる構造であって、当該十字キーには無いユニークな操作感覚が得られ、及び、当該半球外面十字凸形状のキートップ１５３は、情報を選択する情報選択キーとして応用できるようになる。
【０３０２】
この例では、図４４に示したようにキートップ１５３を下部筐体１１ｗの表面側に設ける場合について説明したが、もちろん、これに限られることはなく、下部筐体１１ｗの裏面側に設ける場合についても、同様な効果が得られることは言うまでもない。
【実施例２８】
【０３０３】
図４５は、第２８の実施例としての入力装置２８０の構成例を示す斜視図である。図４５に示す入力装置２８０は、図４１に示した入力装置２５０に光導伝部材１６１が追加され、この例では、半球内面十字凹形状のキートップ付きの下部筐体１１ｚを有している。下部筐体１１ｚの上部は操作面となされ、上部操作面には数字「０」〜「９」のテンキーや、「＊」キー、「＃」キー等が配置された操作パネル１８’を有している。下部筐体１１ｚによれば、キートップ２５１の操作面は、図４１に示した入力装置２５０と異なり、キートップ２５１の周囲が光導伝部材１６１から構成されている。下部筐体１１ｚには、ポリカーボネート（ＰＣ）樹脂や、ＡＢＳ樹脂を金型射出成形したものが使用される。
【０３０４】
光導伝部材１６１は、内側に開口部６１ｅを有した円柱環状を成している。光導伝部材１６１の外周縁部には、例えば、４個の凹凸状の三角マーク６１ａ〜６１ｄが設けられる。光導伝部材１６１には、透明性のアクリル系の樹脂を金型射出成形したものが使用される。もちろん、光導伝部材１６１とキートップ２５１とを一体形成してもよい。厚みは１．０ｍｍ程度である。材質はポリカーボネート等である。
【０３０５】
この例では、操作パネル１８’上のキートップ２５１の外周縁部に光導伝部材１６１の開口部６１ｅが嵌め込まれる。下部筐体１１ｚ内には回路基板１７’が実装される。回路基板１７’には厚み１．１ｍｍ程度のガラスエポキシ基板が使用される。回路基板１７’の所定の位置、例えば、キートップ２５１の下方で対峙する位置には光源の一例を構成する複数のＬＥＤ素子６２ａ〜６２ｅが設けられ、光導伝部材１６１や、キートップ２５１の中央部付近に光を照射するようになされる。
【０３０６】
例えば、ＬＥＤ素子６２ａが光導伝部材１６１の三角マーク６１ａにＬＥＤ光を照射し、ＬＥＤ素子６２ｂがその三角マーク６１ｂにＬＥＤ光を照射し、ＬＥＤ素子６２ｃがその三角マーク６１ｃにＬＥＤ光を照射し、ＬＥＤ素子６２ｄがその三角マーク６１ｄにＬＥＤ光を照射する。ＬＥＤ素子６２ｅはキートップ２５１の中央部付近にＬＥＤ光を照射するようになされる。もちろん、光源を１つにまとめて分光し配光するようにしてもよい。ＬＥＤ素子６２ａ〜６２ｅには赤色光を発光するレーザダイオードや、緑色光を発光するレーザダイオード、青色光を発光するレーザダイオードが使用される（ＬＥＤ光拡散構造）。
【０３０７】
このように第２８の実施例に係る入力装置２８０によれば、キートップ２５１には光導伝部材１６１が設けられ、ＬＥＤ素子６２ａ〜６２ｅから照射されたＬＥＤ光でキートップ２５１及びその周辺部を光らせることができ、入力装置２８０の操作性を向上させることができる。しかも、キートップ２５１が光ることで、当該入力装置２８０を応用した携帯電話機や、ビデオカメラ、デジタルカメラ等の電子機器の意匠性が向上し、ユーザの購買意欲を誘導できるようになる。上述したＬＥＤ光拡散構造は、第２８の実施例に限られることはなく、第１〜第２７の実施例について適用してもよい。
【０３０８】
この例では、図４５に示したようにキートップ２５１を下部筐体１１ｚの表面側に設ける場合について説明したが、もちろん、これに限られることはなく、下部筐体１１ｚの裏面側に設ける場合についても、同様な効果が得られることは言うまでもない。
【実施例２９】
【０３０９】
図４６は、第２９の実施例に係る入力装置２９０の構成例を示す分解斜視図である。図４６に示す入力装置２９０は、図１、図２６及び図２８に示した携帯電話機１０１〜１０３の表示部２９上に、図３３に示した入力装置１８０のキートップ１５２の構造を適用するようにしたものである。
【０３１０】
図４６に示す入力装置２９０は表示部２９を有して構成される。入力装置２９０は、表示トップ部材６３、センサ１３’及びＬＣＤ素子６４が上部から順に積層されて構成される。表示部２９は表示トップ部材６３及びＬＣＤ素子６４を有して構成され、その所定の位置には凸状を成したキートップ１５２’が配設される。表示部２９は、キートップ１５２’によって入力される情報を表示する。
【０３１１】
表示トップ部材６３はセンサ１３’の全体を覆うように組み立てられる。表示トップ部材６３には、厚さ１．０ｍｍ程度のポリカーボネート等が使用され、この例では、表示トップ部材６３の所定の位置にキートップ１５２’を構成する凸部が設けられる。センサ１３’には静電容量シート部材や、圧力検出シート部材等が使用される。
【０３１２】
キートップ１５２’は、操作性を良くするために、例えば、表示部２９の中央部位よりやや上方又は下方位置に配設するとよい。キートップ１５２’は、表示トップ部材６３に貼付する方法や、キートップ用の樹脂を金型射出成形して、表示トップ部材６３とキートップ１５２’とを一体形成する方法で形成するとよい。厚みは１．０ｍｍ程度である。センサ１３’の裏面側には、ＬＣＤ素子６４が配置され、ＬＣＤ素子６４には厚み１．７ｍｍ程度のカラー用の液晶表示素子が使用される。
【０３１３】
この例で、キートップ１５２’は、所定の高さ及び幅を有した半球凸形状を成している。キートップ１５２’は、半球凸形状の一の軌道に沿って摺動操作され、又は／及び当該軌道と交差する他の軌道に沿って摺動操作される。もちろん、表示部２９にＬＣＤ素子６４を介して入力情報を選択させるためのアイコン映像を表示し、このアイコン映像に沿って操作者の指を摺動操作させるようにしてもよい。
【０３１４】
このように、第２９の実施例に係る入力装置２９０によれば、表示トップ部材６３、センサ１３’及びＬＣＤ素子６４が順に積層された表示部２９の中央部位よりやや上方又は下方位置にキートップ１５２’が設けられ、表示トップ部材６３と、半球凸形状を有したキートップ１５２’とが一体成形又は、表示トップ部材６３上にキートップ１５２’が貼付されて成るものである。
【０３１５】
従って、耐水性に富んだ密閉構造の入力装置２９０を提供できるようになる。しかも、操作者の指による摺動操作に対し、表示部２９の表示トップ部材６３の一方の表示面から半球凸形状の一の軌道に沿って円弧状に盛り上がる摺動操作感覚に加えて、他方の表示面に向かって円弧状に盛り下がる摺動操作感覚を与えること、及び、表示トップ部材６３の他方の表示面から半球凸形状の一の軌道と交差する他の軌道に沿って円弧状に盛り上がる摺動操作感覚に加えて、他方の表示面に向かって円弧状に盛り下がる摺動操作感覚を与えることができる。
【０３１６】
これにより、当該入力装置２９０を応用した携帯電話機や、ビデオカメラ、デジタルカメラ等の電子機器の入力操作性が向上し、従来方式のタッチパネルには無いユニークな操作感覚が得られるようになる。
【０３１７】
次に、触覚入力機能付きの携帯電話機１０１等について説明をする。図４７は、携帯電話機１０１等の制御系の構成例及びその感触フィードバック機能例を示すブロック図である。
【０３１８】
図４７に示す携帯電話機１０１等は、下部筐体１１ｂの回路基板１７等に各機能のブロックを実装して構成される。なお、図１〜図１３等に示した各部と対応する部分は、同一符号で示している。携帯電話機１０１等は、制御部１５、操作パネル１８、受信部２１、送信部２２、アンテナ共用器２３、入力装置３００、表示部２９、電源ユニット３３、カメラ３４、記憶部３５、着信メロディ用のスピーカー３６ａ、アクチュエータ機能付きのスピーカー３６ｂを有している。
【０３１９】
図４７に示す入力装置３００は、センサ１３に関して、図１〜図４１では静電容量シート部材を使用する場合について説明したが、摺動操作（カーソリング）と押し込み（選択決定）の機能を区別できるものであれば何でも良く、例えば、圧力検出シート部材等の入力デバイスであっても良く、好ましくは位置検出情報と押し込み検出情報を制御部１５に与えられる構成の入力デバイスであれば良い。
【０３２０】
入力装置３００は、携帯電話機１０１等を構成する下部筐体に設けられ、操作者の指３９ａによる摺動操作及び押し込み操作によって情報を入力する。例えば、入力装置３００は操作者の指３９ａの摺動位置又は押し込み力を検出して、少なくとも、位置検出信号♯Ｓ１および押し込み検出信号♯Ｓ２を制御部１５に出力するようになされる。
【０３２１】
入力装置３００には、第１〜第２９の実施例に係る入力装置１０〜２９０が使用される。例えば、第２９の実施例に係る入力装置２５０が使用される場合、入力装置２５０は、下部筐体１１ｕ内に設けられて操作者の指の摺動位置を検出するセンサ１３と、センサ１３を覆うように設けられ、下部筐体１１ｕの操作面に沿って摺動操作されるキートップ２４６とを有し、キートップ２４６は、下部筐体１１ｕの一方の操作面から摺動方向に沿って掘り下がり、かつ、他方の操作面に向かって堀り上がる凹部形状を含んでいる（図４１及び図４２参照）。
【０３２２】
制御部１５は制御系を構成し、画像処理部２６、Ａ／Ｄドライバ３１、ＣＰＵ３２及びメモリ部３７を有している。Ａ／Ｄドライバ３１には、入力装置３００からの位置検出信号♯Ｓ１および押し込み検出信号♯Ｓ２が供給される。Ａ／Ｄドライバ３１ではカーソリングとアイコン選択の機能を区別するために位置検出信号♯Ｓ１および押し込み検出信号♯Ｓ２よりなるアナログ信号をデジタルデータに変換する。この他にＡ／Ｄドライバ３１は、このデジタルデータを演算処理して、カーソリング入力かアイコン選択情報かを検出し、カーソリング入力かアイコン選択かを区別するフラグデータＤ３あるいは位置検出情報Ｄ１または押し込み検出情報Ｄ２をＣＰＵ３２に供給するようになされる。これらの演算はＣＰＵ３２内で実行してもよい。
【０３２３】
Ａ／Ｄドライバ３１にはＣＰＵ３２が接続される。ＣＰＵ３２はシステムプログラムに基づいて当該電話機全体を制御するようになされる。記憶部３５には当該電話器全体を制御するためのシステムプログラムデータが格納される。図示しないＲＡＭはワークメモリとして使用される。ＣＰＵ３２は電源オンと共に、記憶部３５からシステムプログラムデータを読み出してＲＡＭに展開し、当該システムを立ち上げて携帯電話機全体を制御するようになされる。
【０３２４】
例えば、ＣＰＵ３２は、Ａ／Ｄドライバ３１からの位置検出情報Ｄ１、押し込み検出情報Ｄ２及びフラグデータＤ３（以下単に入力データともいう）を受けて所定の指令データＤを電源ユニット３３や、カメラ３４、記憶部３５、メモリ部３７、映像＆音声処理部４４等のデバイスに供給したり、受信部２１からの受信データを取り込んだり、送信部２２へ送信データを転送するように制御する。
【０３２５】
映像＆音声処理部４４には表示部２９が接続され、例えば、センサ１３によって検出された操作者の指３９ａの摺動操作や押し込み操作に対応したスクロール画像２９ａや２９ｂ等が表示される。この例で、ＣＰＵ３２は操作者の指３９ａの摺動操作速度を検出し、当該操作者の指３９ａの摺動操作速度に応じて表示部２９におけるスクロール画像２９ａや２９ｂ等の表示ピッチを調整する。このように表示制御すると、情報検索時、操作者の指３９ａの摺動操作速度が速い場合に、表示部２９におけるスクロール画像２９ｂ等の表示ピッチを狭く設定すること、反対に、操作者の指３９ａの摺動操作速度が遅い場合には、表示部２９におけるスクロール画像２９ａ等の表示ピッチを広く設定するように調整できるようになる。従って、情報検索対象が複数存在する場合において、目的のスクロール画像から遠い場合は、スクロール画像を荒く飛ばすように送り、目的のスクロール画像に近づいたときは、ゆっくりとスクロール画像を送るように検索できるように操作体のＸ方向およびＹ方向の速度なる。
【０３２６】
この例でセンサ１３に圧力検出シート部材が使用される場合であって、ＣＰＵ３２はスクロール画像２９ａや２９ｂ等の表示ピッチ調整の他に、入力装置３００から得られる押し込み検出情報Ｄ２と予め設定された押下判定閾値Ｆthとを比較し、当該比較結果に基づいてアクチュエータ機能付きのスピーカー３６ｂを振動制御するようにメモリ部３７を読み出し制御する。例えば、入力装置３００の押下位置における操作面から伝播される触覚をＡ及びＢとすると、触覚＃Ａは、その摺動位置における操作者の指３９ａの摺動操作に応じた操作面を低周波数かつ小振幅の振動パターンから、高周波数かつ大振幅の振動パターンに変化させることによって得られる。また、触覚＃Ｂは、その摺動位置における操作者の指３９ａの押し込み力の有無に応じた操作面を高周波数かつ大振幅の振動パターンから、低周波数かつ小振幅の振動パターンに変化させることよって得られる。
【０３２７】
上述のＣＰＵ３２には記憶部３５が接続され、入力項目選択用の表示画面を、例えば、３次元的に表示するための表示データＤ４や、当該表示データＤ４に対応したアイコンの選択位置及び振動モードに関する制御情報Ｄｃ等が表示画面毎に記憶される。制御情報Ｄｃには、表示部２９におけるアプリケーション（３次元的な表示や、各種表示内容）に同期した複数の異なった触覚を発生でき、その触覚を発生せしめる複数の具体的な振動波形、及び、アプリケーション毎の具体的な触覚発生モードを設定するアルゴリズムが含まれる。記憶部３５には、ＥＥＰＲＯＭや、ＲＯＭ、ＲＡＭ等が使用される。
【０３２８】
この例でＣＰＵ３２は、Ａ／Ｄドライバ３１から出力される位置検出情報Ｄ１、押し込み検出情報Ｄ２及びフラグデータＤ３に基づいて表示部２９の表示制御及び、アクチュエータ機能付きのスピーカー３６ｂの出力制御をする。例えば、制御部１５は、入力装置３００から得られる位置検出信号♯Ｓ１及び押し込み検出信号♯Ｓ２に基づいて記憶部３５から制御情報Ｄｃを読み出して、メモリ部３７へアクセスし、アクチュエータ機能付きのスピーカー３６ｂに振動発生信号Ｓａを供給するような制御がなされる。
【０３２９】
この例でセンサ１３に圧力検出シート部材が使用される場合であって、ＣＰＵ３２は、押下判定閾値Ｆth以下の押し込み検出情報Ｄ２を検出したとき、触覚＃Ａを起動し、その後、入力装置３００が押下判定閾値Ｆthを越える押し込み検出情報Ｄ２を検出したとき、触覚＃Ｂを起動するように、メモリ部３７を読み出し制御する。このようにすると、操作者の指３９ａ等の”加圧力”に合わせた異なる振動パターンを発生させることができる。
【０３３０】
ＣＰＵ３２にはメモリ部３７が接続され、ＣＰＵ３２からの制御情報Ｄｃに基づいて振動発生データＤａを読み出す。振動発生データＤａは、正弦波形からなる出力波形を有している。メモリ部３７には映像＆音声処理部４４が接続され、各々の振動発生データＤａが映像＆音声処理部４４に供給され、その振動発生データＤａが音声処理（デジタル・アナログ変換・増幅等）され、振動発生信号Ｓout２となってアクチュエータ機能付きのスピーカー３６ｂに供給される。スピーカー３６ｂは、振動発生信号Ｓout２に基づいて振動するようになされる。
【０３３１】
この例で、メモリ部３７は、各アプリケーションに対応する押下判定閾値Ｆthを記憶する。例えば、押下判定閾値Ｆthはトリガーパラメータとして記憶部３５に設けられたＲＯＭ等に予め格納される。記憶部３５は、ＣＰＵ３２の制御を受けて、押し込み検出情報Ｄ２を入力し、予め設定された押下判定閾値Ｆthと、押し込み検出情報Ｄ２から得られる押し込み力Ｆを比較し、Ｆth≧Ｆの判定処理や、Ｆth＜Ｆ等の判定処理を実行する。
【０３３２】
例えば、押下判定閾値Ｆth＝１００［ｇｆ］をメモリ部３７に設定すると、クラシックスイッチの触覚を得るための振動パターンに基づいて操作面を振動するようになされる。また、押下判定閾値Ｆth＝２０［ｇｆ］を設定すると、サイバースイッチの触覚を得るための振動パターンに基づいて操作面を振動するようになされる。
【０３３３】
ＣＰＵ３２にはメモリ部３７の他に画像処理部２６が接続され、スクロール画像２９ａや２９ｂ等をスクロール表示するための表示データＤ４を画像処理するようになされる。画像処理後の表示データＤ４を表示部２９に供給するようになされる。この例で、ＣＰＵ３２は、表示画面中のスクロール画像２９ａや２９ｂ等を奥行方向に遠近感を有して３次元的に表示するように表示部２９を表示制御する。
【０３３４】
表示部２９の表示内容は操作者の目による視覚により、スピーカー３６ａ，３６ｂ等からの放音は、操作者の耳による聴覚により各機能を判断するようになされる。上述のＣＰＵ３２には操作パネル１８が接続され、例えば、相手方の電話番号を手動入力する際に使用される。表示部２９には上述のアイコン選択画面の他に映像信号Ｓｖに基づいて着信映像を表示するようにしてもよい。
【０３３５】
また、図４７に示すアンテナ１６は、アンテナ共用器２３に接続され、着呼時、相手方からの無線電波を基地局等から受信する。アンテナ共用器２３には受信部２１が接続され、アンテナ１６から導かれる受信データを受信して映像や音声等を復調処理し、復調後の映像及び音声データＤinをＣＰＵ３２等に出力するようになされる。受信部２１には、ＣＰＵ３２を通じて映像＆音声処理部４４が接続され、デジタルの音声データをデジタル／アナログ変換して音声信号Ｓoutを出力したり、デジタルの映像データをデジタル／アナログ変換して映像信号Ｓｖを出力するようになされる。
【０３３６】
映像＆音声処理部４４には大音響用を構成するスピーカー３６ａ及び、受話器を構成するアクチュエータ機能付きのスピーカー３６ｂが接続される。スピーカー３６ａは、着呼時、音響信号Ｓout１に基づいて着信音や着信メロディ等を鳴動するようになされる。スピーカー３６ｂは、音声信号Ｓout２’を入力して相手方の話声３０ｄ等を拡大するようになされる。また、スピーカー３６ｂは、触覚提示時、振動発生信号Ｓout２に基づいて振動するようになされる。
【０３３７】
この映像＆音声処理部４４にはスピーカー３６ａ，３６ｂの他に、送話器を構成するマイクロフォン４３が接続され、操作者の声を集音して音声信号Ｓinを出力するようになされる。映像＆音声処理部４４は、発呼時、相手方へ送るためのアナログの音声信号Ｓinをアナログ／デジタル変換してデジタルの音声データを出力したり、アナログの映像信号Ｓｖをアナログ／デジタル変換してデジタルの映像データを出力するようになされる。
【０３３８】
ＣＰＵ３２には受信部２１の他に、送信部２２が接続され、相手方へ送るための映像及び音声データＤout等を変調処理し、変調後の送信データをアンテナ共用器２３を通じアンテナ１６に供給するようになされる。アンテナ１６は、アンテナ共用器２３から供給される無線電波を基地局等に向けて輻射するようになされる。
【０３３９】
上述のＣＰＵ３２には送信部２２の他に、カメラ３４が接続され、被写体を撮影して、例えば、静止画情報や動作情報を送信部２２を通じて相手方に送信するようになされる。カメラ３４は上部筐体１１ｘの背面側に設けてもよい。電源ユニット３３は、バッテリー（不図示）を有しており、操作パネル１８、受信部２１、送信部２２、表示部２９、ＣＰＵ３２、カメラ３４、記憶部３５、メモリ部３７、映像＆音声処理部４４及び入力装置３００にＤＣ電源を供給するようになされる。なお、この例で、メモリ部３７を映像＆音声処理部４４とは別個に設ける場合について説明したが、映像＆音声処理部４４に備え付けの記憶装置を兼用するようにしてもよい。部品点数が低減できる。
【０３４０】
図４８Ａ及びＢは、触覚＃Ａ及び＃Ｂに係る振動パターン例を示す波形図である。図４８Ａ及びＢにおいて、いずれも横軸は、時刻（時間）ｔである。縦軸は振動発生信号Ｓａの振幅Ａｘ［Ｖ］である。この例では、表示部２９に表示されるスクロール画像２９ａや２９ｂ等において、例えば、操作者の指３９ａの摺動操作時に触覚＃Ａ及び触覚＃Ｂを与える。この例では、キートップ２４６上をなぞって摺動操作する場合は触覚＃Ａを与え、キートップ２４６を押し込む場合は触覚＃Ｂを与える場合を例に挙げる。
【０３４１】
図４８Ａに示す第１の振動パターンＰａは触覚＃Ａを与える波形である。その触覚＃Ａの駆動条件ａは、キートップ２４６によってスクロール操作（摺動操作）する場合であって、押下判定閾値Ｆthと加圧力Ｆとの関係がＦth≧Ｆとなる場合であって、第１段階ｉで約０．１秒間、周波数ｆｘ＝５０Ｈｚ、振幅Ａｘ＝５μｍ、回数Ｎｘ＝２回の振動パターンで振動する。以下［ｆｘ  Ａｘ  Ｎｘ］＝［５０  ５  ２］と表記する。同様にして、第２段階iiでは、約０．１秒間、［ｆｘ  Ａｘ  Ｎｘ］＝［１００  １０  ２］の振動パターンで振動するようになされる。このような振動パターンに基づいて操作面を振動すると、ジョグダイヤルスイッチ等の触覚を得ることができる。
【０３４２】
図４８Ｂに示す第２の振動パターンＰｂは触覚＃Ｂを与える波形である。その触覚＃Ｂの駆動条件ｂは、スクロール画像２９ａ等をキートップ２４６によってスクロール操作（摺動操作）した後に、情報選択決定（確定）操作等によって、キートップ２４６が押し込まれたとき、押下判定閾値Ｆthと加圧力Ｆとの関係がＦth＜Ｆとなる場合である。この場合、第１段階ｉで約０．１秒間、［ｆｘ  Ａｘ  Ｎｘ］＝［８０  ８  ２］で振動し、同様にして、第２段階iiでは、約０．１秒間、［ｆｘ  Ａｘ  Ｎｘ］＝［４０  ８  ２］の振動パターンで振動する。これにより、ドームスイッチ２５と同じ情報選択決定（確定）操作を実行できるようになる。この例で押下判定閾値Ｆth＝１００［ｇｆ］を設定すると、クラシックスイッチの触覚を得ることができる。
【０３４３】
図４９Ａ及びＢは、加圧力Ｆと振動パターンとの関係例（その１）を示す図である。この例でセンサ１３に圧力検出シート部材が使用される場合であって、図４９Ａに示す縦軸は加圧力Ｆであり、押し込み検出信号♯Ｓ２（二値化後は押し込み検出情報Ｄ２）から得られる。図４９Ｂにおいて、縦軸は振動発生信号Ｓａの振幅［Ｖ］である。図４９Ａ及びＢにおいて、横軸はいずれもサンプリング時刻ｔである。サンプリング時刻ｔとは、センサ１３の出力値を所定の周波数のサンプリングクロックで走査して圧力検出シート部材に加わった加圧力Ｆをラッチするタイミングをいう。
【０３４４】
一般に、ボタンスイッチ操作等において、入力モーションピークが存在する。設計通りの押下速度（操作入力速度）である場合、その加圧力Ｆは３０［ｇｆ］乃至２４０［ｇｆ］程度であることが知られている。図４９Ａに示す加圧力分布波形Ｉａは、入力装置設計時に基準とした、押し込み方向（Ｚ方向）への押下速度による加圧力Ｆを反映したものである。
【０３４５】
この例で入力装置３００から得られる押し込み検出信号♯Ｓ２に対して予め押下判定閾値Ｆthが設定され、ＣＰＵ３２は、押し込み検出信号♯Ｓ２の立ち上がり波形が押下判定閾値Ｆthを横切るサンプリング時刻ｔ１１に第１の振動パターンＰａを発生し、押し込み検出信号♯Ｓ２の立ち下がり波形が押下判定閾値Ｆthを横切るサンプリング時刻ｔ２１に第２の振動パターンＰｂを発生するようにメモリ部３７を読み出し制御する。
【０３４６】
このようにすると、入力装置３００が摺動操作時に基準とした加圧力Ｆを検出する場合であって、押下判定閾値Ｆth≧加圧力Ｆを検出したとき、触覚＃Ａを起動することができる。ＣＰＵ３２等が押下判定閾値Ｆth＜加圧力Ｆを検出したとき、触覚＃Ｂを起動することができる。なお、振動パターンＰａと振動パターンＰｂとの間には、無振動の空白期間Ｔｘ＝Ｔ１が設けられる。この空白期間Ｔｘは、押し込み方向への押圧速度に応じて可変するようになされる。
【０３４７】
図５０Ａ及びＢは、加圧力Ｆと振動パターンとの関係例（その２）を示す図である。この例でもセンサ１３に圧力検出シート部材が使用される場合であって、図５０Ａにおいて、縦軸は加圧力Ｆであり、押し込み検出信号♯Ｓ２（二値化後は押し込み検出情報Ｄ２）から得られる。図５０Ｂにおいて、縦軸は振動発生信号Ｓａ（振幅）である。図５０Ａ及びＢにおいて、横軸はいずれも時間ｔである。
【０３４８】
図５０Ａに示す加圧力分布波形IIａは、摺動操作の途中で、スクロール画像２９ａや２９ｂ等を押下した場合の加圧力Ｆを反映したものである。この例でも、図４９Ａと同様にして、入力装置３００から得られる押し込み検出信号♯Ｓ２に対して予め押下判定閾値Ｆthが設定され、ＣＰＵ３２は、押し込み検出信号♯Ｓ２の立ち上がり波形が押下判定閾値Ｆthを横切るサンプリング時刻ｔ１２に振動パターンＰａを発生し、押し込み検出信号♯Ｓ２の立ち下がり波形が押下判定閾値Ｆthを横切るサンプリング時刻ｔ２２に振動パターンＰｂを発生するようにメモリ部３７を読み出し制御する。
【０３４９】
このようにすると、入力装置３００は摺動操作中に、スクロール画像２９ａや２９ｂ等が選択押し込み操作された場合の加圧力Ｆを検出し、ＣＰＵ３２等が押下判定閾値Ｆth≧加圧力Ｆを検出したとき、触覚＃Ａを起動することができ、また、ＣＰＵ３２等が押下判定閾値Ｆth＜加圧力Ｆを検出したとき、触覚＃Ｂを起動することができる。
【０３５０】
なお、振動パターンＰａと振動パターンＰｂとの間には、無振動の空白期間Ｔｘ＝Ｔ２（Ｔ２＜Ｔ１）が設けられる。これにより、スクロール画像２９ａや２９ｂ等に係る摺動操作中は触覚＃Ａが伝わり、スクロール画像２９ａや２９ｂ等が選択押し込み操作される場合は、触覚＃Ｂが伝わり、クリック感のある荷重に到達できるようになる。
【０３５１】
続いて、携帯電話機１０１等における情報処理例について説明をする。図５１は、各実施例に係る携帯電話機１０１等における情報処理例を示すフローチャートである。
【０３５２】
この例では、携帯電話機１０１等において、第２１の実施例で説明した入力装置２１０が備えられ、入力装置２１０にはセンサ１３及びキートップ２４６が設けられる。更に、第１の実施例で説明したスクロール画像を表示する表示部２９と、第２の実施例で説明したアクチュエータ機能付きのスピーカー３６ｂとを備え、操作者の指３９ａで当該携帯電話機１０１等の側面の操作面を摺動操作又は押下操作して情報を入力する場合を前提とする。
【０３５３】
携帯電話機１０１等には、例えば、同一振動モード内において、操作者の指３９ａ等による加圧力Ｆをパラメータにして波形を加工する機能（アルゴリズム）が備えられる。ＣＰＵ３２は、押し込み検出情報Ｄ２から加圧力Ｆを算出し、図４８Ａに示したような駆動条件ａ，ｂに対応して判別を行い、その判別結果で、同一の振動モード内において、いかなる種類の入力に対しても、入力動作中の動きに対応した触覚＃Ａ，＃Ｂを発生できるようにした。
【０３５４】
これらを情報処理条件にして、ＣＰＵ３２は、図５１に示すフローチャートのステップＧ１で電源オンを待機する。例えば、ＣＰＵ３２は電源オン情報を検出してシステムを起動する。電源オン情報は通常、時計機能等が稼働し、スリーピング状態にある携帯電話機等の電源スイッチをオンされたときに発生する。
【０３５５】
そして、ステップＧ２に移行してＣＰＵ３２は、メニュー等のアイコン画面を表示するように表示部２９を制御する。例えば、ＣＰＵ３２は、表示部２９に表示データＤ４を供給してメニュー等のアイコン画面を表示する。このアイコン画面で情報処理モードを設定する。この例で、情報処理モードにはアイコン入力モード又はその他の処理モードが準備されているので、操作者はいずれかを選択する。アイコン入力モードには例えば、スクロール画像選択モードが含まれている。
【０３５６】
スクロール画像選択モードとは、スクロール画像２９ａや２９ｂ等の選択時に操作面のキートップ２４６を摺動操作又は押下操作する動作をいう。スクロール画像選択モードには、電話モードやメール作成、送信表示モード等が含まれる。電話モードには、相手方に電話を発信する操作が含まれる。スクロール画像２９ｂには、電話モード選択時の文字入力項目が含まれる。スクロール画像２９ａ，２９ｂは、図７Ａ及びＢに示したような入力情報である。
【０３５７】
このとき、図７Ａ及びＢに示したように、表示部２９の１画面内に収まる選択項目の個数ｘがＭａｘ個以下の場合には、キートップ２４６のスライド量ＳｘとしてＳ１＝４ｍｍが設定され、１画面内に収まる選択項目の個数ｘがＭａｘ個を越える場合は、キートップ２４６のスライド量ＳｘとしてＳ２＝２ｍｍが設定される（図９参照）。また、図１０に示したようにセンサ１３の電気的な検知領域（３）の長さＸｓと、スクロール方向に存在する選択項目の全個数Ｙｓとに基づいてキートップ２４６のスライド量Ｓｘを任意に設定してもよい（図１０参照）。
【０３５８】
そして、ステップＧ３に移行してＣＰＵ３２は、スクロール画像選択モード又はその他の処理モードに基づいて制御を分岐する。スクロール画像選択モードが設定された場合、スクロール画像２９ａや２９ｂ等をスクロール操作のためにキートップ２４６が摺動操作されるので、ステップＧ４に移行してＣＰＵ３２はセンサ１３によって加圧力Ｆを検出する。このとき、キートップ２４６は入力装置２１０の下部筐体１１ｑの一方の操作面から摺動方向に沿って堀り下がり、かつ、他方の操作面に向かって堀り上がる凹部形状に沿って摺動される。センサ１３は、キートップ２４６上を摺動操作される操作者の指３９ａの摺動位置の加圧力Ｆを検出し、位置検出信号♯Ｓ１をＡ／Ｄドライバ３１に出力する。Ａ／Ｄドライバ３１は位置検出信号♯Ｓ１をＡ／Ｄ変換し、そのＡ／Ｄ変換後の位置検出情報Ｄ１をＣＰＵ３２に転送する。
【０３５９】
そして、ステップＧ５に移行してＣＰＵ３２は、位置検出情報Ｄ１に基づく加圧力Ｆと押下判定閾値Ｆthとを比較し、これらの関係がＦ≦Ｆthか否かを判別する。これらの関係がＦ≦Ｆthとなる場合は、ステップＧ６に移行して触覚＃Ａを起動する。触覚＃Ａは、アクチュエータ機能付きのスピーカー３６ｂによって、操作者の指３９ａの加圧力Ｆに対応した振動パターンＰｂに基づいて操作面を振動することで得られる。触覚＃Ａは、例えば、図５１Ａに示した周波数ｆｘ、振幅Ａｘ及び回数Ｎｘに関して、第１段階ｉで約０．１秒間、［ｆｘ  Ａｘ  Ｎｘ］＝［５０  ５  ２］の振動パターンで振動し、第２段階iiでは、約０．１秒間、［ｆｘ  Ａｘ  Ｎｘ］＝［１００  １０  ２］の振動パターンで振動する。このようにすると、操作者の”加圧力”に合わせた異なる振動パターンを発生させることができる（駆動条件ａ）。なお、位置検出情報Ｄ１に基づく加圧力Ｆと押下判定閾値Ｆthとの関係がＦ≦Ｆthでない場合は、ステップＧ７に移行して加圧力Ｆの検出を継続する。
【０３６０】
そして、操作者の指３９ａでキートップ２４６を押し込む操作がなされると、ステップＧ７に移行してＣＰＵ３２は押し込み検出情報Ｄ２に基づいて加圧力Ｆを算出する。このとき、センサ１３は、操作面における操作者の指３９ａの押下位置の加圧力Ｆを検出し、押し込み検出信号♯Ｓ２をＡ／Ｄドライバ３１に出力する。Ａ／Ｄドライバ３１は押し込み検出信号♯Ｓ２をＡ／Ｄ変換し、そのＡ／Ｄ変換後の押し込み検出情報Ｄ２をＣＰＵ３２に転送する。
【０３６１】
そして、ステップＧ８に移行して、ＣＰＵ３２は加圧力Ｆと押下判定閾値Ｆthとを比較し、これらの関係がＦ＞Ｆthとなるか否かを判別する。これらの関係がＦ＞Ｆthとなる場合は、ステップＧ９に移行して触覚＃Ｂを起動する。触覚＃Ｂは、アクチュエータ機能付きのスピーカー３６ｂによって、操作者の指３９ａの加圧力Ｆに対応した振動パターンＰｂに基づいて操作面を振動することで得られる。例えば、触覚＃Ｂは、図５１Ｂに示した第１段階ｉで約０．１秒間、［ｆｘ  Ａｘ  Ｎｘ］＝［８０  ８  ２］の振動パターンで振動し、第２段階iiでは、約０．１秒間、［ｆｘ  Ａｘ  Ｎｘ］＝［４０  ８  ２］の振動パターンで振動する。このようにすると、操作者の”加圧力”に合わせた異なる振動パターンを発生させることができる（駆動条件（ｂ）。なお、位置検出情報Ｄ１に基づく加圧力Ｆと押下判定閾値Ｆthとの関係がＦ＞Ｆthでない場合は、ステップＧ１２に移行する。
【０３６２】
その後、ステップＧ１０に移行して入力を確定する。このとき、ＣＰＵ３２は、入力操作面で当該押下位置に表示された入力情報を確定する。そして、ステップＧ１２に移行する。なお、ステップＧ３で他の処理モードが選択された場合は、ステップＧ１１に移行して他の処理モードを実行する。他の処理モードには、音楽再生機能や、テレビ受信機能が含まれる。
【０３６３】
他の処理モードを実行した後は、ステップＧ１２に移行する。ステップＧ１２でＣＰＵ３２は終了判断をする。例えば、電源オフ情報を検出して情報処理を終了する。電源オフ情報が検出されない場合は、ステップＧ２に戻って、メニュー画面を表示し、上述した処理を繰り返すようになされる。
【０３６４】
このように、各実施例としての触覚機能付きの入力装置２１０を応用した携帯電話機１０１等によれば、本発明に係る入力装置３００が備えられるので、当該携帯電話機１０１等を操作する操作者の指３９ａによる摺動操作に対し、携帯電話機１０１等の側面の一方の操作面から摺動方向に沿って堀り下がる摺動操作感覚に加えて、他方の操作面に向かって堀り上がる摺動操作感覚を与えることができる。
【０３６５】
従って、第１の入力装置１０の非回転型のサイドジョグツール等に対して反転構造の非回転型のサイドジョグツール等を提供できるようになる。しかも、入力装置２１０の小型化及び操作性を向上できることから、当該携帯電話機１０１等の誤動作の低減、コストダウン、及び、製造プロセスの簡素化を図ることができる。
【実施例３０】
【０３６６】
次に、本発明の第３０の実施例に係る携帯電話機８００について説明する。図５２は携帯電話機８００の構成を示す斜視図であり、図５３は図５２に示す携帯電話機８００のＡ−Ａ線に沿った断面図であり、図５４は携帯電話機８００の構成を示す分解斜視図である。以下の図５２〜図５４においては、上部筐体８１０および下部筐体８２０の短手方向をＸ（左右）方向とし、その長手方向をＹ（上下）方向とし、Ｘ，Ｙ方向に直交する方向をＺ方向とする。また図５３では便宜上、上部筐体８１０を簡略化して図示している。
【０３６７】
携帯電話機８００は、上部筐体８１０と下部筐体８２０と入力装置８５０とを備えている。上部筐体８１０と下部筐体８２０とは、図５２に示すように、上部筐体８１０および下部筐体８２０の長手方向に沿って相対的にスライド可能に連結され、いわゆるスライド式の携帯電話端末を構成している。
【０３６８】
上部筐体８１０は、図５４に示すように、フロントカバー８１２とフロントケース８１４とから構成される。フロントケース８１４は、底板８１４ａとこの底板８１４ａの周縁部に立設された壁部８１４ｂとを有し、上面が開口された箱形状をなしている。フロントケース８１４の角部には、フロントカバー８１２を固定するための固定部８１４ｃが設けられる。フロントケース８１４には、後述する回路基板８４０等の電子部品が収容される。
【０３６９】
フロントカバー８１２は、インサートモールドにより成形された蓋体であり、フロントケース８１４の固定部８１４ｃを介してフロントケース８１４に取り付け、固定される。上部筐体８１０の材料としては、例えば、ポリカーボネート（ＰＣ）、アクリロニトリル−ブタジエン−スチレン（ＡＢＳ）、ＰＣ+ＡＢＳ、ポリエチレンテレフタラート（ＰＥＴ）、ポリエーテルスルホン（ＰＥＳ）、ポリ乳酸（ＰＬＡ）、ポリアミド（ＰＡ）またはアクリル樹脂（ＰＭＭＡ）等の材料が好適に用いられる。
【０３７０】
フロントカバー８１２表面には透明パネル８１８が取り付けられている。透明パネル８１８は、例えばアクリル樹脂（ＰＭＭＡ）等の透明材料から構成される。透明パネル８１８の上側には後述するレシーバー８３６から発生された音声を出力するための受話口８３５が設けられる。
【０３７１】
入力装置８５０は、図５３に示すように、操作部８６０と、センサ８４６と、回路基板８４０と、ドームスイッチ８４２とを備えている。操作部８６０は、フロントカバー８１２表面の透明パネル８１８よりも下側領域に設けられ、キートップ７００と操作ボタン８５２とを有する（図５２参照）。キートップ７００は、フロントカバー８１２に形成された開口部８１６を介して後述するシリコンゴム８３８表面に取付部材８２６により着脱可能に取り付けられる。取付部材８２６としては例えば両面テープ等が用いられる。これにより、キートップ７００をアプリケーションやユーザの趣味に応じて着せ替え（交換）できる。
【０３７２】
図５５（Ａ）はキートップ７００の構成を示す図であり、図５５（Ｂ）はそのＧ−Ｇ線に沿った断面図である。キートップ７００は、例えばジョグモードに対応したタイプのものであり、キー本体７００ａとジョグ部７００ｂとから構成される。キートップ７００の材料としては、例えばＰＣ（ポリカーボネート）樹脂やＰＣ＋ＡＢＳ樹脂等が用いられる。
【０３７３】
キー本体７００ａは、開口部８１６の径と略同一の径を有する円盤状をなし、その裏面にはキートップ７００を上部筐体８１０に取り付けるための取付部材８２６（図５４参照）が貼り付けられている。ジョグ部７００ｂは、キー本体７００ａの中央部に半円柱状に突設され、その曲面の周方向が上下方向（Ｙ方向）と平行になるようにキー本体７００ａに取り付けられる。ユーザはジョグ部７００ｂの曲面を上下方向に沿って摺動操作することにより、カーソルを上下左右に移動させることができる。これにより、ジョグダイヤルを擬似的に操作しているような操作感が得られる。またキー本体７００ａ表面を摺動操作することでカーソルを移動させたり、その上下左右方向に対応した位置を押下することでカーソルを上下左右方向に移動させることもできる。
【０３７４】
図５２に戻り、操作ボタン８５２は、キートップ７００の周辺部に配設され、例えばメールを作成、送受信するメールボタンやメニュー画面を表示するメニューボタン、インターネットに接続するインターネット接続ボタン等から構成される。
【０３７５】
回路基板８４０は上部筐体８１０内部に収容され、回路基板８４０の主面には図示しないプリント配線が形成されている。複数のドームスイッチ８４２のそれぞれは、図５３に示すように、回路基板８４０上に実装され、スイッチ部８４２ａとこれを覆うカバー部材８４２ｂから構成される。スイッチ部８４２ａは弾性を有する導電部材からなり、カバー部材８４２ｂは絶縁部材からなる。複数のドームスイッチ８４２は、キートップ７００の中央部および上下左右方向のそれぞれに対応した位置（５箇所）に配設される。
【０３７６】
センサ８４６は、静電容量方式のセンサであり、可撓性を有するシート状部材から構成される。センサ８４６は、シリコンゴム８３８裏面に貼り付けられ、ユーザのキートップ７００の摺動操作によりシリコンゴム８３８を介して入力される位置検出情報Ｄ１を検出する。センサ８４６には、後述する押し子８２４を挿通するための開口部８４６ａ（図５４参照）が形成される。
【０３７７】
センサ８４６とキートップ７００裏面との間にはシリコンゴム８３８が介挿される。シリコンゴム８３８の裏面側には、ユーザのキートップ７００のＺ方向の押下操作に応じてドームスイッチ８４２を押圧する複数の押し子８２４が取り付けられる。複数の押し子８２４は、キートップ７００の上下左右方向のそれぞれに対応した位置の４箇所とその中央に対応した位置の１箇所に設けられ、センサ８４６に形成された開口部８４６ａを介してセンサ８４６裏面から突出している。
【０３７８】
フロントカバー８１２及びフロントケース８１４により構成された上部筐体８１０の内部には、上記入力装置８５０を構成する電子部品の他に、表示部８３０およびレシーバー８３６等が収容される。表示部８３０は、透明パネル８１８に対向した位置に設けられ、例えば液晶ディスプレイや有機ＥＬ(Electro Luminescence)ディスプレイ等から構成される。レシーバー８３６は、受話口８３５に対応した位置に配置され、映像＆音声処理部４４（図４７参照）から供給される音声信号に基づいて音声を出力する。
【０３７９】
下部筐体８２０には、図５２に示すように、「数字」キーや「♯」キー、「＊」キー等の操作キーを有するキー操作部８２２が設けられる。キー操作部８２２は、下部筐体８２０が上部筐体８１０に対して相対的にスライドし、携帯電話機８００がオープン状態となったときに露出するように構成されている。
【０３８０】
（キートップの変形例１）  
図５６（Ａ）はキートップ７１０の構成を示す斜視図であり、図５６（Ｂ）はそのＢ−Ｂ線に沿った断面図である。キートップ７１０は、例えばマルチカーソリングモードに対応したタイプのものであり、円盤状をなすキー本体７１０ａと方向キー７１０ｂとを有する。方向キー７１０ｂは、上下左右方向に対応した十字状をなし、キー本体７１０ａ表面から球面状に盛り上がるようにして形成される。これにより、方向キー７１０ｂの延在方向に沿って摺動操作したり、上下左右方向に対応した位置を押下操作することで画面上のカーソルを移動させることができる。また、方向キー７１０ｂの中央部を押下操作することで選択した項目を決定することができる。
【０３８１】
（キートップの変形例２）  
図５７（Ａ）はキートップ７２０の構成を示す斜視図であり、図５７（Ｂ）はそのＣ−Ｃ線に沿った断面図である。キートップ７２０は、例えばトラックボールモードに対応したタイプのものであり、円盤状をなすキー本体７２０ａと球体部７２０ｂとを有する。球体部７２０ｂは、キー本体７２０ａの中央部にその表面から略半球状に突出して設けられる。これにより、ユーザが球体部７２０ｂの球面をトラックボールのように摺動操作することで画面上のカーソルを移動させることができる。また、例えば球体部７２０ｂを押下することで選択した項目を決定することができる。
【０３８２】
（キートップの変形例３）  
図５８（Ａ）はキートップ７３０の構成を示す斜視図であり、図５８（Ｂ）はそのＤ−Ｄ線に沿った断面図である。キートップ７３０は、例えばマルチカーソリングモードに対応したタイプのものであり、円盤状をなすキー本体７３０ａと方向キー７３０ｂとを有する。方向キー７３０ｂは、その中央部が略半球状に盛り上がっており、上下左右方向に対応した位置が円弧状に掘り下がるようにして形成される。これにより、方向キー７３０ｂの延在方向に沿って摺動操作したり、上下左右方向に対応した位置を押下操作することで画面上のカーソルを移動させることができる。また、方向キー７３０ｂの中央部を押下操作することで選択した項目を決定することができる。
【０３８３】
（キートップの変形例４）  
図５９（Ａ）はキートップ７４０の構成を示す斜視図であり、図５９（Ｂ）はそのＥ−Ｅ線に沿った断面図である。キートップ７４０は、例えばマルチカーソリングモードに対応したタイプのものであり、円盤状をなすキー本体７４０ａと方向キー７４０ｂとを有する。方向キー７４０ｂは、上下左右方向に対応したそれぞれの位置から中央に向かって掘り下がるようにして形成される。これにより、方向キー７４０ｂの延在方向に沿って摺動操作したり、上下左右方向に対応した位置を押下操作することで画面上のカーソルを移動させることができる。また、方向キー７４０ｂの中央部を押下操作することで選択した項目を決定することができる。
【０３８４】
（キートップの変形例５）  
図６０（Ａ）はキートップ７５０の構成を示す斜視図であり、図６０（Ｂ）はそのＦ−Ｆ線に沿った断面図である。キートップ７５０は、例えばマルチカーソリングモードに対応したものであり、円盤状をなすキー本体７５０ａと方向キー７５０ｂとを有する。方向キー７５０ｂは、上下左右方向に対応した十字状をなし、キー本体７５０ａ表面から球面状に盛り上がるようにして形成される。方向キー７５０ｂの上下方向の摺動面幅Ｗ１は左右方向の摺動面幅Ｗ２よりも広くなるように選定される。これにより、方向キー７５０ｂの延在方向に沿って摺動操作したり、上下左右方向に対応した位置を押下操作することで画面上のカーソルを移動させることができる。また、方向キー７５０ｂの中央部を押下操作することで選択した項目を決定することができる。
【０３８５】
（キートップの変形例６）  
図６１（Ａ）はキートップ７６０の構成を示す斜視図であり、図６１（Ｂ）はそのＨ−Ｈ線に沿った断面図である。キートップ７６０は、例えばマルチカーソリングモードに対応したタイプのものであり、キー本体７６０ａと方向キー７６０ｂとを有する。方向キー７６０ｂは、キー本体７６０ａの周縁部から略半球面状に盛り下がるようにして形成される。これにより、方向キー７６０ｂの延在方向に沿って摺動操作したり、上下左右方向に対応した位置を押下操作することで画面上のカーソルを移動させることができる。また、方向キー７６０ｂの中央部を押下操作することで選択した項目を決定することができる。
【実施例３１】
【０３８６】
次に、本発明の第３１の実施例に係る携帯電話機９００について説明する。なお、上記第３０の実施例の携帯電話機８００と共通する構成については同一の符号を付し、詳細な説明は省略する。図６２は携帯電話機９００の構成を示す斜視図であり、図６３は図６２に示す携帯電話機９００のＩ−Ｉ線に沿った断面図であり、図６４は携帯電話機９００の構成を示す分解斜視図である。
【０３８７】
携帯電話機９００は、上部筐体８１０と下部筐体８２０とがヒンジ部９１０を介して回転自在に連結された、いわゆる折り畳み式の携帯端末である。上部筐体８１０の主面には表示部２９と受話口８３５とが設けられる。下部筐体８２０の主面には操作部８６０が設けられる。操作部８６０はキートップ９５０と複数の操作ボタン８５２とから構成され、操作ボタン８５２はメールボタンや電源ボタン、複数の数字ボタン等を有する。
【０３８８】
キートップ９５０は、図６４に示すように、下部筐体８２０の一例を構成する体裁シート９３４に形成された開口部９２５を介して図示しない取付部材によりシリコンゴム８３８に着脱可能に取り付けられる。キートップ９５０は、内側キートップ９５２と外側キートップ９５４とから構成され、外側キートップ９５４内周側に内側キートップ９５２が嵌め込まれることにより一体化される。内側キートップ９５２は略円盤状をなし、その上面が略半球（お椀）状に湾曲した凹部操作面９５２ａとなっている。内側キートップ９５２の裏面は略逆円錐形状に傾斜しており、その下端面がドームスイッチ８４２をオンするための押圧部９５２ｂとなっている。
【０３８９】
外側キートップ９５４は、上下左右方向の操作を行う操作キー９５４ａと内側キートップ９５２を支持する支持部９５４ｂとから構成される。操作キー９５４ａは内側キートップ９５２周縁に沿うようにして形成された環状（筒）体であって、その上面の上下左右方向に対応した位置が方向キーとして機能している。支持部９５４ｂは、操作キー９５４ａの内周面から内側キートップ９５２裏面に対応して逆円錐形状に傾斜しており、その中央部には内側キートップ９５２の押圧部９５２ｂを露出させるための開口部９５４ｃが形成される。操作キー９５４ａの周方向の上下左右方向に対応した位置および押圧部９５２ｂ（内側キートップ９５２中央部）のそれぞれにはドームスイッチ８４２が配設されている（図６５参照）。
【０３９０】
このような構成により、ユーザが内側キートップ９５２の凹部操作面９５２ａを上下左右方向に摺動操作することにより、操作体の位置検出情報Ｄ１がセンサ８６４によって検出され、画面上のカーソルが上下左右方向に移動される。また、ユーザが内側キートップ９５２の中央部を押下操作することにより、押圧部９５２ｂを介して中央のドームスイッチ８４２がオンされ、画面上の選択した項目が決定される。また、ユーザが外側キートップ９５４の操作キー９５４ａの上下左右位置を押下操作することにより、上下左右方向に対応したドームスイッチ８４２がオンされ、画面上のカーソルが上下左右方向に移動される。
【０３９１】
＜キートップの販売形態＞
図６５は、着せ替え可能なキートップ７００〜７６０，９５０の販売形態を示すイメージ図である。以下の例ではキートップ７００，７１０，７２０，７６０の販売例を示す。キャリアショップや一般の販売店等では、例えばジョグダイヤルモード、トラックボールモード、マルチカーソリングモード（十字キー、十字リング）に対応したタイプのキートップ７００，７１０，７２０，７６０のそれぞれがパッケージングされて販売される。キートップ７００，７１０，７２０，７６０は、各モード毎に例えば黒、赤、白および青の４色のカラーバリエーションで展開される。これにより、ユーザは、販売店等において使用頻度が高いアプリケーションに対応したキートップ７００，７１０，７２０，７６０や自身の好みに合った形状や色のキートップ７００，７１０，７２０，７６０を手軽に購入することができる。キートップ７００，７１０，７２０，７６０にはキャラクター等をプリントすることもできる。
【０３９２】
以上説明したように、本実施例では、キートップ７００〜７６０，９５０が上部筐体８１０に対して着脱可能な構成となっているため、使用するアプリケーションやユーザの嗜好に合わせてキートップ７００〜７６０，９５０を自由に選択したり交換したりすることができる。例えば、アプリケーション毎に操作性もそれぞれ異なるため、ジョグ操作が適していたり、カーソル操作が適している場合がある。またユーザによっては特定のアプリケーションを多く使用する場合もある。このような場合に、アプリケーションに適合したキートップ７００〜７６０，９５０に交換することで、アプリケーションの操作性の向上を図ることができる。
【０３９３】
また、ユーザ間においては、ジョグ操作を好むものもいるし、トラックボール操作を好むものもいるので、その都度ユーザの嗜好に合わせてキートップ７００〜７６０，９５０を交換することができ、ユーザの満足度を向上させることができる。さらには、上述したように、キートップ７００〜７６０，９５０は販売店等において多種販売され、手軽に購入することができるため、多様な操作性を手軽に実現することができる。
【実施例３２】
【０３９４】
次に、本発明の第３２の実施例に係る携帯電話機について説明する。本実施例では、上記実施例３０で説明した携帯電話機８００を用いて説明する。本実施例の携帯電話機８００は、キートップ７００の摺動操作時の摺動速度や加速度に応じて、画面上の画像のスクロール量を調整する操作モードを備えている。操作モードとしては、例えばマルチカーソリングモード、ジョグモードおよびトラックボールモードを有している。
【０３９５】
ここで、マルチカーソリングモードとは、操作体を摺動操作したときに、摺動操作に応じた速度、移動量により画面上のカーソルを移動させる操作モードである。ジョグモードとは、キートップ７００の操作面を摺動操作したときの操作体の速度または加速度に応じて画面上のカーソルを移動させることにより、ジョグ（回転体）を指で回転させたときと同様の擬似的な操作感を提供する操作モードである。トラックボールモードとは、キートップ７００の操作面を摺動操作したときの操作体の速度または加速度に応じて画面上のカーソルを移動させることにより、球体を指で回転させたときと同様の擬似的な操作感を提供する操作モードである。ジョグモードおよびトラックボールモードは例えば電話帳や音楽タイトルリスト等のアプリケーションを操作する場合に適用することができる。
【０３９６】
続けて、各操作モードにおける画像のスクロール量を算出するときの携帯電話機８００の動作の一例について説明する。図６６は、各操作モードにおける画像のスクロール量を算出するときの携帯電話機８００の動作を示すフローチャートである。
【０３９７】
ステップＳ１００でＣＰＵ３２は、携帯電話機８００の表示部２９に表示されたメニュー画面において所定のアプリケーションが選択されたか否かを判断する。メニュー画面には、例えばメールや電話帳、インターネット接続サービス等のアプリケーションに対応したアイコンが表示される。ＣＰＵ３２は、ユーザによりメニュー画面に表示される何れかのアプリケーションに対応したアイコンが選択されたと判断した場合にはステップＳ１１０に進み、選択された各アプリケーションに対応した操作画面にメニュー画面から表示を切り換える。
【０３９８】
ステップＳ１１０でＣＰＵ３２は、ユーザにより選択されたアプリケーションが何れの操作モードに対応しているかを判断する。ＣＰＵ３２は、ユーザにより選択されたアプリケーションの操作がマルチカーソリングモードに対応する場合にはステップＳ１２０に進む。またＣＰＵ３２は、ユーザにより選択されたアプリケーションの操作がジョグモードに対応する場合にはステップＳ１４０に進む。またＣＰＵ３２は、ユーザにより選択されたアプリケーションの操作がトラックボールモードに対応する場合にはステップＳ１７０に進む。
【０３９９】
まず、マルチカーソリングモードに対応したアプリケーションが選択された場合について説明する。ステップＳ１２０でＣＰＵ３２は、ユーザによりキートップ７００の操作面が摺動操作されたときの位置検出情報Ｄ１を取得してステップＳ１３０に進む。ＣＰＵ３２は、位置検出情報Ｄ１として、操作体の時刻ｔと時刻ｔ＋１のそれぞれにおけるＸ座標の位置検出情報（Ｘt，Ｘt+1）およびＹ座標の位置検出情報（Ｙt，Ｙt+1）を取得する。ここで、ｔは位置検出情報Ｄ１を検出する際のサンプリング周期であり、例えば１ｍｓに設定される。Ｘｔは時刻ｔにおけるＸ座標の位置検出情報Ｄ１を示し、Ｙｔは時刻ｔにおけるＹ座標の位置検出情報Ｄ１を示す。Ｘt+1は時刻ｔの次のサンプリングで得られるＸ座標の位置検出情報Ｄ１を示し、Ｙt+1は時刻ｔの次のサンプリングで得られるＹ座標の位置検出情報Ｄ１を示す。
【０４００】
ステップＳ１３０でＣＰＵ３２は、検出された位置検出情報Ｄ１が誤動作によるものか否かを判断する。図６７は、誤動作を検出するためのフローチャートである。まずステップＳ３００でＣＰＵ３２は、操作体のＸ座標における移動量（Ｘt+1−Ｘt）が閾値Ｑよりも大きいか否かを判断する。閾値Ｑは、例えば項目を決定する際の押下操作や誤ってキートップ７００に触れてしまった場合等の摺動操作以外の微量な移動量を誤動作とするような値に設定される。つまり、連続性のない入力データを破棄するような値に設定される。ＣＰＵ３２は、操作体の移動量（Ｘt+1−Ｘt）が閾値Ｑよりも大きいと判断した場合にはステップＳ３１０に進み、操作体の移動量（Ｘt+1−Ｘt）が閾値Ｑよりも小さいと判断した場合にはステップＳ３２０に進む。
【０４０１】
ステップＳ３２０でＣＰＵ３２は、操作体の移動量（Ｘt+1−Ｘt）が誤動作であるとして位置検出情報Ｘt+1を破棄して図６６に戻り、一連の誤動作検出の動作を終了する。
【０４０２】
ステップＳ３１０でＣＰＵ３２は、操作体のＹ座標における移動量（Ｙt+1−Ｙt）が閾値Ｒよりも大きいか否かを判断する。閾値Ｒは、例えば項目の決定時に行う押下操作や誤ってキートップ７００に触れてしまった場合等の摺動操作以外の微量な移動量を誤動作とするような値に設定される。ＣＰＵ３２は、操作体の移動量（Ｙt+1−Ｙt）が閾値Ｒよりも大きいと判断した場合にはステップＳ３３０に進み、操作体の移動量（Ｙt+1−Ｙt）が閾値Ｒよりも小さいと判断した場合にはステップＳ３４０に進む。
【０４０３】
ステップＳ３４０でＣＰＵ３２は、操作体の移動量（Ｙt+1−Ｙt）が誤動作であるとして位置検出情報Ｙt+1を破棄して図６６に戻り、一連の誤動作検出の動作を終了する。
【０４０４】
ステップＳ３３０でＣＰＵ３２は、操作体の移動量（Ｘt+1−Ｘt）および移動量（Ｙt+1−Ｙt）がユーザの意図した摺動操作であるとして、操作体の位置検出情報Ｘt，Ｘt+1，Ｙt，Ｙt+1を採用する。つまり、操作体の移動量（Ｘt+1−Ｘt）および移動量（Ｙt+1−Ｙt）に基づいてアプリケーション画面のカーソルの移動を制御する。誤動作検出の一連の動作が終了すると、図６６に示すステップＳ１３０に戻り、一連の誤動作検出の動作を終了する。
【０４０５】
次に、ジョグモードに対応したアプリケーションが選択された場合について説明する。ステップＳ１４０でＣＰＵ３２は、ユーザによりキートップ７００の操作面が摺動操作されたときの位置検出情報Ｄ１を取得してステップＳ１５０に進む。ＣＰＵ３２は、位置検出情報Ｄ１として、操作体の時刻ｔと時刻ｔ＋１のそれぞれにおけるＸ座標の位置検出情報（Ｘt，Ｘt+1）およびＹ座標の位置検出情報（Ｙｔ，Ｙt+1）を取得する。
【０４０６】
ステップＳ１５０でＣＰＵ３２は、検出された位置検出情報Ｄ１が誤動作によるものか否かを判断する。誤動作検出は、上述したマルチカーソリングモードで説明したステップＳ１３０および図６７に示したステップＳ３００〜ステップＳ３４０の処理と同様であるため説明を省略する。誤作動検出が終了したらステップＳ１６０に進む。
【０４０７】
ステップＳ１６０でＣＰＵ３２は、誤動作でないと判断された操作体の位置検出情報Ｄ１（移動量）から操作体のＸ方向およびＹ方向の摺動速度を算出する。図６８は、操作体のＸ方向およびＹ方向の摺動速度に応じたスクロール量を算出するためのフローチャートである。ここで、ｄＸ／ｄｔはＸ座標における速度（ｄ／ｄｔ（Ｘt+1−Ｘt））であり、ｄＹ／ｄｔはＹ座標における速度（ｄ／ｄｔ（Ｙt+1−Ｙt））である。
【０４０８】
ステップＳ４００でＣＰＵ３２は、操作体の移動量（Ｘt+1−Ｘt）から操作体のＸ方向の平均速度（ｄＸ／ｄｔAVE）または最高速度（ｄＸ／ｄｔMAX）を算出する。具体的にはＣＰＵ３２は、操作体の移動量（Ｘt+1−Ｘt）からサンプリング周期ｔにおける操作体のＸ方向の速度を算出する。そして、この速度算出処理を時刻Ｔ内において複数回繰り返して行い、得られた各サンプリング周期ｔにおけるサンプリング速度から平均速度（ｄＸ／ｄｔAVE）を算出する。また、平均速度に代えて、各サンプリング周期ｔにおける速度のうち最高速度（ｄＸ／ｄｔMAX）を抽出しても良い。
【０４０９】
同様に、ステップＳ４１０でＣＰＵ３２は、操作体の移動量（Ｙt+1−Ｙt）から操作体のＹ方向の平均速度（ｄＹ／ｄｔAVE）または最高速度（ｄＹ／ｄｔMAX）を算出する。平均速度等は、上記ステップＳ４００と同様の処理により算出できる。
【０４１０】
まず、Ｘ方向のスクロール量算出処理について説明する。ステップＳ４２０でＣＰＵ３２は、操作体のＸ方向の速度算出結果が何れの速度範囲に該当するか否かを判断する。操作体のＸ方向の速度が０＜ｄＸ／ｄｔ＜Ａ１の範囲に該当する場合にはステップＳ４３０に進む。操作体のＸ方向の速度がＡ１＜ｄＸ／ｄｔ＜Ａ２の範囲に該当する場合にはステップＳ４４０に進む。操作体のＸ方向の速度がＡ２＜ｄＸ／ｄｔ＜Ａ３の範囲に該当する場合にはステップＳ４５０に進む。ここで、定数Ａ１は一般的なユーザがキートップ７００を摺動操作したときの標準的なスクロール量であり、定数Ａ１，Ａ２，Ａ３のそれぞれはＡ１＜Ａ２＜Ａ３の関係を満たしている。
【０４１１】
ステップＳ４３０でＣＰＵ３２は、操作体のＸ方向の速度が０＜ｄＸ／ｄｔ＜Ａ１の範囲に該当する場合には、表示部２９の画面に表示される画像のスクロール量を第１のスクロール量αｘに設定する。第１のスクロール量αｘは定数Ａ１未満であるので、画像のスクロール量は標準的なスクロール量未満となる。
【０４１２】
ステップＳ４４０でＣＰＵ３２は、操作体のＸ方向の摺動速度がＡ１＜ｄＸ／ｄｔ＜Ａ２の範囲に該当する場合には、表示部２９の画面のスクロール量を第２のスクロール量に設定する。第２のスクロール量は以下の（１）式により算出される。  
第２のスクロール量＝第１のスクロール量αｘ＋スクロール量Ｃ１・・・（１）  
スクロール量Ｃ１は、キートップ７００を一定速度で摺動操作したときのキートップ７００の仮想的な慣性を考慮したスクロール量である。このように、摺動速度がステップＳ４３０と比較して速くなると、この摺動速度が画像のスクロール量に反映され、スクロール量が第１のスクロール量よりも大きい第２のスクロール量に変更される。
【０４１３】
ステップＳ４５０でＣＰＵ３２は、操作体のＸ方向の速度がＡ２＜ｄＸ／ｄｔ＜Ａ３の範囲に該当する場合には、表示部２９の画面のスクロール量を第３のスクロール量に設定する。第３のスクロール量は以下の（２）式により算出される。  
第３のスクロール量＝第１のスクロール量αｘ＋スクロール量Ｃ２・・・（２）  
スクロール量Ｃ２は、キートップ７００を一定速度で摺動操作したときのキートップ７００の仮想的な慣性を考慮したスクロール量であり、スクロール量Ｃ１よりも大きい値に設定される。このように、摺動速度がステップＳ４４０と比較して速くなると、この摺動速度が画像のスクロール量に反映され、スクロール量が第２のスクロール量よりも大きい第３のスクロール量に変更される。
【０４１４】
次に、Ｙ方向のスクロール量算出処理について説明する。ステップＳ４６０でＣＰＵ３２は、操作体のＹ方向の速度算出結果が何れの速度範囲に該当するか否かを判断する。操作体のＹ方向の摺動速度が０＜ｄＹ／ｄｔ＜Ｂ１の範囲に該当する場合にはステップＳ４７０に進む。操作体のＹ方向の摺動速度がＢ１＜ｄＹ／ｄｔ＜Ｂ２の範囲に該当する場合にはステップＳ４８０に進む。操作体のＹ方向の摺動速度がＢ２＜ｄＹ／ｄｔ＜Ｂ３の範囲に該当する場合にはステップＳ４９０に進む。
【０４１５】
ステップＳ４７０でＣＰＵ３２は、操作体のＹ方向の摺動速度が０＜ｄＹ／ｄｔ＜Ｂ１の範囲に該当する場合には、表示部２９の画面に表示される画像のスクロール量αｙを第４のスクロール量に設定する。第４のスクロール量αｙは定数Ｂ１未満であるので、画像のスクロール量は標準的なスクロール量未満となる。
【０４１６】
ステップＳ４８０でＣＰＵ３２は、操作体のＹ方向の摺動速度がＢ１＜ｄＹ／ｄｔ＜Ｂ２の範囲に該当する場合には、表示部２９の画像のスクロール量αｙを第５のスクロール量に設定する。第５のスクロール量は以下の（３）式により算出される。  
第５のスクロール量＝第４のスクロール量αｙ＋スクロール量Ｍ１・・・（３）  
スクロール量Ｍ１は、キートップ７００を一定速度で摺動操作したときのキートップの仮想的な慣性を考慮したスクロール量である。このように、摺動速度がステップＳ４７０と比較して速くなると、この摺動速度が画像のスクロール量に反映され、スクロール量が第４のスクロール量よりも大きい第５のスクロール量に変更される。
【０４１７】
ステップＳ４９０でＣＰＵ３２は、操作体のＹ方向の摺動速度がＢ２＜ｄＹ／ｄｔ＜Ｂ３の範囲に該当する場合には、表示部２９の画像のスクロール量を第６のスクロール量に設定する。第６のスクロール量は以下の（４）式により算出される。  
第６のスクロール量＝第４のスクロール量αｙ＋スクロール量Ｍ２・・・（４）  
スクロール量Ｍ２は、キートップ７００を一定速度で摺動操作したときのキートップの仮想的な慣性を考慮したスクロール量であり、スクロール量Ｍ１よりも大きい値に設定される。このように、摺動速度がステップＳ４７０と比較して速くなると、この摺動速度が画像のスクロール量に反映され、スクロール量が第５のスクロール量よりも大きい第６のスクロール量に変更される。
【０４１８】
ステップＳ５００でＣＰＵ３２は、上記ステップＳ４３０〜Ｓ４５０およびステップＳ４７０〜Ｓ４９０で設定されたスクロール量を各アプリケーションに反映させて処理を行う。例えば、アプリケーションが電話帳の場合には、上記第１〜第６のスクロール量に応じて電話帳をスクロールさせる。したがって、キートップ７００の摺動速度が速いほど、電話帳のスクロール量も大きくなる。
【０４１９】
次に、トラックボールモードに対応したアプリケーションが選択された場合について説明する。なお、後述する加速度算出処理は、上述した速度算出処理で算出した速度を微分したものであるので、共通する部分は簡略化して説明する。
【０４２０】
ステップＳ１７０でＣＰＵ３２は、ユーザによりキートップ７００の操作面が摺動操作されたときの位置検出情報Ｄ１を取得してステップＳ１８０に進む。ＣＰＵ３２は、位置検出情報Ｄ１として、操作体の時刻ｔと時刻ｔ＋１のそれぞれにおけるＸ座標の位置検出情報（Ｘt，Ｘt+1）およびＹ座標の位置検出情報（Ｙt，Ｙt+1）を取得する。
【０４２１】
ステップＳ１８０でＣＰＵ３２は、検出された位置検出情報Ｄ１が誤動作によるものか否かを判断する。誤動作の判断は、上述したマルチカーソリングモードで説明したステップＳ１３０および図６７のステップＳ３００〜ステップＳ３４０と同様の処理により行われる。誤作動検出を終了したらステップＳ１９０に進む。
【０４２２】
ステップＳ１９０でＣＰＵ３２は、誤動作でないと判断された操作体の移動量に基づいて操作体のＸ方向およびＹ方向の摺動速度を算出する。摺動速度の算出処理は、図６８で示したステップＳ４００〜Ｓ５００と同様の処理により行われる。速度算出処理が終了したらステップＳ２００に進む。
【０４２３】
ステップＳ２００でＣＰＵ３２は、操作体の移動量に基づいて操作体のＸ方向およびＹ方向の加速度を算出する。図６９は、操作体のＸ方向およびＹ方向の加速度に応じたスクロール量を算出するためのフローチャートである。ここで、ｄ2Ｘ／ｄｔ2はＸ座標における加速度（ｄ2／ｄｔ2（Ｘt+1−Ｘt））であり、ｄ2Ｙ／ｄｔ2はＹ座標における加速度（ｄ2／ｄｔ2（Ｙt+1−Ｙt））である。
【０４２４】
ステップＳ６００でＣＰＵ３２は、操作体の移動量（Ｘt+1−Ｘt）に基づいて操作体のＸ方向の平均加速度（ｄ2Ｘ／ｄｔ2AVE）または最高加速度（ｄ2Ｘ／ｄｔ2MAX）を算出する。平均加速度に代えて、各サンプリング周期ｔにおける加速度のうち最高加速度（ｄＸ／ｄｔMAX）を抽出しても良い。加速度は、上述したステップＳ４００，Ｓ４１０で算出した摺動速度を用いて算出しても良い。
【０４２５】
同様に、ステップＳ６１０でＣＰＵ３２は、操作体の移動量（Ｙt+1−Ｙt）に基づいて操作体のＹ方向の平均加速度（ｄ2Ｙ／ｄｔ2AVE）または最高加速度（ｄ2Ｙ／ｄｔ2MAX）を算出する。
【０４２６】
まず、Ｘ方向のスクロール量算出処理について説明する。ステップＳ６２０でＣＰＵ３２は、操作体のＸ方向の加速度算出結果が何れの加速度範囲に該当するか否かを判断する。操作体のＸ方向の加速度が０＜ｄ2Ｘ／ｄｔ2＜Ｅ１の範囲に該当する場合にはステップＳ６３０に進む。操作体のＸ方向の加速度がＥ１＜ｄ2Ｘ／ｄｔ2＜Ｅ２の範囲に該当する場合にはステップＳ６４０に進む。操作体のＸ方向の加速度がＥ２＜ｄ2Ｘ／ｄｔ2＜Ｅ３の範囲に該当する場合にはステップＳ６５０に進む。
【０４２７】
ここで、定数Ｅ１は、例えば標準的なユーザがキートップ７００を摺動操作したときのスクロール量であり、定数Ｅ１，Ｅ２，Ｅ３のそれぞれはＥ１＜Ｅ２＜Ｅ３の関係を満たしている。
【０４２８】
ステップＳ６３０でＣＰＵ３２は、操作体のＸ方向の加速度が０＜ｄ2Ｘ／ｄｔ2＜Ｅ１の範囲に該当する場合には、表示部２９の画面に表示される画像のスクロール量βｘを第１のスクロール量に設定する。第１のスクロール量βｘは、定数Ｅ１未満であるので、標準的なスクロール量未満とされる。
【０４２９】
ステップＳ６４０でＣＰＵ３２は、操作体のＸ方向の加速度がＥ１＜ｄ2Ｘ／ｄｔ2＜Ｅ２の範囲に該当する場合には、表示部２９の画像のスクロール量βｘを第２のスクロール量に設定する。第２のスクロール量は以下の（５）式により算出される。  
第２のスクロール量＝第１のスクロール量βｘ＋スクロール量Ｇ１・・・（５）  
スクロール量Ｇ１は、キートップ７００を一定加速度で摺動操作したときのキートップの仮想的な慣性を考慮したスクロール量である。このように、加速度がステップＳ６３０と比較して大きくなると、この加速度が画像のスクロール量に反映され、スクロール量が第１のスクロール量よりも大きい第２のスクロール量に変更される。
【０４３０】
ステップＳ６５０でＣＰＵ３２は、操作体のＸ方向の加速度がＥ２＜ｄ2Ｘ／ｄｔ2＜Ｅ３の範囲に該当する場合には、表示部２９の画像のスクロール量を第３のスクロール量に設定する。第３のスクロール量は以下の（６）式により算出される。  
第３のスクロール量＝第１のスクロール量βｘ＋スクロール量Ｇ２・・・（６）  
スクロール量Ｇ２はスクロール量Ｇ１よりも大きい値に設定される。このように、加速度がステップＳ６４０と比較して大きくなると、この加速度が画像のスクロール量に反映され、スクロール量が第２のスクロール量よりも大きい第３のスクロール量に変更される。
【０４３１】
次に、Ｙ方向のスクロール量算出処理について説明する。ステップＳ６６０でＣＰＵ３２は、操作体のＹ方向の加速度算出結果が何れの加速度範囲に該当するか否かを判断する。操作体のＹ方向の加速度が０＜ｄ2Ｙ／ｄｔ2＜Ｆ１の範囲に該当する場合にはステップＳ６７０に進む。操作体のＹ方向の加速度がＦ１＜ｄ2Ｙ／ｄｔ2＜Ｆ２の範囲に該当する場合にはステップＳ６８０に進む。操作体のＹ方向の加速度がＦ２＜ｄ2Ｙ／ｄｔ2＜Ｆ３の範囲に該当する場合にはステップＳ６９０に進む。
【０４３２】
ステップＳ６７０でＣＰＵ３２は、操作体のＹ方向の加速度が０＜ｄ2Ｙ／ｄｔ2＜Ｆ１の範囲に該当する場合には、表示部２９の画面に表示される画像のスクロール量βｙを第４のスクロール量に設定する。第４のスクロール量βｙは、定数Ｆ１未満であるので、標準的なスクロール量未満とされる。
【０４３３】
ステップＳ６８０でＣＰＵ３２は、操作体のＹ方向の加速度がＦ１＜ｄ2Ｙ／ｄｔ2＜Ｆ２の範囲に該当する場合には、表示部２９の画像のスクロール量βｙを第５のスクロール量に設定する。第５のスクロール量は以下の（７）式により算出される。  
第５のスクロール量＝第４のスクロール量βｙ＋スクロール量Ｈ１・・・（７）  
スクロール量Ｈ１は、キートップ７００を一定加速度で摺動操作したときのキートップの仮想的な慣性を考慮したスクロール量である。このように、加速度がステップＳ６７０と比較して大きくなると、この加速度が画像のスクロール量に反映され、スクロール量が第４のスクロール量よりも大きい第５のスクロール量に変更される。
【０４３４】
ステップＳ６９０でＣＰＵ３２は、操作体のＹ方向の加速度がＦ２＜ｄ2Ｙ／ｄｔ2＜Ｆ３の範囲に該当する場合には、表示部２９の画像のスクロール量を第６のスクロール量に設定する。第６のスクロール量は以下の（８）式により算出される。  
第６のスクロール量＝第４のスクロール量βｙ＋スクロール量Ｈ２・・・（８）  
スクロール量Ｈ２はスクロール量Ｈ１よりも大きい値に設定される。このように、加速度がステップＳ６８０と比較して大きくなると、この加速度が画像のスクロール量に反映され、スクロール量が第５のスクロール量よりも大きい第６のスクロール量に変更される。
【０４３５】
ステップＳ６９５でＣＰＵ３２は、上記ステップＳ６３０〜Ｓ６５０およびステップＳ６７０〜Ｓ６９０で設定されたスクロール量を各アプリケーションに反映させて処理を行う。例えば、アプリケーションが電話帳の場合には、上記第１〜第６のスクロール量に応じて電話帳をスクロールさせる。したがって、キートップ７００の摺動操作による加速度が大きいほど、電話帳のスクロール量も大きくなる。
【０４３６】
以上説明したように、本実施例に係る携帯電話機８００は、キートップ７００の摺動操作時の操作体の摺動速度や加速度を算出し、算出した摺動速度や加速度を画像のスクロール量に反映させるものである。これにより、本実施例によれば、摺動速度や加速度が速くなるほど画像のスクロール量が大きくなるので、ユーザは操作時にトラックボールやジョグダイヤルを擬似的に操作している感覚を得ることができる。その結果、より操作性および臨場感に優れた入力装置８５０および携帯電話機８００を提供することができる。なお、上記実施例では、閾値を設けて摺動速度等が何れの速度範囲に属するかを判断してスクロール量を算出していたが、算出した速度にある一定（標準）のスクロール量を乗算することでスクロール量を算出することもできる。
【０４３７】
＜操作モード切り換えの変形例＞  
上述した第３１の実施例では、選択したアプリケーションに応じて操作モードを切り換えるように制御していたが、これに限定されることはない。例えば、キートップの着せ替え時に操作モードを変更したり、メニュー画面において操作モードを変更することができる。
【０４３８】
図７０（Ａ），図７０（Ｂ），図７０（Ｃ）は、キートップに応じて操作モードを切り換える場合のキートップおよび携帯電話機の構成を示す図である。以下では携帯電話機８００を用い、例えばキートップ７００（図５２参照）からキートップ７１０，７００，７２０に着せ替える（交換する）場合について説明する。
【０４３９】
図７０（Ａ）〜図７０（Ｃ）に示すように、上部筐体８１０の開口部８１６から露出したシリコンゴム８３８の表面には、各操作モードを判別するための導電パターンＳＡ１，ＳＡ２，ＳＡ３が設けられている。これらの導電パターンＳＡ１，ＳＡ２，ＳＡ３は、図示しないＣＰＵ３２（図４７参照）に接続され、着せ替えられるキートップに応じた検出情報をＣＰＵ３２に供給する。
【０４４０】
まず、マルチカーソリングモードに対応したキートップ７１０に着せ替える場合について説明する。図７０（Ａ）に示すように、キートップ７１０裏面の上部筐体８１０の導電パターンＳＡ１に対向した位置には導電パターンＰＡ１が貼り付けられている。着せ替え時においてキートップ７１０を上部筐体８１０に装着すると、導電パターンＰＡ１と導電パターンＳＡ１とが接触することで例えば静電容量が変化する。ＣＰＵ３２では、接触時の１箇所の静電容量の変化を検出することにより、上部筐体８１０に装着されたキートップがマルチカーソリングモードに対応したタイプであると判別し、操作モードをマルチカーソリングモードに切り換える。
【０４４１】
次に、ジョグモードに対応したキートップ７００に着せ替える場合について説明する。図７０（Ｂ）に示すように、キートップ７００裏面の上部筐体８１０の導電パターンＳＡ１，ＳＡ２のそれぞれに対向した位置には導電パターンＰＡ１，ＰＡ２が貼り付けられている。着せ替え時においてキートップ７００を上部筐体８１０に装着すると、導電パターンＰＡ１と導電パターンＳＡ１、導電パターンＰＡ２と導電パターンＳＡ２のそれぞれが接触することで例えば静電容量が変化する。ＣＰＵ３２では、接触時の２箇所の静電容量の変化を検出することにより、上部筐体８１０に装着されたキートップがジョグモードに対応したタイプであると判別し、操作モードをジョグモードに切り換える。
【０４４２】
次に、トラックボールモードに対応したキートップ７２０に着せ替える場合について説明する。図７０（Ｃ）に示すように、キートップ７２０裏面の上部筐体８１０の導電パターンＳＡ１，ＳＡ２，ＳＡ３のそれぞれに対向した位置には導電パターンＰＡ１，ＰＡ２，ＰＡ３が貼り付けられている。着せ替え時においてキートップ７２０を上部筐体８１０に装着すると、導電パターンＰＡ１と導電パターンＳＡ１、導電パターンＰＡ２と導電パターンＳＡ２、導電パターンＰＡ３と導電パターンＳＡ３のそれぞれが接触することで例えば静電容量が変化する。ＣＰＵ３２では、接触時の３箇所の静電容量の変化を検出することにより、上部筐体８１０に装着されたキートップがトラックボールモードに対応したタイプであると判別し、操作モードをトラックボールモードに切り換える。検出方法は導通により生成される信号を検出することにより行っても良い。
【０４４３】
また、メニュー画面（初期画面）において操作モードを変更する場合には、メニュー画面において「マルチカーソリングモード」、「ジョグダイヤルモード」および「トラックボールモード」に対応したアイコンを表示する。そして、ユーザにより所定のアイコンが選択されたとき、選択されたアイコンに対応した操作モードに切り換えることで、操作モードを変更する。
【０４４４】
＜スクロール量算出の変形例＞  
次に、トラックボールモード時のスクロール量算出の変形例について説明する。図７１は、ユーザの摺動操作による慣性を考慮してスクロール量を算出する場合のフローチャートである。本例では、トラックボールモードに対応したキートップ７２０を用い（図５７参照）、表示部２９の画面に例えば電話帳や音楽タイトルリスト等のスクロール画像（ＧＵＩ：Graphical User Interface）が表示されているものとする。
【０４４５】
ステップＳ７００でＣＰＵ３２は、ユーザのキートップ７２０の摺動操作により位置検出情報Ｄ１が入力されたか否かを判断する。位置検出情報Ｄ１が入力されたか否かは、図６７で示したステップＳ３００〜ステップＳ３４０の誤動作検出動作により判断することができる。ＣＰＵ３２は、位置検出情報Ｄ１が入力されたと判断した場合には、検出した位置検出情報Ｄ１に基づいて時刻Ｔにおける例えば操作体の移動量からｘ方向のスクロール量ｘを算出すると共に、そのときのユーザの摺動操作に基づくスクロール速度ｖを算出してステップＳ７１０に進む。一方、ＣＰＵ３２は、ユーザから位置検出情報Ｄ１が入力されていないと判断した場合にはステップＳ７００に戻る。
【０４４６】
ステップＳ７１０でＣＰＵ３２は、表示部２９の画面に表示されるスクロール画像をスクロール速度Ｖ＝ｖでスクロールするように表示部２９を制御する。このときＣＰＵ３２は、スクロール画像のスクロール量が閾値Ｉ以下となるように制御する。ここで、閾値Ｉ，Ｊ，Ｋはユーザの摺動操作によるスクロール量ｘに応じて画像のスクロール量を調整するための定数であり、閾値Ｉ，Ｊ，Ｋは０＜Ｉ＜Ｊ＜Ｋの関係を満たす。
【０４４７】
ステップＳ７２０でＣＰＵ３２は、新たな位置検出情報Ｄ１が入力されたか否かを判断する。ＣＰＵ３２は、新たな位置検出情報Ｄ１が入力されていないと判断した場合にはステップＳ７３０に進み、新たな位置検出情報Ｄ１が入力されたと判断した場合には画像のスクロールを停止するように制御してステップＳ７００に戻る。
【０４４８】
ステップＳ７３０でＣＰＵ３２は、スクロール量ｘが閾値Ｉを超えるか否かを判断する。ＣＰＵ３２は、スクロール量ｘが閾値Ｉを超えると判断したときにはステップＳ７４０に進む。一方、スクロール量ｘが閾値Ｉを超えていないと判断したときにはステップＳ７００に戻る。この場合には、スクロール画像がスクロール速度Ｖ＝ｖにてスクロールして停止する。
【０４４９】
ステップＳ７４０でＣＰＵ３２は、表示部２９の画面に表示されるスクロール画像をスクロール速度Ｖ＝ｉ・ｖでスクロールするように表示部２９を制御する。このときＣＰＵ３２は、スクロール画像のスクロール量が閾値（Ｊ−Ｉ）以下となるように制御する。定数ｉ，ｊ，ｋはユーザの摺動操作に応じた慣性力を考慮した値であり、定数ｉ，ｊ，ｋは定数ｋ＜ｊ＜ｉ＜１の関係を満たす。このように実際のトラックボールの特性を考慮して、トラックボールの回転による慣性により初速から徐々に速度が減速していく状態をスクロール画像のスクロール速度に反映させている。スクロール速度Ｖはｖからｉ・ｖに減速する。
【０４５０】
ステップＳ７５０でＣＰＵ３２は、新たな位置検出情報Ｄ１が入力されたか否かを判断する。ＣＰＵ３２は、新たな位置検出情報Ｄ１が入力されていないと判断した場合にはステップＳ７６０に進み、新たな位置検出情報Ｄ１が入力されたと判断した場合には画像のスクロールを停止するように制御してステップＳ７００に戻る。
【０４５１】
ステップＳ７６０でＣＰＵ３２は、スクロール量ｘが閾値Ｊを超えるか否かを判断する。ＣＰＵ３２は、スクロール量ｘが閾値Ｊを超えると判断したときにはステップＳ７７０に進み、スクロール量ｘが閾値Ｊを超えていないと判断したときにはステップＳ７００に戻る。
【０４５２】
ステップＳ７７０でＣＰＵ３２は、表示部２９の画面に表示されるスクロール画像をスクロール速度Ｖ＝ｊ・ｖでスクロールするように表示部２９を制御する。このときＣＰＵ３２は、スクロール画像のスクロール量が閾値（Ｋ−Ｊ）以下となるように制御する。これにより、スクロール速度Ｖはｖ→ｉ・ｖ→ｊ・ｖで徐々に減速していく。
【０４５３】
ステップＳ７８０でＣＰＵ３２は、新たな位置検出情報Ｄ１が入力されたか否かを判断する。ＣＰＵ３２は、新たな位置検出情報Ｄ１が入力されていないと判断した場合にはステップＳ７９０に進み、新たな位置検出情報Ｄ１が入力されたと判断した場合には画像のスクロールを停止するように制御してステップＳ７００に戻る。
【０４５４】
ステップＳ７９０でＣＰＵ３２は、スクロール量ｘが閾値Ｋを超えるか否かを判断する。ＣＰＵ３２は、スクロール量ｘが閾値Ｋを超えると判断したときにはステップＳ８００に進み、スクロール量ｘが閾値Ｋを超えていないと判断したときにはステップＳ７００に戻る。
【０４５５】
ステップＳ８００でＣＰＵ３２は、表示部２９の画面に表示されるスクロール画像をスクロール速度Ｖ＝ｋ・ｖでスクロールするように表示部２９を制御する。このときＣＰＵ３２は、スクロール画像のスクロール量が閾値（ｘ−Ｋ）以下となるように制御する。これにより、スクロール速度Ｖはｖ→ｉ・ｖ→ｊ・ｖ→ｋ・ｖで徐々に減速していく。
【０４５６】
ステップＳ８１０でＣＰＵ３２は、新たな位置検出情報Ｄ１が入力されたか否かを判断する。ＣＰＵ３２は、新たな位置検出情報Ｄ１が入力されていないと判断した場合には上述した一連の動作を終了し、新たな位置検出情報Ｄ１が入力されたと判断した場合にはステップＳ７００に戻る。
【０４５７】
本実施例に係る携帯電話機８００では、操作体がキートップ７２０から離れた後でも、入力時のスクロール量ｘに応じて、所定のスクロール量で画像をスクロールさせ、画像のスクロール速度が徐々に減速するように制御する。これにより、ユーザはトラックボールやジョグダイヤル操作時のように慣性により画像をスクロールさせているような操作感を擬似的に得ることができる。その結果、より操作性および臨場感に優れた入力装置８５０および携帯電話機８００を提供することができる。
【実施例３３】
【０４５８】
図７２は、本発明に係る入力装置を備えた第３３の実施例としてのビデオカメラ４００の構成例を示す斜視図である。
【０４５９】
図７２に示すビデオカメラ４００は電子機器の他の一例を構成し、情報入力操作時に操作体（者）に触覚を提示する触覚入力機能付きの電子機器であって、被写体像を撮像し、かつ、周囲の音響を録音するものである。ビデオカメラ４００には、第１〜第３２の実施例で説明した入力装置１０〜２９０のいずれかの入力装置を備え、このビデオカメラ４００にはアクチュエータ機能付きのスピーカー３６ｂが応用されるものである。
【０４６０】
ビデオカメラ４００は、外装を構成するケース４０２を有しており、ケース４０２の前面上部には撮影光学系４０４が組み込まれたレンズ鏡筒４０３が設けられている。レンズ鏡筒４０３の後端には、撮影光学系４０４によって導かれた被写体像を撮像する撮像素子（不図示）が組み込まれている。
【０４６１】
ケース４０２の後面、上面、側面には、電源スイッチ、撮影スタート／ストップスイッチ、ズームスイッチなど種々の操作スイッチ４０５が設けられている。ケース４０２の左側面には、タッチパネルディスプレイ装置４０１がヒンジ４０６を介して開閉可能にケース４０２に連結され、不図示の撮像素子で撮像した画像を表示するようになされる。
【０４６２】
タッチパネルディスプレイ装置４０１には、例えば、第２９の実施例で説明した入力装置２９０及び、図１２に示したアクチュエータ機能付きのスピーカー３６ｂが備えられる。第２９の実施例で説明した入力装置２９０によれば、図４６に示したように表示トップ部材６３、センサ１３’及びＬＣＤ素子６４が上部から順に積層されて構成される。表示部２９は表示トップ部材６３及びＬＣＤ素子６４を有して構成され、その所定の位置には凸状を成したキートップ１５２’が配設される。表示部２９は、キートップ１５２’によって入力される情報を表示する。
【０４６３】
キートップ１５２’は、操作性を良くするために、例えば、表示部２９の中央部位よりやや左側に配設されている。キートップ１５２’は、所定の高さ及び幅を有した半球凸形状を成している。キートップ１５２’は、半球凸形状の一の軌道に沿って摺動操作され、又は／及び当該軌道と交差する他の軌道に沿って摺動操作される。もちろん、表示部２９にＬＣＤ素子６４を介して入力情報を選択させるためのアイコン映像を表示し、このアイコン映像に沿って操作者の指を摺動操作させるようにしてもよい。
【０４６４】
タッチパネルディスプレイ装置４０１内にはスピーカー３６ｂが設けられ、スピーカー３６ｂには、図１２に示した所定部位に開口部１ａ，１ｂ，１ｃ，１ｄを有した蓋部材１と、この蓋部材１が係合されるハウジング部６と、有底筒状の凹部５ａを有してハウジング部６内に可動自在に配された振動用のヨーク５と、ハウジング部６内でヨーク５を可動自在に支持するスプリングバネ５１，５２と、そのハウジング部６内で可動自在に支持されるヨーク５の底部に固定されたマグネット４と、巻き軸部を有してマグネット４の周囲に可動自在に配されたコイル３と、このコイル３の巻き軸部の一方の側に取り付けられて、蓋部材１とハウジング部６で挟持される振動板２とを有したものが使用される。
【０４６５】
この例で、タッチパネルディスプレイ装置４０１のモニタ用の表示部２９に表示された入力操作用のアイコン画像を指で操作すると、スピーカー３６ｂからクリック音（サイバースイッチ操作音）と共に、表示画面上を触れている操作者の指に触覚を提示するようになされる。この入力操作により、ビデオカメラ４００においても、表示部２９に表示されたスクロール画像２９ａや２９ｂ等の入力を確定できるようになる。なお、図中、孔６７はクリック音漏れ出し用の開口部である。
【０４６６】
このように、第３３の実施例としてのビデオカメラ４００によれば、本発明に係る触覚機能付きの入力装置２９０を備えられるので、表示トップ部材６３、センサ１３’及びＬＣＤ素子６４が順に積層された表示部２９の中央部位よりやや左側にキートップ１５２’が設けられ、表示トップ部材６３と、半球凸形状を有したキートップ１５２’とが一体成形又は、表示トップ部材６３上にキートップ１５２’が貼付されて成るものである。
【０４６７】
従って、耐水性に富んだ密閉構造の入力装置２９０を備えたビデオカメラ４００を提供できるようになる。しかも、操作者の指による摺動操作に対し、表示部２９の表示トップ部材６３の一方の表示面から半球凸形状の一の軌道に沿って円弧状に盛り上がる摺動操作感覚に加えて、他方の表示面に向かって円弧状に盛り下がる摺動操作感覚を与えること、及び、表示トップ部材６３の他方の表示面から半球凸形状の一の軌道と交差する他の軌道に沿って円弧状に盛り上がる摺動操作感覚に加えて、他方の表示面に向かって円弧状に盛り下がる摺動操作感覚を与えることができる。これにより、当該入力装置２９０を応用したビデオカメラ４００の入力操作性が向上し、従来方式のタッチパネルには無いユニークな操作感覚が得られるようになる。
【０４６８】
上述の例では、電子機器に関して、触覚機能付きの入力装置を応用したスライドタイプの携帯電話機１０１等及び、ビデオカメラ４００について説明したが、これらに限られることはなく、通常の１軸ヒンジタイプの携帯電話機１０２や、２軸ヒンジタイプの携帯電話機１０３、上部筐体１１ｘ及び下部筐体１１ｙの両方に表示画面を備えた携帯端末装置、デジタルカメラ等に適用できることは言うまでもない。
【０４６９】
なお、表１に本発明者らが実施した各入力装置間における操作性評価結果を示している。
【０４７０】
【表１】
2009217804.tif 000003
【０４７１】
表１に示す操作性評価結果は、従来例”１”、従来例”２”、本発明”１”及び本発明”２”の各々の入力装置における操作正確性を比較してまとめたものである。従来例”１”は、図５１に示したようなサイドジョグ回転スイッチ＋ドームスイッチ構造の入力装置５００の場合である。従来例”２”は、図７４に示した平面フラット＆無回転型のキートップ＋ドームスイッチ付きの入力装置６００の場合である。本発明”１”は、図１４に示した第３の実施例に係る無回転型のキートップ＋ドームスイッチ付きの入力装置３０の場合である。本発明”２”は、図１５に示した第４の実施例に係る無回転型のキートップ＋ドームスイッチ＋アクチュエータ機能付きの入力装置４０の場合である。
【０４７２】
これら４つの入力装置３０，４０，５００，６００に関して、スライド操作及びプッシュ操作を評価した。評価方法は、いずれも被験者は５０名である。スライド操作に関しては、電話帳アプリケーションの縦スクロール画面で狙ったところ（ターゲット画像）にカーソルを当てて止めてもらうキートップ操作を実行した。カーソルを当てて止めてもらう項目は１名に付き１０個の場合である。この場合、１回のキートップ操作でカーソルをターゲット画像に止められた正解数を比較した。
【０４７３】
また、プッシュ操作に関しては、電話帳アプリケーションの縦スクロール画面で選択し終えた状態から、キートップ押し込み操作を実行して、ドームスイッチをオンして入力決定（確定）操作をしてもらう場合である。この場合、キートップを押し込む前に、選択されていたターゲット画像がそのまま決定されれば、「正解」、違うターゲット画像が選択されたり、当該ターゲット画像の選択決定できなかった場合は「間違い」とする。これらの正解数を従来例”１”、従来例”２”、本発明”１”及び本発明”２”の各々について比較することで、入力装置３０，４０，５００，６００の操作正確性を評価した。
【０４７４】
表１に示した操作性評価結果によれば、従来例”１”、従来例”２”、本発明”１”及び本発明”２”の各々全５００回中の正解数に関して、従来例”１”の場合は、スライド操作が「４７８」であり、プッシュ操作は「４７８」である。従来例”２”の場合は、スライド操作が「３０２」であり、プッシュ操作は「３００」である。本発明”１”の場合は、スライド操作が「４５０」であり、プッシュ操作は「４９５」である。本発明”２”の場合は、スライド操作が「４６８」であり、プッシュ操作は「４９３」である。
【０４７５】
スライド操作に関して、本発明”１”及び本発明”２”は従来例”１”よりも正解数がやや劣るが、従来例”２”よりも操作確実性が向上している。プッシュ操作に関しては、本発明”１”及び本発明”２”共に従来例”１”や、従来例”２”よりも正解数が多く、操作確実性が向上している。従来例”１”によれば、ジョグダイヤルを押し込む前にキートップが回転し、１つ前後したターゲット画像を誤って決定する失敗が見られた。従来例”２”によれば、キートップを押し込んだ際に、当該キートップの隅を押し込んでしまい、押し子がドームキーを正確に押し込めず、ターゲット画像を選択決定ができないという内容の失敗が見られた。
【０４７６】
これに対して、本発明”１”及び”２”は、無回転型のキートップ＋ドームスイッチや、無回転型のキートップ＋ドームスイッチ＋アクチュエータ機能付きの構造を採っているので、１つ前後したターゲット画像を誤って決定することがなく、しかも、押し子がドームキーを正確に押し込むようになるので、高い操作性及び確実性を実現することができ、使用勝手が優れた入力装置３０，４０等を提供できるようになった。
【産業上の利用可能性】
【０４７７】
この発明は、デジタルカメラや、ビデオカメラ、携帯電話機、携帯端末装置、パーソナルコンピュータ（以下ＰＣという）、ノート型のＰＣ、ホーム系電子機器及びそのリモートコントローラ等に適用して極めて好適である。
【図面の簡単な説明】
【０４７８】
【図１】（Ａ）及び（Ｂ）は、本発明に係る第１の実施例としての入力装置１０を備えた携帯電話機１０１の構成例を示す斜視図である。
【図２】入力装置１０の内部構成例を示す断面図である。
【図３】キートップ１４の突出部分の寸法設定例を示す概念図である。
【図４】入力装置１０の検出感度例を示すグラフ図である。
【図５】入力装置１０の位置検出例を示すグラフ図である。
【図６】入力装置１０の操作範囲例を示す断面図である。
【図７】（Ａ）及び（Ｂ）は、入力装置１０におけるスライド量Ｓｘの設定例を示す断面図である。
【図８】（Ａ）〜（Ｃ）は、入力装置１０の操作例を示す概念図である。
【図９】入力装置１０におけるスライド量Ｓｘの設定例（固定値選択）を示すフローチャートである。
【図１０】入力装置１０におけるスライド量Ｓｘの他の設定例（設定値可変）を示すフローチャートである。
【図１１】第２の実施例としての入力装置２０の内部構成例を示す断面図である。
【図１２】アクチュエータ機能付きのスピーカー３６ｂの構成例を示す正面から見た断面図である。
【図１３】第３の実施例としての入力装置３０の構成例を示す分解斜視図である。
【図１４】入力装置３０の構成例及びその機能例を示す上面から見た断面図である。
【図１５】第４の実施例としての入力装置４０の内部構成例を示す断面図である。
【図１６】第５の実施例としての入力装置５０の内部構成例を示す断面図である。
【図１７】第６の実施例としての入力装置６０の内部構成例を示す断面図である。
【図１８】第７の実施例としての入力装置７０の内部構成例を示す断面図である。
【図１９】第８の実施例としての入力装置８０の内部構成例を示す断面図である。
【図２０】第７の実施例としての入力装置７０の内部構成例を示す断面図である。
【図２１】第８の実施例としての入力装置８０の内部構成例を示す断面図である。
【図２２】（Ａ）〜（Ｃ）は、第９の実施例としての入力装置９０の外観例を示す斜視図及び、その内部構成例を示す断面図である。
【図２３】（Ａ）〜（Ｃ）は、第１０の実施例としての入力装置１００の構成例を示す斜視図及び断面図である。
【図２４】（Ａ）〜（Ｃ）は、第１１の実施例としての入力装置１１０の構成例を示す斜視図及び断面図である。
【図２５】（Ａ）〜（Ｃ）は、第１２の実施例としての入力装置１２０の構成例を示す斜視図及び断面図である。
【図２６】（Ａ）及び（Ｂ）は、本発明に係る第１３の実施例としての携帯電話機１０２の構成例を示す斜視図である。
【図２７】携帯電話機１０２の撮影時の取扱例を示す斜視図である。
【図２８】（Ａ）及び（Ｂ）は、本発明に係る第１４の実施例としての携帯電話機１０３の構成例を示す斜視図である。
【図２９】携帯電話機１０３のテレビ視聴時の取扱例を示す斜視図である。
【図３０】第１５の実施例としての入力装置１５０の構成例を示す斜視図である。
【図３１】第１６の実施例としての入力装置１６０の構成例を示す斜視図である。
【図３２】第１７の実施例としての入力装置１７０の構成例を示す斜視図である。
【図３３】第１８の実施例としての入力装置１８０の構成例を示す斜視図である。
【図３４】（Ａ）及び（Ｂ）は、第１９の実施例としての入力装置１９０の外観例を示す斜視図及びその内部構成例を示す断面図である。
【図３５】（Ａ）及び（Ｂ）は、入力装置１９０の操作例を示す概念図である。
【図３６】（Ａ）及び（Ｂ）は、第２０の実施例としての入力装置２００の構成例を示す斜視図及び断面図である。
【図３７】（Ａ）及び（Ｂ）は、第２１の実施例としての入力装置２１０の構成例を示す斜視図及び断面図である。
【図３８】（Ａ）及び（Ｂ）は、第２２の実施例としての入力装置２２０の構成例を示す斜視図及び断面図である。
【図３９】第２３の実施例としての入力装置２３０の構成例を示す斜視図である。
【図４０】第２４の実施例としての入力装置２４０の構成例を示す斜視図である。
【図４１】第２５の実施例としての入力装置２５０の構成例を示す斜視図である。
【図４２】入力装置２５０’の構成例を示す分解斜視図である。
【図４３】第２６の実施例としての入力装置２６０の構成例を示す斜視図である。
【図４４】第２７の実施例としての入力装置２７０の構成例を示す斜視図である。
【図４５】第２８の実施例としての入力装置２８０の構成例を示す斜視図である。
【図４６】第２９の実施例に係る入力装置２９０の構成例を示す分解斜視図である。
【図４７】携帯電話機１０１等の制御系の構成例及びその感触フィードバック機能例を示すブロック図である。
【図４８】（Ａ）及び（Ｂ）は、触覚＃Ａ及びＢに係る振動パターン例を示す波形図である。
【図４９】（Ａ）及び（Ｂ）は、加圧力Ｆと振動パターンとの関係例（その１）を示す図である。
【図５０】（Ａ）及び（Ｂ）は、加圧力Ｆと振動パターンとの関係例（その２）を示す図である。
【図５１】各実施例に係る携帯電話機１０１等における情報処理例を示すフローチャートである。
【図５２】第３０の実施例としての携帯電話機８００の構成例を示す断面図である。
【図５３】携帯電話機８００の内部構成例を示す断面図である。
【図５４】携帯電話機８００の構成例を示す分解斜視図である。
【図５５】キートップの構成例を示す図である。
【図５６】キートップの変形例１の構成例を示す図である。
【図５７】キートップの変形例２の構成例を示す図である。
【図５８】キートップの変形例３の構成例を示す図である。
【図５９】キートップの変形例４の構成例を示す図である。
【図６０】キートップの変形例５の構成例を示す図である。
【図６１】キートップの変形例６の構成例を示す図である。
【図６２】第３１の実施例としての携帯電話機９００の構成例を示す断面図である。
【図６３】携帯電話機９００の内部構成例を示す断面図である。
【図６４】携帯電話機９００の構成例を示す分解斜視図である。
【図６５】キートップの販売形態例を示す図である。
【図６６】第３２の実施例としての携帯電話機の動作例を示すフローチャートである。
【図６７】誤動作検出の動作例を示すフローチャートである。
【図６８】速度に応じたスクロール量を算出するためのフローチャートである。
【図６９】加速度に応じたスクロール量を算出するためのフローチャートである。
【図７０】キートップを用いた場合の操作モードの切り換え例を示す図である。
【図７１】速度に応じたスクロール量を算出するためのフローチャートである。
【図７２】本発明に係る入力装置を備えた第３３の実施例としてのビデオカメラ４００の構成例を示す斜視図である。
【図７３】従来例に係る入力装置５００の構成例を示す断面図である。
【図７４】従来例に係る他の入力装置６００の構成例を示す断面図である。
【符号の説明】
【０４７９】
１・・・蓋部材、２・・・振動板、３・・・コイル、４・・・マグネット、５・・・ヨーク、６・・・ハウジング、１０，２０，３０，４０，５０，６０，７０，８０，９０，１００，１１０，１２０，１５０，１６０，１７０，１８０，１９０，２００，２１０，２２０，２３０，２４０，２５０，２６０，２７０，２８０，２９０，３００・・・入力装置、１１ａ，１１ｘ・・・上部筐体、１１ｂ，１１ｄ，１１ｅ，１１ｆ，１１ｇ，１１ｈ，１１ｉ，１１ｊ，１１ｋ，１１ｍ，１１ｎ，１１ｏ，１１ｐ，１１ｑ，１１ｒ，１１ｓ，１１ｔ，１１ｕ，１１ｖ，１１ｗ，１１ｙ，１１ｚ・・・下部筐体、１３・・・センサ（検出部）、１４，１４１，１４２，１４３，１４４，１４５，１４６，１４７，１４８，１４９，１５１，１５２，１５３，２４４，２４５，２４６，２４７，２４８，２４９，２５１，２５２，２５３・・・キートップ（操作部）、１５・・・制御部、１６・・・アンテナ、１７・・・回路基板、１８・・・操作パネル、１９，１９１・・・押し子、２１・・・受信部、２２・・・送信部、２３・・・共用器、２５・・・ドームスイッチ（スイッチ部）、２６・・・画像処理部、２９・・・表示部、３１・・・Ａ／Ｄドライバ、３２・・・ＣＰＵ、３３・・・電源ユニット、３４・・・カメラ、３５・・・記憶部、３６ａ・・・スピーカー、３６ｂ・・・アクチュエータ機能付きのスピーカー、３７・・・メモリ部、３８・・・キートップアレイ、４４・・・映像＆音声処理部、４８，４８ａ，４８ｂ・・・ヒンジ、５１，５２・・・スプリングバネ、６１ａ〜６１ｅ・・・三角マーク、６２ａ〜６２ｅ・・・ＬＥＤ素子、６３・・・表示トップ部材、１０１，１０２，１０３・・・携帯電話機（電子機器）、４００・・・ビデオカメラ（電子機器）
【図１】
2009217804.tif 000004
【図２】
2009217804.tif 000005
【図３】
2009217804.tif 000006
【図４】
2009217804.tif 000007
【図５】
2009217804.tif 000008
【図６】
2009217804.tif 000009
【図７】
2009217804.tif 000010
【図８】
2009217804.tif 000011
【図９】
2009217804.tif 000012
【図１０】
2009217804.tif 000013
【図１１】
2009217804.tif 000014
【図１２】
2009217804.tif 000015
【図１３】
2009217804.tif 000016
【図１４】
2009217804.tif 000017
【図１５】
2009217804.tif 000018
【図１６】
2009217804.tif 000019
【図１７】
2009217804.tif 000020
【図１８】
2009217804.tif 000021
【図１９】
2009217804.tif 000022
【図２０】
2009217804.tif 000023
【図２１】
2009217804.tif 000024
【図２２】
2009217804.tif 000025
【図２３】
2009217804.tif 000026
【図２４】
2009217804.tif 000027
【図２５】
2009217804.tif 000028
【図２６】
2009217804.tif 000029
【図２７】
2009217804.tif 000030
【図２８】
2009217804.tif 000031
【図２９】
2009217804.tif 000032
【図３０】
2009217804.tif 000033
【図３１】
2009217804.tif 000034
【図３２】
2009217804.tif 000035
【図３３】
2009217804.tif 000036
【図３４】
2009217804.tif 000037
【図３５】
2009217804.tif 000038
【図３６】
2009217804.tif 000039
【図３７】
2009217804.tif 000040
【図３８】
2009217804.tif 000041
【図３９】
2009217804.tif 000042
【図４０】
2009217804.tif 000043
【図４１】
2009217804.tif 000044
【図４２】
2009217804.tif 000045
【図４３】
2009217804.tif 000046
【図４４】
2009217804.tif 000047
【図４５】
2009217804.tif 000048
【図４６】
2009217804.tif 000049
【図４７】
2009217804.tif 000050
【図４８】
2009217804.tif 000051
【図４９】
2009217804.tif 000052
【図５０】
2009217804.tif 000053
【図５１】
2009217804.tif 000054
【図５２】
2009217804.tif 000055
【図５３】
2009217804.tif 000056
【図５４】
2009217804.tif 000057
【図５５】
2009217804.tif 000058
【図５６】
2009217804.tif 000059
【図５７】
2009217804.tif 000060
【図５８】
2009217804.tif 000061
【図５９】
2009217804.tif 000062
【図６０】
2009217804.tif 000063
【図６１】
2009217804.tif 000064
【図６２】
2009217804.tif 000065
【図６３】
2009217804.tif 000066
【図６４】
2009217804.tif 000067
【図６５】
2009217804.tif 000068
【図６６】
2009217804.tif 000069
【図６７】
2009217804.tif 000070
【図６８】
2009217804.tif 000071
【図６９】
2009217804.tif 000072
【図７０】
2009217804.tif 000073
【図７１】
2009217804.tif 000074
【図７２】
2009217804.tif 000075
【図７３】
2009217804.tif 000076
【図７４】
2009217804.tif 000077